(57)【要約】本発明は、増幅、検出および遺伝子型決定を含む核酸反応を多重処理する新規な方法を目的とする。本発明は、対応する標的核酸の存在下で環状化され、切断され、続いて増幅されるプレサークルプローブの使用を必要とする。【特許請求の範囲】
【請求項１】
以下の工程を含む、第一および第二の標的ドメインを含む標的配列をサンプル中で検出する方法：
ａ）前記標的配列を以下のｉ）からｉｖ）を含むプレサークルプローブとハイブリダイズさせて第一のハイブリダイゼーション複合体を生成し：
ｉ）第一の向標的ドメイン；
ｉｉ）第二の向標的ドメイン；
ｉｉｉ）少なくとも第一の万能プライミング部位；および
ｉｖ）切断部位；
（ここで前記第一および第二の向標的ドメインは前記第一および第二の標的ドメインとハイブリダイズする）、
ｂ）前記第一のハイブリダイゼーション複合体をリガーゼと接触させて閉環状プローブを生成し；
ｃ）前記閉環状プローブを前記切断部位で切断して切断プローブを生成し；
ｄ）前記切断プローブを増幅させて複数のアンプリコンを生成し；さらに
ｅ）前記アンプリコンを検出して前記標的配列の前記サンプル中の存在を検出する。
【請求項２】
前記増幅が、前記切断プローブを下記のａ）からｃ）と接触させることによって実施される請求項１に記載の方法：
ａ）少なくとも第一の万能プライマー；
ｂ）伸長酵素；および
ｃ）ＮＴＰ。
【請求項３】
前記伸長酵素がポリメラーゼである請求項２に記載の方法。
【請求項４】
前記プレサークルプローブがさらに第二の万能プライミング部位を含み、前記第二の接触工程がさらに、前記切断プローブを第二の万能プライマーと接触させることを含む請求項１に記載の方法。
【請求項５】
前記切断部位が前記第一および第二の万能プライミング部位の間に存在する請求項４に記載の方法。
【請求項６】
前記標的配列がさらに前記第一および第二の標的ドメインの間にギャップドメインを含み、前記方法がさらに、前記閉環状プローブの生成前に、前記第一のハイブリダイゼーション複合体を伸長酵素および少なくとも１つの審問ＮＴＰと接触させる追加工程を含む請求項１に記載の方法。
【請求項７】
前記標的配列がさらに前記第一および第二の標的ドメインの間にギャップドメインを含み、前記方法がさらに、前記閉環状プローブの生成前に、前記第一のハイブリダイゼーション複合体を少なくとも１つのギャップオリゴヌクレオチドと接触させる追加工程を含み、前記ギャップオリゴヌクレオチドが前記ギャップドメインと完全に相補的な配列を有し、前記アンプリコンの検出によって前記ギャップドメインが特定される請求項１に記載の方法。
【請求項８】
前記標的配列がさらに前記第一および第二の標的ドメインの間にギャップドメインを含み、前記プレサークルプローブがさらに、前記ギャップドメインと完全に相補的な１つまたは２つ以上の核酸を含む最３´または５´側検出ドメインを含み、前記アンプリコンの検出によって前記ギャップドメインが特定される請求項１に記載の方法。
【請求項９】
前記検出ドメインが前記第二の向標的ドメインと結合されてある請求項８に記載の方法。
【請求項１０】
前記ギャップドメインが１から約１０００ヌクレオチドである請求項８に記載の方法。
【請求項１１】
前記ギャップドメインが、前記標的配列内の１ヌクレオチド多形性と一致する請求項８に記載の方法。
【請求項１２】
前記閉環状プローブの切断の前に一切の直鎖状プレサークルプローブを消化する追加工程を含む請求項１に記載の方法。
【請求項１３】
さらに、前記審問ｄＮＴＰの添加前に一切のｄＮＴＰを分解することを含む請求項１に記載の方法。
【請求項１４】
前記分解がアピラーゼを用いて実施される請求項１３に記載の方法。
【請求項１５】
前記切断部位がウラシルであり、前記切断工程が前記閉環状プローブをウラシル−Ｎ−グリコリラーゼと接触させることを含む請求項１に記載の方法。
【請求項１６】
前記切断部位が制限部位であり、前記切断工程が前記閉環状プローブを制限酵素と接触させることを含む請求項１に記載の方法。
【請求項１７】
前記万能プライマーの少なくとも１つが標識される請求項１に記載の方法。
【請求項１８】
前記ＮＴＰの少なくとも１つが標識される請求項１に記載の方法。
【請求項１９】
前記標識がビオチンを含み、前記方法がさらに、前記増幅工程の前にビオチン化アンプリコンを分離する追加工程を含む請求項１７または１８に記載の方法。
【請求項２０】
以下の工程を含む、第一および第二の標的ドメイン並びに前記第一および第二の標的ドメインの間に存在するギャップドメインを含む標的配列をサンプル中で検出する方法：
ａ）複数のプレサークルプローブの少なくとも１つを前記標的配列とハイブリダイズさせて複数の第一のハイブリダイゼーション複合体を生成し、前記プレサークルプローブは各々以下のｉ）からｖｉ）を含み：
ｉ）第一の向標的ドメイン；
ｉｉ）第二の向標的ドメイン；
ｉｉｉ）検出ドメイン；
ｉｖ）少なくとも第一の万能プライミング部位；
ｖ）切断部位；および
ｖｉ）バーコード配列；
（ここで前記複数の第一および第二の向標的ドメインは前記複数の第一および第二の標的ドメインと相補的であり、さらに前記ギャップドメインは前記複数の検出ドメインの少なくとも１つとハイブリダイズする）、
ｂ）前記複数の第一のハイブリダイゼーション複合体をリガーゼと接触させて複数の閉環状プローブを生成し；
ｃ）前記複数の閉環状プローブを前記切断部位で切断して複数の切断プローブを生成し；
ｄ）前記切断プローブを増幅させてアンプリコンを生成し；
ｅ）前記アンプリコンの存在を検出して前記複数の標的配列の前記サンプル中の存在を検出する。
【請求項２１】
前記増幅が、前記切断プローブを下記のａ）からｃ）と接触させることによって実施される請求項２０に記載の方法：
ａ）少なくとも第一の万能プライマー；
ｂ）伸長酵素；および
ｃ）ＮＴＰ。
【請求項２２】
前記伸長酵素がポリメラーゼである請求項２１に記載の方法。
【請求項２３】
前記複数のプレサークルプローブが各々さらに第二の万能プライミング部位を含み、前記接触工程がさらに、前記複数の切断プローブを第二の万能プライマーと接触させることを含む請求項２０に記載の方法。
【請求項２４】
前記切断部位が前記第一および第二の万能プライミング部位の間に存在する請求項２２に記載の方法。
【請求項２５】
前記標的配列がさらに前記第一および第二の標的ドメインの間にギャップドメインを含み、前記複数のプレサークルプローブが各々固有のバーコードを含み、さらに前記ギャップドメインと相補的な１つまたは２つ以上の核酸を含む最３´または５´側検出ドメインを含み、前記バーコードの検出によって前記ギャップドメインが特定される請求項２０に記載の方法。
【請求項２６】
以下の工程を含む、複数の標的配列をサンプル中で検出する方法であって、前記複数の標的配列の各々が第一および第二の標的ドメインを含む前記方法：
ａ）前記複数の標的配列を複数のプレサークルプローブとハイブリダイズさせて複数の第一のハイブリダイゼーション複合体を生成し、前記プレサークルプローブの各々は以下のｉ）からｖ）を含み：
ｉ）第一の向標的ドメイン；
ｉｉ）第二の向標的ドメイン；
ｉｉｉ）少なくとも第一の万能プライミング部位；
ｉｖ）切断部位；および
ｖ）バーコード；
（ここで前記複数の第一および第二の向標的ドメインは前記複数の第一および第二の標的ドメインとハイブリダイズする）、
ｂ）前記複数の第一のハイブリダイゼーション複合体をリガーゼと接触させて複数の閉環状プローブを生成し；
ｃ）前記複数の閉環状プローブを前記切断部位で切断して複数の切断プローブを生成し；
ｄ）前記切断プローブを増幅させてアンプリコンを生成し；さらに
ｅ）前記アンプリコンの存在を検出して、前記複数の標的配列の前記サンプル中の存在を検出する。
【請求項２７】
前記増幅が、前記切断プローブを下記のａ）からｃ）と接触させることによって実施される請求項２６に記載の方法：
ａ）少なくとも第一の万能プライマー；
ｂ）伸長酵素；および
ｃ）ＮＴＰ。
【請求項２８】
前記伸長酵素がポリメラーゼである請求項２７に記載の方法。
【請求項２９】
前記複数のプレサークルプローブが各々さらに第二の万能プライミング部位を含み、前記接触工程がさらに、前記複数の切断プローブを第二の万能プライマーと接触させることを含む請求項２６に記載の方法。
【請求項３０】
前記切断部位が前記第一および第二の万能プライミング部位の間に存在する請求項２９に記載の方法。
【請求項３１】
前記複数の標的配列の各々がさらに前記第一および第二の標的ドメインとの間にギャップドメインを含み、前記方法がさらに、前記リガーゼと前記複合体を接触させる前に、前記複数の第一のハイブリダイゼーション複合体をポリメラーゼおよび少なくとも１つのｄＮＴＰと接触させて複数の前記閉環状プローブを生成する追加工程を含む請求項２６に記載の方法。
【請求項３２】
前記複数の標的配列の各々がさらに前記第一および第二の標的ドメインとの間にギャップドメインを含み、前記方法がさらに、前記複数の閉環状プローブを生成する前に、前記複数の第一のハイブリダイゼーション複合体を少なくとも１つのギャップオリゴヌクレオチドと接触させる追加工程を含み、前記ギャップオリゴヌクレオチドが、前記複数のギャップドメインの少なくとも１つと相補的な核酸配列を有し、前記アンプリコンを検出することによって前記ギャップドメインが特定される請求項２６に記載の方法。
【請求項３３】
前記複数の標的配列の各々がさらに前記第一および第二の標的ドメインとの間にギャップドメインを含み、前記複数のプレサークルプローブの各々が固有のバーコードを含み、さらに、前記ギャップドメインの少なくとも１つと相補的な１つまたは２つ以上の核酸を含む検出領域を含む請求項２６に記載の方法。
【請求項３４】
以下の工程を含む、ギャップドメインによって分離されている第一および第二の標的ドメインを含む標的配列中の検出場所に存在する塩基を特定する方法であって、前記ギャップドメインが前記検出場所を含む前記の塩基特定方法：
ａ）前記標的配列をプレサークルプローブとハイブリダイズさせて第一のハイブリダイゼーション複合体を生成し、前記プレサークルプローブは以下のｉ）からｉｖ）を含み：
ｉ）５´側の第一の向標的ドメイン；
ｉｉ）３´側の第二の向標的ドメイン；
ｉｉｉ）少なくとも第一の万能プライミング部位；および
ｉｖ）切断部位；
（ここで前記第一および第二の向標的ドメインは前記第一および第二の標的ドメインとハイブリダイズする）、
ｂ）前記第一のハイブリダイゼーション複合体をポリメラーゼおよび少なくとも１つの審問ｄＮＴＰと接触させて伸長されたプレサークルプローブを生成し；
ｃ）前記伸長プレサークルプローブおよび前記標的配列を含む前記第一のハイブリダイゼーション複合体をリガーゼと接触させて閉環状プローブを生成し；
ｄ）前記閉環状プローブを前記切断部位で切断して切断プローブを生成し；
ｅ）前記切断プローブを増幅させて複数のアンプリコンを生成し；
ｆ）前記アンプリコンの存在を検出して前記標的配列の前記サンプル中の存在を検出する。
【請求項３５】
さらに、前記審問ｄＮＴＰの添加前に一切のｄＮＴＰを分解することを含む請求項３４に記載の方法。
【請求項３６】
前記分解がアピラーゼで実施される請求項３５に記載の方法。
【請求項３７】
以下の工程を含む、第一および第二の標的ドメインを含む標的配列をサンプル中で増幅する方法：
ａ）前記標的配列をプレサークルプローブとハイブリダイズさせて第一のハイブリダイゼーション複合体を生成し、前記プレサークルプローブは以下のｉ）からｉｖ）を含み：
ｉ）第一の向標的ドメイン；
ｉｉ）第二の向標的ドメイン；
ｉｉｉ）少なくとも第一の万能プライミング部位；および
ｉｖ）切断部位；
（ここで前記第一および第二の向標的ドメインは前記第一および第二の標的ドメインとハイブリダイズする）、
ｂ）前記第一のハイブリダイゼーション複合体をリガーゼと接触させて閉環状プローブを生成し；
ｃ）前記閉環状プローブを前記切断部位で切断して切断プローブを生成し；さらに
ｄ）前記切断プローブを増幅させる。
【請求項３８】
前記標的配列がさらに前記第一および第二の標的ドメインとの間にギャップドメインを含み、前記方法がさらに、前記複合体と前記リガーゼを接触させる前に、前記第一のハイブリダイゼーション複合体をポリメラーゼおよび少なくとも１つのＮＴＰと接触させて前記閉環状プローブを生成する追加工程を含む請求項３７に記載の方法。
【請求項３９】
前記閉環状プローブを切断する前に、一切の直線状プレサークルプローブを消化する追加工程を含む請求項３７に記載の方法。
【請求項４０】
以下の工程を含む、第一および第二の標的ドメインを含む標的配列をサンプル中で検出する方法：
ａ）前記標的配列をプレサークルプローブとハイブリダイズさせて第一のハイブリダイゼーション複合体を生成し、前記プレサークルプローブは以下のｉ）からｉｉｉ）を含み：
ｉ）第一の向標的ドメイン；
ｉｉ）第二の向標的ドメイン；および
ｉｉｉ）少なくとも第一の万能プライミング部位；
（ここで前記第一および第二の向標的ドメインは前記第一および第二の標的ドメインとハイブリダイズする）、
ｂ）前記第一のハイブリダイゼーション複合体をリガーゼと接触させて閉環状プローブを生成し；
ｃ）前記閉環状プローブを少なくとも第一の万能プライマー、伸長酵素およびｄＮＴＰと接触させて伸長生成物を生成し；
ｄ）前記伸長生成物を増幅させてアンプリコンを生成し；さらに
ｅ）前記アンプリコンを検出して前記標的配列の前記サンプル中の存在を検出する。
【請求項４１】
前記増幅が、前記伸長生成物を下記のａ）からｃ）と接触させることによって実施される請求項４０に記載の方法：
ａ）少なくとも第一の万能プライマー；
ｂ）伸長酵素；および
ｃ）ＮＴＰ。
【請求項４２】
前記標的配列がさらに前記第一および第二の標的ドメインとの間にギャップドメインを含み、前記方法がさらに、前記閉環状プローブを生成する前に、前記第一のハイブリダイゼーション複合体を伸長酵素および少なくとも１つの審問ＮＴＰと接触させる追加工程を含む請求項４０に記載の方法。
【請求項４３】
前記標的配列がさらに前記第一および第二の標的ドメインとの間にギャップドメインを含み、前記方法がさらに、前記閉環状プローブを生成する前に、前記第一のハイブリダイゼーション複合体を少なくとも１つのギャップオリゴヌクレオチドと接触させる追加工程を含み、前記ギャップオリゴヌクレオチドが、前記ギャップドメインと完全に相補的な核酸配列を有し、前記アンプリコンを検出することによって前記ギャップドメインが特定される請求項４０に記載の方法。
【請求項４４】
前記標的配列がさらに前記第一および第二の標的ドメインとの間にギャップドメインを含み、前記プレサークルプローブがさらに、前記ギャップドメインと完全に相補的な１つまたは２つ以上の核酸を含む最３´または５´側検出ドメインを含み、前記アンプリコンを検出することによって前記ギャップドメインが特定される請求項４０に記載の方法。
【請求項４５】
前記プレサークルプローブがさらに少なくとも１つの切断部位を含み、前記閉環状プローブが前記伸長生成物の増幅前に切断される請求項４０に記載の方法。
【請求項４６】
前記少なくとも１つの切断部位がウラシルを含み、前記切断工程が、前記閉環状プローブをウラシル−Ｎ−グリコリラーゼと接触させることを含む請求項４１に記載の方法。
【請求項４７】
前記切断部位が制限部位であり、前記切断工程が、前記閉環状プローブと制限酵素を接触させることを含む請求項４５に記載の方法。
【発明の詳細な説明】
【０００１】
本出願は、ＵＳＳＮ６０／２４２９０１（２０００年１０月２４日出願、前記は参照により本明細書に含まれる）の継続出願である。
本発明は、米国予防衛生研究所が提供するＨＧ００２０５により政府の補助を受けて達成された。合衆国政府は本発明に関して一定の権利を有する。
本発明は、増幅、検出および遺伝子型決定を含む核酸反応を多重処理する新規な方法に関する。本発明は、該当する標的核酸の存在下で環状化され、切断され、続いて増幅されるプレサークルプローブの使用を必要とする。
【０００２】
【従来技術】
ヒトの疾患は、ＤＮＡ多形性または変異と環境因子との複雑な相互作用により発生した。一ヌクレオチド多形性（ＳＮＰ）が遺伝型決定の潜在的に強力な手段として最近認定され、遺伝的付随、遺伝的連関およびマッピング研究の基準としてマイクロサテライトリピート分析にとって代わると予想されている。
ヒトの遺伝学における主要な目的は、ＤＮＡ配列の変動と表現型の変動との間の関係を突きとめることである。これらの研究では、分子の多形性は、通常の減数分裂マッピング、微細構造マッピングおよびハプロタイプ分析にとって必須である。しかしながら、予想されるリファレンスヒトゲノムの配列決定およびヒト全遺伝子の特定のために、複雑な遺伝的疾患の研究は、もし付随や連関の不均衡の研究によってヒトの全ての遺伝子を機能的変種について系統的に調査することができればより効率的になるであろうと考えられる。このためには、ヒトのＤＮＡにおける遺伝的変動（主として、もっとも豊富である一ヌクレオチド多形性（ＳＮＰ））を系統的に見つけ出す技術および方法が要求される。
【０００３】
いくつかの異なるタイプの多形性が報告された。制限フラグメントの長さの多形性（ＲＦＬＰ）は、Ｂｏｔｓｔｅｉｎら（Ａｍ． Ｊ． Ｈｕｍ． Ｇｅｎｅｔ． ３２：３１４−３３１（１９８０））が記載したように、制限フラグメントの長さを変えるＤＮＡ配列における変動を意味する。制限フラグメント長の多形性は制限部位を創出または欠落させ、したがって制限フラグメントの長さを変えることができる。ＲＦＬＰはヒトおよび動物の遺伝子分析に広く用いられている（例えば以下を参照されたい：ＷＯ９０／１３６６８； ＷＯ９０／１１３６９； Ｄｏｎｉｓ−Ｋｅｌｌｅｒ， Ｃｅｌｌ ５１：３１９−３３７（１９８７）； Ｌａｎｄｅｒ ｅｔ ａｌ．， Ｇｅｎｅｔｉｃｓ １２１：８５−９９（１９８９））。ある遺伝性特質を特定のＲＦＬＰと連関させることができるとき、各個体の前記ＲＦＬＰの存在を用いて、前記動物が前記特質を示すであろうという蓋然性を予測することができる。
【０００４】
他の多形性は短い縦並びリピート（ＳＴＲ）の形態を有し、前記には縦列２−、３−および４−ヌクレオチド繰返しモチーフが含まれる。前記縦列リピートはまた不定数縦列リピート（ＶＮＴＲ）多形性とも称される。ＶＮＴＲは個体特定および親子鑑定（Ｕ．Ｓ． Ｐａｔ．５，０７５，２１７； Ａｒｍｏｕｒ ｅｔ ａｌ．， ＦＥＢＳ Ｌｅｔｔ． ３０７：１１３−１１５  （１９９２）； Ｈｏｒｎ ｅｔ ａｌ．， ＷＯ９１／１４００３； Ｊｅｆｆｒｅｙｓ， ＥＰ３７０，７１９）、および多くの遺伝子マッピング実験で用いられる。
【０００５】
他の多形性は、同じ種の個体間での一ヌクレオチド変化の形態をとる。前記のような多形性はＲＦＬＰ、ＳＴＲおよびＶＮＴＲよりもはるかに頻繁に存在する。数個の一ヌクレオチド多形性がタンパク質コード配列に生じ、このような場合には、前記多形性型のあるものは不完全タンパク質または他の変種タンパク質を生じるであろう。別の一ヌクレオチド多形性は非コード領域に生じる。これらの多形性のいくつかはまた、（例えば不完全なスプライシングの結果として）不完全タンパク質または変種タンパク質の発現をもたらすであろう。他の一ヌクレオチド多形性は表現型への影響をもたない。一ヌクレオチド多形性は、他の多形性形態よりも極めて高頻度で発生し、さらにゲノム全体により均一に配置されている。一ヌクレオチド多形性が高頻度および均一的であるということは、前記多形性が他の多形性の場合よりも問題の遺伝子座に極めて接近して見出されるであろうということを意味する。ＳＮＰの存在は、例えば一定の個体群、病的状態、または病的状態への傾向と連関させることができる。
【０００６】
一般的に、多形性は一定の疾患または病的状態の発生に対する感受性と密接に関連する。タンパク質構造における変化を生じる多形性の存在は、一定のタイプまたは“特質”を生じる蓋然性と極めて高い相関性を有する。したがって、対象者の遺伝子型の迅速で安価な決定を可能にする方法が希求される。病的状態発生の可能性の高さと結びつく遺伝子座を早期に特定することによって、早期治療および疾患発生の予防が可能になるであろう。
ゲノム薬理学は、個体の遺伝子型と外来化合物または薬剤に対する前記個体の反応との関係を調べる学問である。治療薬の代謝における相違は、薬理活性を有する薬剤の用量と血中濃度との関係を変化させることによって重大な毒性または治療の不成功をもたらす。したがって、医師は、薬剤のタイプおよび投与量および／または治療計画の決定において対応するゲノム薬理学研究で得られた情報を利用することを考慮するであろう。
【０００７】
ゲノム薬理学は、罹患者における薬剤の性質の変化および薬剤の異常な作用のために生じる薬剤に対する反応の臨床的に重大な遺伝性変化を取り扱う（例えば以下を参照されたい：Ｍ． Ｅｉｃｈｅｌｂａｕｍ ｅｔ ａｌ．（１９９６） Ｃｌｉｎ． Ｅｘｐ． Ｐｈａｒｍａｃｏｌ． Ｐｈｙｓｉｏｌ． ２３（１０−１１）：９８３−９８５； Ｍ．Ｗ． Ｌｉｎｄｅｒ ｅｔ ａｌ．（１９９７） Ｃｌｉｎ． Ｃｈｅｍ． ４３（２）：２５４  −２６６）。一般的に、２つのタイプの遺伝的薬理異常を区別することができる。薬剤が身体に作用する態様を変化させる単一因子として伝達される遺伝的異常（薬剤作用の変化）または身体が薬剤に対して作用する態様を変化させる単一因子として伝達される遺伝的異常（薬剤代謝の変化）である。前記の遺伝的薬理異常は、稀な遺伝的欠損として、または天然に存在する多形性として生じるであろう。例えば、グルコース−６−ホスフェートデヒドロゲナーゼ欠損症（Ｇ６ＰＤ）は一般的な遺伝性酵素病であり、前記疾患の主要な合併症は、酸化剤（抗マラリア薬、スルホンアミド、鎮痛剤、ニトロファラン）摂取後およびファーバビーン（ｆａｖａ ｂｅａｎ）消費後の出血である。したがって、対象者の遺伝子型を決定し、それによって最善の治療を予測することができる迅速で安価な方法が希求される。
【０００８】
したがって、既知の配列の領域内において高処理で非常に低コストでヌクレオチド配列（例えばＳＮＰ）を識別し、多形性遺伝子（例えばＳＮＰ）の対立遺伝子を特定することが希求される。これまでのところ、多形性（例えばＳＮＰ）をスクリーニングするために利用可能な多くの方法が存在する。典型的な遺伝子型の決定方法は３つの基本的工程を含む。第一の工程は標的ＤＮＡの増幅から成る。ヒト遺伝子は３×１０９の塩基対のＤＮＡを含み、ほとんどのアッセイは少数の塩基、特にただ１つの塩基をこのように複雑な混合物から正確に検出するには感度と選択性の両方を欠いているために、標的ＤＮＡの増幅が必要である。結果として、現在用いられているほとんどの方法は、スクリーニングするべき多形性領域を含む数百の塩基領域をＰＣＲを用いて先ず増幅することを必要とする。前記反応は、増幅される各領域（“アンプリコン”）のために２つの固有のプライマーを必要とする。いったんコンプレキシティーを減少させたら、従来用いられている方法での第二の工程は、対立遺伝子を弁別的に標識し、それによって遺伝子型の特定を可能にすることができる。この工程は、いくつかの識別可能なマーカー（例えば蛍光標識、質量タグなど）をアッセイされる塩基に特異的な態様で結合させることを含む。従来用いられている方法の第三の工程は、対立遺伝子を検出し個体の遺伝子型を決定することから成る。検出メカニズムには、蛍光シグナル、蛍光シグナルの偏光、質量タグを特定する質量分光法などが含まれる。
【０００９】
感度、すなわち検出限界は核酸検出系の重大な障害として残されており、多様な技術がこの問題のために開発された。簡単に記せば、これらの技術は標的増幅またはシグナル増幅のいずれかに分類することができる。標的増幅は、検出されるべき標的配列を増幅（すなわち複製）し、標的分子数の顕著に増加させることを必要とする。標的増幅法にはポリメラーゼ連鎖反応（ＰＣＲ）、鎖置換増幅（ＳＤＡ）および核酸配列依存増幅（ｎｕｃｌｅｉｃ ａｃｉｄ ｓｅｑｕｅｎｃｅ ｂａｓｅｄ ａｍｐｌｉｆｉｃａｔｉｏｎ； ＮＡＳＢＡ）が含まれる。
【００１０】
また別には、標的の増幅に代わって、代替技術では鋳型として標的を使用してシグナル発生プローブを複製し、少数の標的分子によって多数のシグナル発生プローブを生成させ、続いて前記プローブを検出することができる。シグナル増幅法には、リガーゼ連鎖反応（ＬＣＲ）、サイクリングプローブ技術（ＣＰＴ）、侵入切断技術（例えばインベーダー（登録商標）技術）、Ｑ−ベータレプリカーゼ（ＱβＲ）技術、および一標的配列と結合するマルチ標識プローブを生じる“増幅プローブ”（例えば“分枝プローブ”）の使用が含まれる。
【００１１】
ポリメラーゼ連鎖反応（ＰＣＲ）は広く用いられ文献に記載されているが、プライマーの伸長をサーモサイクルと組み合わせて使用して標的配列を増幅させることを含む（例えば以下の文献を参照されたい：Ｕ．Ｓ． Ｐａｔ． ４，６８３，１９５； ４，６８３，２０２； ＰＣＲ Ｅｓｓｅｎｔｉａｌ Ｄａｔａ， Ｊ．Ｗ． Ｗｉｌｌｅｙ ＆ ｓｏｎｓ， ｅｄ． Ｃ．Ｒ． Ｎｅｗｔｏｎ， １９９５（前記文献は全て参照により本明細書に含まれる）。さらに、多数の変型ＰＣＲが有り、それらもまた本発明で有用である。前記変型ＰＣＲには、とりわけ“定量的競合ＰＣＲ”または“ＱＣ−ＰＣＲ”、“任意プライムＰＣＲ”（または“ＡＰＰＣＲ”）、“イムノ−ＰＣＲ”、“Ａｌｕ−ＰＣＲ”、“ＰＣＲ一本鎖構造多形性”（または“ＰＣＲ−ＳＳＣＰ”）、対立遺伝子ＰＣＲ（Ｎｅｗｔｏｎ ｅｔ ａｌ． Ｎｕｃｌ． Ａｃｉｄ Ｒｅｓ． １７：２５０３（１９８９）、“逆転写酵素ＰＣＲ”（または“ＲＴ−ＰＣＲ”）、“ビオチン捕捉ＰＣＲ”、“ベクタレットＰＣＲ”、“パンハンドルＰＣＲ”および“ＰＣＲセレクトｃＤＮＡサブトラクション”が含まれる。
【００１２】
鎖置換増幅（ＳＤＡ）は概括的には以下に記載されている：Ｗａｌｋｅｒ ｅｔ ａｌ．， ”Ｍｏｌｅｃｕｌａｒ Ｍｅｔｈｏｄｓ ｆｏｒ Ｖｉｒｕｓ Ｄｅｔｅｃｔｉｏｎ， Ａｃａｄｅｍｉｃ Ｐｒｅｓｓ， Ｉｎｃ．，（１９９５）； Ｕ．Ｓ． Ｐａｔ． ５，４５５，１６６； ５，１３０，２３８（前記全ての文献は参照により本明細書に含まれる）。
核酸配列依存増幅（ＮＡＳＢＡ）は概括的には以下に記載されている：Ｕ．Ｓ． Ｐａｔ． ５，４０９，８１８； ”Ｐｒｏｆｉｔｉｎｇ ｆｒｏｍ Ｇｅｎｅ−ｂａｓｅｄ Ｄｉａｇｎｏｓｔｉｃｓ”， ＣＴＢ Ｉｎｔｅｒｎａｔｉｏｎａｌ Ｐｕｂｌｉｓｈｉｎｇ Ｉｎｃ．， Ｎ．Ｊ．， １９６９（前記文献はともに参照により本明細書に含まれる）。
サイクリングプローブ技術（ＣＰＴ）は、例えばポリメラーゼ連鎖反応（ＰＣＲ）で実施されるような標的増幅ではなくシグナルまたはプローブ増幅を基本にする核酸検出系である。サイクリングプローブ技術は、ＲＮＡの切れやすい結合を含むモル過剰の標識プローブを必要とする。前記プローブと標的とのハイブリダイゼーションに際して、生じたハイブリッドはＲＮＡ：ＤＮＡ部分を含む。このＲＮＡ：ＤＮＡ二重体領域はリボヌクレアーゼＨによって認識され、ＲＮＡが切り出され、プローブの切断をもたらす。前記プローブはこのとき２つのより小さな配列から成り、それらは遊離され、したがって標的は無傷で残され、再度の反応に使用される。未反応プローブは除去され、続いて標識が検出される。ＣＰＴは以下に概括的に記載されている：Ｕ．Ｓ． Ｐａｔ． ５，０１１，７６９； ５，４０３，７１１； ５，６６０，９８８； ４，８７６，１８７； ＰＣＴ公開公報ＷＯ９５／０５４８０； ＷＯ９５／１４１６； ＷＯ９５／００６６７（前記の全ての文献は参照により本明細書に含まれる）。
【００１３】
オリゴヌクレオチド連結アッセイ（ＯＬＡ；時に連結連鎖反応（ＬＣＲ）と称される）は、リガーゼのための鋳型として標的配列を用いて、少なくとも２つのより小さなプローブを１つの長いプローブに連結することを必要とする（概括的に以下を参照されたい：Ｕ．Ｓ． Ｐａｔ． ５，１８５，２４３； ５，６７９，５２４； ５，５７３，９０７； ＥＰ０３２０３０８ Ｂ１； ＥＰ０４３９１８２Ｂ１； ＷＯ９０／０１０６９； ＷＯ８９／１２６９６； ＷＯ８９／０９８３５（前記文献は全て参照により本明細書に含まれる）。
インベーダー（登録商標）技術は、位置特異的態様で核酸を切断する構造特異的ポリメラーゼを必要とする。２つのプローブが用いられる：“インベーダー”プローブおよび“シグナル”プローブである。前記は互いに近接して非相補的なオーバーラップを有する標的配列とハイブリダイズする。酵素は、“テール”を認識することによってオーバーラップを切断し、前記“テール”を標識とともに遊離させる。続いてこの標識が検出される。インベーダー（登録商標）技術は以下に記載されている：Ｕ．Ｓ． Ｐａｔ． ５，８４６，７１７； ５，６１４，４０２； ５，７１９， ０２８； ５，５４１，３１１； ５，８４３，６６９（前記文献は全て参照により本明細書に含まれる）。
【００１４】
これまで用いられてきた方法のいずれも低コストで高処理するためには十分に適切であるとはいえない。前記利用可能な方法の主要な欠点の１つは、多形性分析（すなわち遺伝子型決定）用の比較的単純なＤＮＡ鋳型を生成するポリメラーゼ連鎖反応（ＰＣＲ）におけるその信頼性である。個々の多形性を特定する各アッセイが別々の反応を必要とすることが避けられないこの反応を多重処理することは容易ではない。このことは、必要な数の多形性をスクリーニングするためには数百万の反応を実施する必要があるために、いずれの高処理アッセイも煩雑で高価なものになる。したがって、数千の多形性領域（例えばＳＮＰ）を１つの反応容器で分析し定量することを可能にする、処理量が高く分析コストが安価な方法が必要である。
【００１５】
【発明の内容】
上記で概略した目的にしたがって、本発明は、第一および第二の標的ドメインを含む標的配列をサンプル中で検出する方法を提供する。本方法は、標的配列をプレサークルプローブとハイブリダイズさせ、第一のハイブリダイゼーション複合体を形成することを含む。前記プレサークルプローブは以下を含む：第一の向標的（ｔａｒｇｅｔｉｎｇ）ドメイン、第二の向標的ドメイン、少なくとも第一の万能プライミング部位および切断部位。前記第一および第二の向標的ドメインは前記第一および第二の標的ドメインとハイブリダイズする。第一のハイブリダイゼーション複合体はリガーゼと接触して閉環状プローブを形成し、さらに前記閉環状プローブを前記切断部位で切断して切断されたプローブを生じる。前記切断されたプローブは増幅されて複数のアンプリコンを生成し、前記アンプリコンを検出して、前記サンプル中における前記標的配列の存在を検出する。前記プレサークルプローブは場合によって、第二の万能プライミング部位を含み、さらに第二の接触工程は前記切断されたプローブを第二の万能プライマーと接触させることを含む。前記切断部位は場合によって第一および第二の万能プライミング部位の間に配置される。
【００１６】
さらに、標的配列は、第一および第二の標的ドメインの間にギャップドメインを含むことができる。本方法はさらに、閉環状プローブを生成する前に、伸長酵素および少なくとも１つの審問ＮＴＰと第一のハイブリダイゼーション複合体を接触させる追加工程を含む。また別には、本方法はさらに、前記閉環状プローブを生成する前に、少なくとも１つのギャップオリゴヌクレオチドと前記第一のハイブリダイゼーション複合体を接触させる追加工程を含む。ここで、前記ギャップオリゴヌクレオチドは前記ギャップドメインと完全に相補的な核酸配列を有し、前記アンプリコンの検出によって前記ギャップドメインが特定される。
また別の特徴では、本方法はさらに、前記閉環状プローブの切断の前に一切の直鎖状プレサークルプローブを消化する追加工程を含む。
また別の特徴では、本方法はさらに、前記審問ｄＮＴＰの添加前に一切のｄＮＴＰを分解する追加工程を含む。
【００１７】
さらに別の特徴では、本発明は、第一および第二の標的ドメイン並びに前記第一および第二の標的ドメイン間に存在するギャップドメインを含む標的配列をサンプル中で検出する、以下の工程を含む方法を提供する：
ａ）複数のプレサークルプローブの少なくとも１つを前記標的配列とハイブリダイズさせて複数の第一のハイブリダイゼーション複合体を生成し、前記プレサークルプローブの各々は以下のｉ）からｖｉ）を含み：
ｉ）第一の向標的ドメイン；
ｉｉ）第二の向標的ドメイン；
ｉｉｉ）検出ドメイン；
ｉｖ）少なくとも第一の万能プライミング部位；
ｖ）切断部位；および
ｖｉ）バーコード配列；
（ここで前記複数の第一および第二の向標的ドメインは前記複数の第一および第二の標的ドメインと相補的であり、さらに前記ギャップドメインは前記複数の検出ドメインの少なくとも１つとハイブリダイズする）、
ｂ）前記複数の第一のハイブリダイゼーション複合体をリガーゼと接触させて複数の閉環状プローブを生成し；
ｃ）前記複数の閉環状プローブを前記切断部位で切断して複数の切断プローブを生成し；
ｄ）前記切断プローブを増幅させてアンプリコンを生成し；
ｅ）前記アンプリコンの存在を検出して前記サンプルにおける前記複数の標的配列の存在を検出する。
【００１８】
さらに別の特徴では、本発明は、複数の標的配列をサンプル中で検出する以下の工程を含む方法を提供し、ここで前記複数の標的配列の各々は第一および第二の標的ドメインを含む：
ａ）前記複数の標的配列を複数のプレサークルプローブとハイブリダイズさせて複数の第一のハイブリダイゼーション複合体を生成し、前記プレサークルプローブの各々は以下のｉ）からｖ）を含み：
ｉ）第一の向標的ドメイン；
ｉｉ）第二の向標的ドメイン；
ｉｉｉ）少なくとも第一の万能プライミング部位；
ｉｖ）切断部位；および
ｖ）バーコード；
（ここで前記複数の第一および第二の向標的ドメインは前記複数の第一および第二の標的ドメインとハイブリダイズする）、
ｂ）前記複数の第一のハイブリダイゼーション複合体をリガーゼと接触させて複数の閉環状プローブを生成し；
ｃ）前記複数の閉環状プローブを前記切断部位で切断して複数の切断プローブを生成し；
ｄ）前記切断プローブを増幅させてアンプリコンを生成し；
ｅ）前記アンプリコンの存在を検出して、前記サンプル中における前記複数の標的配列の存在を検出する。
【００１９】
さらに別の特徴では、本発明は、以下の工程を含む、ギャップドメインによって分離されている第一および第二の標的ドメインを含む標的配列中の検出場所に存在する塩基を特定する方法を提供し、ここで前記ギャップドメインは前記検出場所を含む：
ａ）前記標的配列をプレサークルプローブとハイブリダイズさせて第一のハイブリダイゼーション複合体を生成し、前記プレサークルプローブは以下のｉ）からｉｖ）を含み：
ｉ）５´側の第一の向標的ドメイン；
ｉｉ）３´側の第二の向標的ドメイン；
ｉｉｉ）少なくとも第一の万能プライミング部位；および
ｉｖ）切断部位；
（ここで前記第一および第二の向標的ドメインは前記第一および第二の標的ドメインとハイブリダイズする）、
ｂ）前記第一のハイブリダイゼーション複合体をポリメラーゼおよび少なくとも１つの審問ｄＮＴＰと接触させて伸長されたプレサークルプローブを生成し；
ｃ）前記伸長プレサークルプローブおよび前記標的配列を含む前記第一のハイブリダイゼーション複合体をリガーゼと接触させて閉環状プローブを生成し；
ｄ）前記閉環状プローブを前記切断部位で切断して切断プローブを生成し；
ｅ）前記切断プローブを増幅させて複数のアンプリコンを生成し；
ｆ）前記アンプリコンの存在を検出して、前記サンプル中における前記標的配列の存在を検出する。
【００２０】
さらに別の特徴では、本発明は、第一および第二の標的ドメインを含む標的配列をサンプル中で増幅する、以下の工程を含む方法を提供する：
ａ）前記標的配列をプレサークルプローブとハイブリダイズさせて第一のハイブリダイゼーション複合体を生成し、前記プレサークルプローブは以下のｉ）からｉｖ）を含み：
ｉ）第一の向標的ドメイン；
ｉｉ）第二の向標的ドメイン；
ｉｉｉ）少なくとも第一の万能プライミング部位；および
ｉｖ）切断部位；
（ここで前記第一および第二の向標的ドメインは前記複数の第一および第二の標的ドメインとハイブリダイズする）、
ｂ）前記第一のハイブリダイゼーション複合体をリガーゼと接触させて閉環状プローブを生成し；
ｃ）前記閉環状プローブを前記切断部位で切断して切断プローブを生成し；さらに
ｄ）前記切断プローブを増幅させる。
【００２１】
さらに別の特徴では、本発明は、第一および第二の標的ドメインを含む標的配列をサンプル中で検出する、以下の工程を含む方法を提供する：
ａ）前記標的配列をプレサークルプローブとハイブリダイズさせて第一のハイブリダイゼーション複合体を生成し、前記プレサークルプローブは以下のｉ）からｉｉｉ）を含み：
ｉ）第一の向標的ドメイン；
ｉｉ）第二の向標的ドメイン；および
ｉｉｉ）少なくとも第一の万能プライミング部位；
（ここで前記第一および第二の向標的ドメインは前記第一および第二の標的ドメインとハイブリダイズする）、
ｂ）前記第一のハイブリダイゼーション複合体をリガーゼと接触させて閉環状プローブを生成し；
ｃ）前記閉環状プローブを少なくとも第一の万能プライマー、伸長酵素およびｄＮＴＰと接触させて伸長生成物を生成し；
ｄ）前記伸長生成物を増幅させてアンプリコンを生成し；
ｅ）前記アンプリコンを検出して、前記サンプル中における前記標的配列の存在を検出する。
【００２２】
【発明の実施の形態】
本発明は、増幅、検出および遺伝子型決定反応、特にポリメラーゼ連鎖反応（ＰＣＲ）（ただし本明細書に記載するように多様な増幅技術を用いることができる）を多重処理する新規な方法を目的とする。当業者には理解されるところであるが、使用可能な種々の構成およびアッセイがある。一般的には本発明は以下に示すとおりで、図面では一般的に表されている。概して２つの方法論、“一段階”工程および“二段階”工程が存在する。
【００２３】
“一段階”工程は一般的に以下のように説明することができる。第一および第二の標的ドメインを含むサンプルの標的配列にプレサークルプローブを添加してハイブリダイゼーション複合体を生成する。下記でさらに詳しく概略するように、標的配列中のこれらの標的ドメインは直に接していてもよいし、または１つもしくは２つ以上のヌクレオチドのギャップによって分離されていてもよい。前記プレサークルプローブは、第一および第二の向標的ドメインをその末端に含み、前記ドメインは前記標的配列の標的ドメインと実質的に相補的である。前記プレサークルプローブは、１つまたは場合によって２つ以上の万能プライミング部位（前記部位は切断部位によって分離されてある）およびバーコード配列を含む。標的配列の標的ドメイン間にギャップが存在せず、さらにプレサークルプローブの５´および３´ヌクレオチドが標的ドメインの結合部の対応する塩基と完全に相補的である場合、前記プレサークルプローブの５´および３´ヌクレオチドは互いに“接端”してあり、リガーゼを用いて連結して閉環状プローブを生成することができる。核酸分子の５´および３´末端は、リガーゼおよび適切な条件の存在下でそれらが共有結合を形成することができるほど十分に近接してあるとき互いに“接端”しているという。
【００２４】
本方法は、プレサークルプローブの２つの向標的ドメインが標的鎖とハイブリダイズする場合、さらにつながれる２つの塩基に完全な相補性が存在する場合、前記２つの向標的ドメインは、接端するように優先的に連結させることができるという事実を根拠としている。前記末端の完全な相補性は、２つの末端がつながれ閉環状プローブを生成できる連結物質の生成を可能にする。前記のような相補性が存在しない場合、連結物質は生成されず、プローブは評価できるほどには連結されないであろう。
【００２５】
いったんプレサークルプローブがつながれたら、非連結プレサークルプローブおよび／または標的配列は場合によって除去または不活化される。続いて閉環状プローブが切断部位での切断によって直鎖状にされ、前記切断プローブの新しい末端に万能プライミング部位を含む切断プローブを生じる。万能プライマー、例えばポリメラーゼのような伸長酵素およびＮＴＰの添加によって切断プローブを増幅させアンプリコンを生成する。これらのアンプリコンは多様な方法で検出することができる。例えば、バーコード配列を用いる場合は、当分野で周知のようにバーコードを含むアンプリコンを万能バイオチップアレイに添加することができる（ただし、当業者には理解されるところであるが、溶液相アッセイを含む他の多数の検出方法も実施することができる）。
【００２６】
好ましい実施態様では、標的配列の標的ドメイン間にはギャップが存在する。遺伝子型決定反応の場合は一ヌクレオチドギャップが存在し、前記は検出場所、例えばＳＮＰの位置を構成する。ただ１つのタイプのｄＮＴＰおよびポリメラーゼをハイブリダイゼーション複合体へ添加することによって、もし前記ｄＮＴＰが前記検出場所の塩基と完全に相補的である場合、前記ギャップは“充填”される。前記ｄＮＴＰを場合によって除去し、リガーゼを添加して閉環状プローブを生成する。切断、増幅および検出は上記のように進行させる。
また別には、標的ドメインの間には２つ以上のヌクレオチドを含むギャップがあってもよい。下記でさらに詳細に説明するが、この場合は、複数のｄＮＴＰ（図３Ｃに一般的に記載されているような“ギャップオリゴヌクレオチド”）または図３Ｄに一般的に示したように“フラップ”をもつプレサークルプローブのどちらかを用いて反応を完成させることができる。
【００２７】
“二段階”プロセスは上記に概略した工程と類似している。しかしながら、この実施態様ではプレサークルプローブを環状化した後でただ１つの万能プライマーが（ポリメラーゼおよびｄＮＴＰの存在下で）添加され、それによって前記閉環状プローブの、新しい末端を有する直鎖状コピーが生成される。前記“二段階”プロセスは、その後に続く増幅反応から生じる望ましくないバックグラウンドシグナルを減少させるために特に有利である。これは、切断されたときにいずれのプローブの増幅も防止する切断部位をプレサークルプローブ内にデザインすることによって達成することができる。さらに別のバックグラウンドを減少させるプロセスもまた本発明の組成物または方法に取り込むことが可能で、本明細書でさらに詳細に考察される。
【００２８】
本発明の方法は、多数のプローブ間の交差ハイブリダイゼーションおよび相互反応（これは望ましくないバックグラウンド増幅をもたらす）に付随する問題を減少させるために特に有利である。プレサークルプローブを環状化させ、エキソヌクレアーゼで反応物を処理することによって、直鎖状核酸は分解され、したがって増幅反応に加わることができない。これにより、本発明の方法は、直鎖状プローブを必要とする他の増幅方法よりも強靭で、多重処理が可能である。
したがって、本発明は、標的核酸配列をサンプル中で検出し、定量し、および／または遺伝子型を決定する組成物および方法を提供する。一般的に、本明細書で述べる遺伝子型の決定方法はヌクレオチドの置換の検出に関連するが、当業者には理解されるように欠失、挿入、倒置などもまた検出することができる。
【００２９】
当業者には理解されるところであるが、サンプル溶液は多数の物質を含むことができる。前記には、実質的に任意の生物の体液（血液、尿、血清、リンパ、唾液、肛門および膣分泌物、汗および精液が含まれるが、ただしこれらに限定されない）または固形組織サンプル（哺乳類のサンプルが好ましく、ヒトのサンプルが特に好ましい）；環境サンプル（大気、農業、水および土壌のサンプルが含まれるが、ただしこれらに限定されない）；生物兵器サンプル；研究サンプル；精製サンプル（例えば精製または未加工ゲノムＤＮＡ、ＲＮＡ、タンパク質など）；未加工サンプル（細菌、ウイルス、ゲノムＤＮＡ、ｍＲＮＡなど）が含まれるが、ただしこれらに限定されない。当業者には理解されるところであるが、実質的に任意の実験的処理をサンプルに施すことができる。
【００３０】
鋳型核酸の供給源に関して制限はなく、真核細胞［例えば哺乳類（例えばヒト、マウス、ヒツジ、ウシ）または植物］由来でも、または原核細胞（例えば細菌、原虫）由来でも、ウイルス由来でもよい。
核酸標本は、“侵襲的”または“非侵襲的”サンプリング手段のいずれかを用いて分析されるべき個々の種から入手できる。サンプリング手段が、動物（特にネズミ、ヒト、ヒツジ、ウマ、ウシ、ブタ、イヌ、ネコを含む）の皮膚または器官内から核酸を採集することを必要とする場合は、前記手段は“侵襲的”であると称される。侵襲的な方法の例には、血液採取、精液採取、注射針生検、胸膜吸引、臍帯生検などが含まれる。前記方法の例は以下によって考察されている：Ｃ．Ｈ． Ｋｉｍ ｅｔ ａｌ．， Ｊ． Ｖｉｒｏｌ． ６６：３８９７−３８８２（１９９２）； Ｂ． Ｂｉｓｗａｓ ｅｔ ａｌ．， Ａｎｎａｌｓ ＮＹ Ａｃａｄ． Ｓｃｉ． ５９０：５８２−５８３（１９９０）； Ｂ． Ｂｉｓｗａｓ ｅｔ ａｌ．， Ｊ． Ｃｌｉｎ． Ｍｉｃｒｏｂｉｏｌ． ２９：２２２８−２２３３（１９９１）。
【００３１】
対照的に、“非侵襲的”サンプリング手段は、核酸分子が動物の内部表面または外部表面から回収される手段である。そのような“非侵襲的”サンプリング手段の例には、涙、唾液、尿、糞便、汗の“綿棒ぬぐい”採集、毛髪などが含まれる。本明細書で用いられるように、“綿棒ぬぐい”とは、生細胞、表面の残屑および／または死細胞もしくは剥げ落ちた細胞または細胞屑の採集に十分な態様で吸着物質を表面に含むアプリケーターおよび／または採集具（“綿棒”）を接触させることを意味する。そのような採集は、鼻、口、直腸、膣または耳の開口部を綿棒でぬぐうか、皮膚または涙管と接触させるか、毛包を採集するなどして実施できる。
核酸標本の単離方法は当分野では公知で、単離される核酸のタイプによって左右される。核酸がＲＮＡの場合は、ＲＮＡの分解を回避するように注意しなければならない（例えばＲＮＡｓｉｎの含有などによる）。例えば、ゲノムＤＮＡは、ヒトの細胞から例えば米国特許第６０２７８８９号に記載されたように調製できる。
【００３２】
本発明は、遺伝子型決定および／またはサンプル中における標的核酸の有無の検出を目的とする組成物および方法を提供する。本明細書の“核酸”または“オリゴヌクレオチド”とは、共有結合された少なくとも２つのヌクレオチドを意味する。本発明の核酸は一般的にはホスホジエステル結合を含むであろうが、いくつかの事例（例えばプローブのデザインの場合）には、下記に概略するように、また別の例えば以下を含む骨格を有する核酸類似体も含まれる：ホスホルアミド（Ｂｅａｕｃａｇｅ ｅｔ ａｌ．， Ｔｅｔｒａｈｅｄｒｏｎ ４９（１０）：１９２５（１９９３）およびその中の引用文献； ｌｅｔｓｉｎｇｅｒ， Ｊ． Ｏｒｇ． Ｃｈｅｍ． ３５：３８００（１９７０）； Ｓｐｉｎｚｌ ｅｔ ａｌ．， Ｅｕｒ． Ｊ． Ｂｉｏｃｈｅｍ． ８１：５７９（１９７７）； Ｌｅｔｓｉｎｇｅｒ ｅｔ ａｌ．， Ｎｕｃｌ． Ａｃｉｄｓ Ｒｅｓ． １４：３４８７（１９８６）； Ｓａｗａｉ ｅｔ ａｌ．， Ｃｈｅｍ． Ｌｅｔｔ． ８０５（１９８４）； Ｌｅｔｓｉｎｇｅｒ ｅｔ ａｌ．， Ｊ． Ａｍ． Ｃｈｅｍ． Ｓｏｃ． １１０：４４７０（１９８８）； Ｐａｕｗｅｌｓ ｅｔ ａｌ．， Ｃｈｅｍｉｃａ Ｓｃｒｉｐｔａ ２６：１４１９（１９８６））、ホスホロチオエート（Ｍａｇ ｅｔ ａｌ．， Ｎｕｃｌｅｉｃ Ａｃｉｄｓ Ｒｅｓ． １９：１４３７（１９９１）； Ｕ．Ｓ． Ｐａｔ． Ｎｏ．５，６４４，０４８）、ホスホロジチオエート（Ｂｒｉｕ ｅｔ ａｌ．， Ｊ． Ａｍ． Ｃｈｅｍ． Ｓｏｃ． １１１：２３２１（１９８９））、Ｏ−メチルホスホロアミダイト結合（Ｅｃｋｓｔｅｉｎ， ”Ｏｌｉｇｏｎｕｃｌｅｏｔｉｄｅｓ ａｎｄ Ａｎａｌｏｇｕｅｓ： Ａ Ｐｒａｃｔｉｃａｌ Ａｐｐｒｏａｃｈ”， Ｏｘｆｏｒｄ Ｕｎｉｖｅｒｓｉｔｙ Ｐｒｅｓｓ）並びにペプチド核酸骨格および結合（Ｅｇｈｏｌｍ， Ｊ． Ａｍ． Ｃｈｅｍ． Ｓｏｃ． １１４：１８９５（１９９２）； Ｍｅｉｅｒ ｅｔ ａｌ．， Ｃｈｅｍ． Ｉｎｔ． Ｅｄ． Ｅｎｇｌ． ３１：１００８（１９９２）； Ｎｉｅｌｓｅｎ， Ｎａｔｕｒｅ ３６５：５６６（１９９３）； Ｃａｒｌｓｓｏｎ ｅｔ ａｌ．， Ｎａｔｕｒｅ ３８０：２０７（１９９６））（前記全ての文献は参照により本明細書に含まれる）。
【００３３】
他の核酸類似体には、正の骨格をもつもの（Ｄｅｎｐｃｙ ｅｔ ａｌ．， Ｐｒｏｃ． Ｎａｔｌ． Ａｃａｄ． Ｓｃｉ． ＵＳＡ ９２：６０９７（１９９５）； 非イオン性骨格をもつもの（Ｕ．Ｓ． Ｐａｔ． Ｎｏ．５，３８６，０２３， Ｎｏ．５，６３７，６８４， Ｎｏ．５，６０２，２４０， Ｎｏ．５，２１６，１４１， Ｎｏ．４，４６９，８６３； Ｋｉｅｄｒｏｗｓｈｉ ｅｔ ａｌ．， Ａｎｇｅｗ． Ｃｈｅｍ． Ｉｎｔｌ． Ｅｄ． Ｅｎｇｌｉｓｈ ３０：４２３（１９９１）； Ｌｅｔｓｉｎｇｅｒ ｅｔ ａｌ．， Ｊ． Ａｍ． Ｃｈｅｍ． Ｓｏｃ． １１０：４４７０（１９８８）； Ｌｅｔｓｉｎｇｅｒ ｅｔ ａｌ．， Ｎｕｃｌｅｏｓｉｄｅ ＆ Ｎｕｃｌｅｔｉｄｅ １３：１５９７（１９９４）； ＡＳＣ Ｓｙｍｐｏｓｉｕｍ Ｓｅｒｉｅｓ ５８０， ”Ｃａｒｂｏｈｙｄｒａｔｅ Ｍｏｄｉｆｉｃａｔｉｏｎｓ ｉｎ Ａｎｔｉｓｅｎｓｅ Ｒｅｓｅａｒｃｈ”， Ｃｈａｐｔｅｒ ２ ａｎｄ ３， Ｅｄ． Ｙ．Ｓ． Ｓａｎｇｈｕｉ ＆ Ｐ． Ｄａｎ Ｃｏｏｋ； Ｍｅｓｍａｅｋｅｒ ｅｔ ａｌ．， Ｂｉｏｏｒｇａｎｉｃ ＆ Ｍｅｄｉｃａｌ Ｃｈｅｍ． Ｌｅｔｔ． ４：３９５（１９９４）； Ｊｅｆｆｓ ｅｔ ａｌ．， Ｊ． Ｂｉｏｍｏｌｅｃｕｌａｒ ＮＭＲ ３４：１７（１９９４）； Ｔｅｔｒａｈｅｄｒｏｎ Ｌｅｔｔ． ３７：７４３（１９９６））および非リボース骨格をもつもの（以下に記載されたものを含む：Ｕ．Ｓ． Ｐａｔ Ｎｏ．５，２３５，０３３， Ｎｏ．５，０３４，５０６： ＡＳＣ Ｓｙｍｐｏｓｉｕｍ Ｓｅｒｉｅｓ ５８０， ”Ｃａｒｂｏｈｙｄｒａｔｅ Ｍｏｄｉｆｉｃａｔｉｏｎｓ ｉｎ Ａｎｔｉｓｅｎｓｅ Ｒｅｓｅａｒｃｈ”， Ｃｈａｐｔｅｒ ２ ａｎｄ ３， Ｅｄ． Ｙ．Ｓ． Ｓａｎｇｈｕｉ ＆ Ｐ． Ｄａｎ Ｃｏｏｋ）が含まれる。１つまたは２つ以上の炭素環式糖を含む核酸もまた核酸の定義内に含まれる（Ｊｅｎｋｉｎｓ ｅｔ ａｌ．， Ｃｈｅｍ． Ｓｏｃ． Ｒｅｖ． （１９９５） ｐｐ１６９−１７６）。いくつかの核酸類似体が以下の文献に記載されている：Ｒａｗｌｓ， Ｃ ＆ Ｅ Ｎｅｗｓ， Ｊｕｎｅ ２， １９９７ ｐａｇｅ ３５。前記文献は全て参照により本明細書に含まれる。リボース−リン酸骨格のこのような改変は、標識の添加を容易にするために、またはそのような改変分子の生理学的環境における安定性および半減期を高めるために実施することができる。
当業者には理解されるところであるが、これら核酸類似体のいずれも本発明で有用であろう。さらに、天然に存在する核酸および類似体の混合物を製造することができる。また別に、種々の核酸類似体の混合物および天然に存在する核酸および類似体の混合物を製造してもよい。
【００３４】
核酸は指定のとおりに一本鎖でも二本鎖でもよく、または二本鎖配列と一本鎖配列の両方の部分を含んでいてもよい。核酸はＤＮＡでも、ゲノムＤＮＡおよびｃＤＮＡの両方、ＲＮＡまたはハイブリッドでもよい。ハイブリッドの場合、核酸はデオキシリボヌクレオチドおよびリボヌクレオチドの任意の組み合わせ、および塩基（ウラシル、アデニン、チミン、シトシン、グアニン、イノシン、キサタニン、ヒポキサタニン、イソシトシン、イソグアニンなどを含む）の任意の組み合わせを含む。好ましい実施態様では、下記でより完全に説明するとおり、ある割合のウラシルを含む核酸プローブが用いられる。ある実施態様では、標的配列ではなく他のプローブに対して相補的であるようにデザインした核酸でイソシトシンおよびイソグアニンが用いられ、これによって、米国特許第５６８１７０２号に一般的に記載されたように非特異的ハイブリダイゼーションが減少する。本明細書で用いられるように、“ヌクレオシド”という用語には、ヌクレオシドおよびヌクレオチド類似体と同様にヌクレオチドおよび改変ヌクレオシド（例えば標識ヌクレオシド）が含まれる。さらに、“ヌクレオシド”には天然には存在しない類似体構造物も含まれる。したがって、例えばペプチド核酸の個々のユニット（各々が塩基を含む）は、本明細書ではヌクレオシドと称される。同様に、“ヌクレオチド”（本明細書では時に“ＴＮＰ”と略記される）にはリボ核酸およびデオキシリボ核酸（本明細書では時に“ｄＮＴＰ”と略記される）の両方が含まれる。下記の多くの記述では“ｄＮＴＰ”という用語を用いているが、多くの事例でＮＴＰが鋳型および酵素にしたがって代用できることは特記されよう。
【００３５】
本発明の組成物および方法は標的配列の検出を目的とする。本明細書の“標的配列”または“標的核酸”という用語は、一本鎖核酸の核酸配列を意味する。標的配列は、遺伝子の一部分、調節配列、ゲノムＤＮＡ、ｃＤＮＡ、ＲＮＡ（ｍＲＮＡおよびｒＲＮＡを含む）または他のものであろう。ここに概略するように、標的配列は、サンプルの標的配列、または二次標的、例えば遺伝子決定反応または増幅反応の生成物、例えばつながれた環状化プローブ、増幅反応のアンプリコン（例えばＰＣＲ）などであろう。したがって、例えば、サンプルの標的配列は増幅されて二次標的（アンプリコン）を生成し、前記が検出される。また別には、下記にさらに完全に説明するように、増幅させることができるものはプローブ配列であるが、ただしこれは一般的には好ましくない。標的配列はどのような長さでもよいが、より長い配列はより特異性を有することは理解されよう。当業者には理解されるところであるが、相補的標的配列は多くの形態をとることができる。例えば、前記はより大きな核酸配列（すなわち遺伝子またはｍＲＮＡの全部または一部分、とりわけプラスミドまたはゲノムＤＮＡの制限フラグメント）内に含まれてあってもよい。下記にさらに完全に説明するように、プローブは標的配列とハイブリダイズするように作製され、サンプル中の標的配列の存在または量が決定される。一般的に言えば、前記関係は当業者には理解されるところである。好ましい標的配列はサイズが約２０から約１００００００、より好ましくは約５０から約１００００で、約４０から約５００００がもっとも好ましい。
【００３６】
必要な場合には、標的配列は公知の技術を用いて調製される。例えば、サンプルは、公知の溶解緩衝液、音波破砕、エレクトロポレーションなどを用いて処理して細胞を溶解し、必要な場合には当業者には理解されるところであるが下記に概略するように精製および増幅することができる。さらに、本明細書に概略するように、反応は、当業者には理解されるところであるが多様な方法で実施することができる。反応成分は、同時にまたは任意の順序で連続的に添加できるが、好ましい実施態様は下記に概略される。さらに反応には、アッセイに含むことができる他の多様な試薬を包含させることができる。前記試薬には、塩、緩衝剤、中性タンパク質（例えばアルブミン）、洗剤などの試薬が含まれ、前記試薬を用いて、最適なハイブリダイゼーションおよび検出を容易にし、および／または非特異的なバックグラウンドの相互反応を減少させることができる。さらにまた、その他の点でアッセイ効率を改善する試薬、例えばプロテアーゼインヒビター、ヌクレアーゼインヒビター、抗菌剤などを、サンプルの調製方法および標的の純度に応じて用いることができる。
【００３７】
さらに、ほとんどの実施態様では、二本鎖の標的核酸を変性させて一本鎖にし、それによってプライマーおよび本発明の他のプローブとのハイブリダイゼーションを可能にする。好ましい実施態様では、熱工程、一般的には反応温度を約９５℃に上昇させることによる熱工程が利用されるが、ｐＨ変化または他の技術も用いることができる。
さらに、いくつかの事例では、例えばゲノムＤＮＡを用いる場合には、前記は例えば沈澱またはサイズ排除技術を用いて捕捉することができる。また別には、ＤＮＡを周知の技術、例えば水力せん断または制限エンドヌクレアーゼを用いて化工処理し、均一な長さのフラグメントを得ることができる。
【００３８】
本発明の標的配列は、一般的には少なくとも第一および第二の標的ドメインを含む。標的ドメインは標的配列の部分である。一般的には、各標的ドメインは任意の長さでよいが、より長い配列がより特異的であることは理解されよう。プローブにおける標的ドメインの最適な長さは、その領域のＧＣ含有量および前記領域の二次構造を含む因子によって左右される。考慮されることは、プライマーとして使用される適切な配列を特定するために考慮されることと同様で、下記でさらに説明する。プローブの長さおよびＧＣ含有量は、ハイブリッドのＴｍ、したがってプローブと鋳型核酸との特異的なハイブリダイゼーションに必要なハイブリダイゼーション条件を決定するであろう。これらの因子は当業者には周知で、アッセイでもテストすることができる。核酸のハイブリダイゼーションのための広範囲の手引きは以下の文献で見出すことができる：Ｔｉｊｓｓｅｎ （１９９３）， ”Ｌａｂｏｒａｔｏｒｙ Ｔｅｃｈｎｉｑｕｅｓ ｉｎ ｂｉｏｃｈｅｍｉｓｔｒｙ ａｎｄ ｍｏｌｅｃｕｌａｒ ｂｉｏｌｏｇｙ−ｈｙｂｒｉｄｉｚａｔｉｏｎ ｗｉｔｈ ｎｕｃｌｅｉｃ ａｃｉｄ ｐｒｏｂｅｓ”。一般的には、ある限定イオン強度およびｐＨで個々の配列について熱溶融点（Ｔｍ）より約５℃低くなるようにストリンジェントな条件は選択される。
【００３９】
Ｔｍは、完全にマッチしたプローブと標的配列の５０％が（限定イオン強度およびｐＨの下で）ハイブリダイズする温度である。高ストリンジェントな条件は、特定のプローブに対するＴｍ点が等しいように選択される。時には、“Ｔｄ”という用語が、少なくとも半分のプローブが完全にマッチした標的核酸から解離する温度を示すために用いられる。いずれの場合にも、ＴｍまたはＴｄを概算するために多様な概算技術を用いることができる。前記は上掲書（Ｔｉｊｓｓｅｎ）に一般的に記載されている。典型的には、約８０−１００℃の理論的最高値までデュープレックス中のＧ−Ｃ塩基対はＴｍに対して約３℃寄与するとして概算され、一方、Ａ−Ｔ塩基対は約２℃寄与すると概算される。しかしながら、ＴｍおよびＴｄのもっと複雑なモデルが利用可能であり適切である。前記モデルでは、Ｇ−Ｃ重積作用、溶媒の影響、所望のアッセイ温度などが考慮される。例えばプローブは、以下の式を用いて約６０℃の解離温度（Ｔｄ）をもつようにデザインできる：
Ｔｄ＝（（（（（３×＃ＧＣ）＋（２×＃ＡＴ））×３７）−５６２）／＃ｂｐ）−５；
式中、＃ＧＣ、＃ＡＴおよび＃ｂｐは、鋳型ＤＮＡとプローブのアニーリングに含まれる、それぞれグアニン−シトシン塩基対の数、アデニン−チミン塩基対の数および全塩基対の数である。
【００４０】
完全にマッチしたデュープレックスおよびミスマッチのデュープレックスとの間の安定性の相違は、特に前記ミスマッチが一塩記のみである場合は、前記２つの間のＴｍの相違がわずかに０．５℃であるのと対応して極めて小さいであろう（例えば以下を参照されたい：Ｎ． Ｔｉｂａｎｙｅｎｄａ ｅｔ ａｌ．， Ｅｕｒ． Ｊ． Ｂｉｏｃｈｅｍ． １３９１９ （１９８４）； Ｓ． Ｅｂｅｌ ｅｔ ａｌ．， Ｂｉｏｃｈｅｍ． ３１：１２０８３（１９９２））。より重要なことには、相同な領域の長さが増すにつれ、全デュープレックスの安定性に対する一塩記のミスマッチの影響は減少するということは理解されよう。したがって、プローブと標的ドメインとの間にミスマッチが存在する可能性がある場合、プローブがより長い標的ドメインを含むことが推奨されるであろう。
【００４１】
したがって、プローブの特異性および選択性は、標的ドメインについて適切な長さおよび適切なハイブリダイゼーション条件を選択することによって調節できる。鋳型核酸がゲノムＤＮＡ（例えば哺乳類のゲノムＤＮＡ）である場合、標的ドメインの選択性は、ゲノムＤＮＡから直接処理することを可能にするために、３×１０９の大きさの正確な塩基を特定するために十分に高くなければならない。しかしながら、ゲノムＤＮＡの一部分が残りのＤＮＡから先ず分離される、例えば１つまたは２つ以上の染色体が残りの染色体から分離される状況下では、プローブの選択性または特異性の重要性は小さい。
【００４２】
プローブの長さ、したがってハイブリダイゼーション条件はまた、１つのプローブが鋳型核酸とハイブリダイズされるか、またはいくつかのプローブがハイブリダイズされるかによっても変動するであろう。いくつかのプローブが用いられる場合、さらに全てのプローブを鋳型核酸に同時にハイブリダイズさせる場合、種々のプローブの標的ドメインを、それらのＴｍおよび／またはＴｄが同じになるように、それら全てのプローブが鋳型核酸と特異的にハイブリダイズするようにデザインするのが望ましい。これらの条件は、上記で述べた因子をプライマーに関して述べた因子と同様に考慮することによって、当業者が決定することができる。
【００４３】
しかしながらプレサークルプローブの長さのために、各標的ドメインは約５塩基から約１００塩基のサイズ範囲で、約５から約４０のサイズ範囲が特に好ましい。当業者には理解されるところであるが、標的ドメインは同じ長さでも異なる長さでもよく、大きく異なるＴｍを有していてもよい。“第一”および“第二”という用語は、標的配列の５´−３´方向に対して配列の向きを定めることを意味しない。例えば、相補的な標的配列の５´−３´の向きを仮に定めた場合、第一の標的ドメインは第二のドメインに対して５´側に配置されていても、または第二のドメインに対して３´側に配置されてあってもよい。
本明細書に概略するように、標的ドメインは隣接（すなわち連続）してあっても、または分離されてあってもよい（すなわち“ギャップ”によって）。分離されている場合は、標的ドメインは、一ヌクレオチドまたは複数のヌクレオチド（１から約２０００が好ましく、１から約５００が特に好ましい）によって分離できる。ただし当業者には理解されるところであるが、もっと長いギャップもいくつかの実施態様では有用であろう。
【００４４】
好ましい実施態様では例えば遺伝子型決定の場合、下記にさらに完全に説明するが、標的配列は遺伝情報が所望される位置（本明細書では一般的には“検出場所”と称される）を含む。特に好ましい実施態様では、検出場所は一ヌクレオチドである。ただし別の実施態様では、検出場所は、互いに連続してあるか、または１つまたは２つ以上のヌクレオチドによって分離されてある複数のヌクレオチドを含むことができる。本明細書で用いられるように“複数”とは少なくとも２つを意味する。本明細書で用いられるように、標的内の検出場所の塩基を有する塩基対の塩基は“審問場所”と称される。一ヌクレオチドギャップが用いられる事例では、検出場所と完全な相補性を有するＮＴＰは“審問ＮＴＰ”と称される。
【００４５】
“ミスマッチ”とは、比較の用語であり、さらに同定場所（本明細書では“検出場所”と称される）の塩基の同一性が２つの配列間で相違することを示すことがここでは特記されるべきである。一般的に、野生型と異なる配列はミスマッチと称される。しかしながら、さらにＳＮＰの場合には特に、何が“野生型”を構成するかは、集団内に多数の対立遺伝子が比較的頻繁に観察されるので決定が困難であり、したがってこの場合の“ミスマッチ”は標準物として１つの配列の人為的採用を必要とする。したがって、本発明の目的のために、配列は本明細書では“完全なマッチ”および“ミスマッチ”と称される。“ミスマッチ”はまた時には“対立遺伝子変種”とも称される。“対立遺伝子”（本明細書では“対立遺伝子変種”と互換的に用いられる）という用語は、遺伝子またはその部分のまた別の形態を指す。対立遺伝子は、相同染色体の同じ遺伝子座または場所を占める。対象者がある遺伝子で２つの同一の対立遺伝子を有するとき、前記対象者は前記遺伝子または対立遺伝子についてホモ接合であると称される。対象者がある遺伝子で２つの異なる対立遺伝子を有するとき、前記対象者は前記遺伝子についてヘテロ接合であると称される。ある特定の遺伝子の対立遺伝子は、一ヌクレオチドまたは数ヌクレオチドが互いに異なっていることが可能で、ヌクレオチドの置換、欠失および挿入を含むことができる。ある遺伝子のある対立遺伝子はまた変異を含む遺伝子形であってもよい。“遺伝子の多形性領域の対立遺伝子変種”という用語は、同じ種の他の個体の前記遺伝子の前記領域で見出されるいくつかのヌクレオチド配列の１つを有する遺伝子領域を指す。
【００４６】
本発明は、本明細書に記載するように、標的配列とハイブリダイズするプレサークルプローブを提供する。一般的に、本発明のプローブは、標的配列（サンプルの標的配列または、本明細書に記載されるように他のプローブの配列、例えば万能プライマーおよびバーコード）と相補的であるようにデザインされ、それによって標的と本発明のプローブのハイブリダイゼーションが生じる。この相補性は完全である必要はなく、任意の数の塩基対のミスマッチが存在し、前記ミスマッチは標的配列と本発明の一本鎖核酸との間のハイブリダイゼーションに干渉するであろう。しかしながら、変異の数が非常に大きくてハイブリダイゼーションがもっとも低いストリンジェントな条件下でさも生じない場合は、前記配列は相補的な標的配列ではない。したがって、本明細書で“実質的に相補的”という場合、プローブは、選択された反応条件下でハイブリダイズするために十分に相補的であることを意味する。
【００４７】
本発明では、中等度および低ストリンジェント条件を含む多様なハイブリダイゼーション条件を用いることができる（例えば以下の文献を参照されたい：Ｍａｎｉａｔｉｓ ｅｔ ａｌ．， Ｍｏｌｅｃｕｌａｒ Ｃｌｏｎｉｎｇ： Ａ Ｌａｂｏｒａｔｏｒｙ Ｍａｎｕａｌ， ２ｎｄ Ｅｄｉｔｉｏｎ， １９８９； Ｓｈｏｒｔ Ｐｒｏｔｏｃｏｌｓ ｉｎ Ｍｏｌｅｃｕｌａｒ Ｂｉｏｌｏｇｙ， ｅｄ． Ａｕｓｕｂｅｌ ｅｔ ａｌ．（前記文献は参照により本明細書に含まれる））。ストリンジェントな条件は配列によって変動し、別の環境下ではまた異なるであろう。 より長い配列はより高い温度で特異的にハイブリダイズする。核酸のハイブリダイゼーションについての広範囲の手引きは以下の文献で見出される：Ｔｉｊｓｓｅｎ， Ｔｅｃｈｎｉｑｕｅｓ ｉｎ Ｂｉｏｃｈｅｍｉｓｔｒｙ ａｎｄ Ｍｏｌｅｃｕｌａｒ ＢｉｏｌｏｇｙＨｙｂｒｉｄｉｚａｔｉｏｎ ｗｉｔｈ Ｎｕｃｌｅｉｃ Ａｃｉｄ Ｐｒｏｂｅｓ， ”Ｏｖｅｒｖｉｅｗ ｏｆ ｐｒｉｎｃｉｐｌｅｓ ｏｆ ｈｙｂｒｉｄｉｚａｔｉｏｎ ａｎｄ ｔｈｅ ｓｔｒａｔｅｇｙ ｏｆ ｎｕｃｌｅｉｃ ａｃｉｄ ａｓｓａｙｓ” （１９９３）。一般的に、ストリンジェントな条件は、ある限定イオン強度およびｐＨで特定の配列についてその熱溶融点（Ｔｍ）より約５から１０℃低くなるように選択される。
【００４８】
前記Ｔｍとは、（限定イオン強度、ｐＨおよび核酸濃度下で）、標的と相補的なプローブの５０％が、前記標的と平衡状態でハイブリダイズする温度である（標的配列が過剰に存在するとき、Ｔｍではプローブの５０％が平衡状態で占有されている）。ストリンジェントな条件は以下のようなものであろう：塩濃度は約１．０Ｍ未満のナトリウムイオン、典型的には約０．０１から１．０Ｍのナトリウムイオン濃度（または他の塩）、ｐＨは７．０から８．３、温度は、短いプローブ（例えば１０から５０ヌクレオチド）では少なくとも約３０℃で、長いプローブ（例えば５０ヌクレオチドよりも大きい）では少なくとも約６０℃である。ストリンジェントな条件はまた、らせん脱安定化剤（例えばホルムアミド）の添加により達成できる。ハイブリダイゼーション条件はまた、当分野で公知のように非イオン性骨格（すなわちＰＮＡ）が用いられるときに変動するであろう。さらに、架橋剤は標的結合後に添加して、ハイブリダイゼーション複合体の２つの鎖を架橋、すなわち共有結合させることができる。
【００４９】
したがって、一般的にはアッセイは、標的の存在下でのみハイブリダイゼーション複合体を形成させるストリンジェントな条件下で実施される。ストリンジェンシーは、熱力学的変数（温度、ホルムアミド濃度、塩濃度、カオトロピズム塩の濃度、ｐＨ、有機溶媒濃度などを含むが、ただしこれらに限定されない）の工程パラメーター変更することによって制御することができる。
また別には、一本鎖結合タンパク質も特異性を高めるために用いることができる。
これらのパラメーターもまた、米国特許第５６８１６９７号に一般的に概略されているように非特異的結合の制御に用いることができる。したがって、ある種の工程をより高いストリンジェンシー条件下で実施して非特異的結合を減少させることが望ましいであろう。
【００５０】
本発明のプレサークルプローブのデザイン、調製および使用をこれから詳細に述べる。上記で概略しここでさらに完全に説明するように、本発明のプレサークルプローブは、少なくとも第一および第二の向標的ドメイン並びに少なくとも１つの万能プライミング部位または配列を含む。場合によって、プレサークルプローブは、さらに１つまたは２つ以上の切断部位、バーコード配列、１つまたは２つ以上の制限部位および／または標識配列を含むことができる。
“万能”プライミング部位は、万能プライマーがハイブリダイズする部位である。一般的に“万能”とは、複数の増幅反応のために一プライマーまたは一プライマーセットを使用することを指す。例えば、１００個の異なる標的配列の検出または遺伝子型決定において、全てのプレサークルプローブは同一の万能プライミング配列を共有し、これによって一プライマーセットを用いて１００個の異なるプローブの増幅を多重処理することが可能になる。これは合成を容易にし（例えばただ１つのプライマーセットを作製するだけである）、コストを減少させるとともに、ハイブリダイゼーションの動的変化において有利である。極めて重要なことには、そのようなプライマーを使用することによって多重処理が極めて単純化され、ただ２つのプライマーが複数のプローブの増幅に必要とされるだけである。
【００５１】
万能プライミング配列／プライマーの複数の“セット”を用いることができることはまた特記されるべきであろう。例えば、多重化された反応では、ただ１つのセットを用いるのではなくいくつかの万能配列セットを用いるのが有用であろう。例えば、１００個の異なるプレサークルプローブは同じプライミング配列を有し、第二のセットの１００個は同じプライミング配列を有する。
当業者には理解されるところであるが、本発明のプレサークルプローブは多様な構成を有することができる。初歩的な事柄として、プレサークルプローブは、向標的ドメインの５´および３´末端が標的配列で隣接するヌクレオチドとハイブリダイズするようにデザインされるか、または下記でもっと完全に説明するようにギャップをもつようにデザインされる。
好ましい実施態様では、プレサークルプローブは、標的配列の標的ドメインと隣接して（すなわち一切ギャップヌクレオチドを含まず）ハイブリダイズする２つの向標的ドメインを含む。前記は、本明細書ではときに“接端”プレサークルプローブと称される。この実施態様は、検出および／または遺伝子型決定の両方を目的とする利用で有用である。
【００５２】
好ましい実施態様では、前記接端プレサークルプローブは、遺伝子型決定よりはむしろ標的配列の検出に用いられる。この実施態様では、標的配列は特定の検出場所を含まない。したがって、接端プレサークルプローブは、標的配列の互いに直接隣接する標的ドメインと完全に相補的にハイブリダイズする５´および３´末端をもつようにデザインされる。その結果、プローブが標的とハイブリダイズしたとき、前記５´および３´末端は互いにその一端を接する（接端する）。完全な相補性が５´および３´末端に存在する場合にのみ、下記に概略するように、前記接端プレサークルプローブの２つの末端はリガーゼの存在下でつながれて閉環状プローブを生成し、前記を続いて下記に概略するように処理することができる。もちろんのこと、非相補的配列がつながれる部位から離れていればいるほど、プローブがつながれる可能性が高くなることは当業者には理解されよう。
また別の実施態様では、接端プレサークルプローブは、標的配列中の検出場所の遺伝子型決定に用いられる。この実施態様では、少なくとも１つの接端プレサークルプローブが、その３´または５´末端のどちらかに審問塩基（例えば標的配列の検出場所と完全な相補性を有するヌクレオチド）を含む。当業者には理解されるところであるが、３´または５´のどちらかを用い、両末端間に完全な塩基対形成が存在しないかぎりリガーゼによる連結が生じないようにすることができる。この実施態様は図３Ａに一般的に示されている。
【００５３】
特に好ましい実施態様では、複数の接端プレサークルプローブが用いられる。そのような実施態様の１つでは、各接端プレサークルプローブは、下記でさらに完全に述べるように異なるバーコード配列を含む。例えば、ＳＮＰの場所が二対立遺伝子性である場合（例えば２つの異なる塩基を含む場合）、２つの接端プレサークルプローブ（各々は異なる審問塩基および異なるバーコードを含む）が用いられる。完全な相補性が前記審問塩基と検出場所との間に存在する場合にのみ連結反応が生じる。この実施態様では、バーコード配列は“標識”または“タグ”タイプとして機能し、前記審問場所にどの塩基が存在するかを特定する。また別には、審問塩基は異なるがバーコードは同じである２つの接端プレサークルプローブが用いられる。この実施態様では、プローブは別々の反応混合物中で用いられ、本明細書に記載するように別個に処理され、検出される。その結果、審問塩基と検出場所との間に完全な相補性を有するプローブのみがつながれて閉環状プローブを生成し検出される。後者の実施態様は、例えば問題の遺伝子のメージャーな対立遺伝子とマイナーな対立遺伝子とを区別するために用いることができる。
【００５４】
本発明のプレサークルプローブはまた、標的配列上で互いに隣接してハイブリダイズしない（すなわち、標的配列の対応する標的ドメインが１つまたは２つ以上のヌクレオチドを含むギャップドメインによって分離されている）非接端向標的ドメインを含むことができる。これらのプローブはまた、検出、増幅および／または遺伝子型決定を目的とする応用で用いることができる。
そのような実施態様の１つでは、プレサークルプローブは、標的配列中で一ヌクレオチドギャップドメイン（一ヌクレオチドギャップ位置）によって分離されている２つの標的ドメインとハイブリダイズする２つの向標的ドメインを含む。繰り返せば、この実施態様は、検出および／または遺伝子型決定の両方の利用に有用であるが、遺伝子型決定での利用が好ましい。
【００５５】
好ましい実施態様では、一ギャッププレサークルプローブが標的配列の遺伝子型決定に用いられる。この実施態様では、標的配列はギャップドメインに特定の検出場所を含み、プレサークルプローブは、標的配列の一ヌクレオチドによって分離された標的ドメインと完全に相補的にハイブリダイズする向標的ドメインを有するようにデザインされている。この実施態様では、ポリメラーゼと１つのｄＮＴＰ種が添加される。前記ｄＮＴＰが審問ｄＮＴＰである場合、例えばそれが検出場所のヌクレオチドと完全な相補性を有する場合、前記ポリメラーゼはプレサークルプローブを伸長させて連結構造物を生成する。本明細書に概略するようにリガーゼの添加はしたがって環状化プローブの生成をもたらす。
【００５６】
この遺伝子型決定の実施態様では、別々の複数の反応が必要である。すなわち、対立遺伝子が二対立遺伝子である場合、少なくとも２つの反応が実施され、各反応は異なるｄＮＴＰを含む。同様に、三対立遺伝子間の場所については少なくとも３つの反応が実施される。各反応混合物は、（例えばアレーに添加して）別々に処理および検出するか、または前記反応混合物を環状化し余分のｄＮＴＰを除去した後１つにプールして一緒に処理してもよい。特に好ましい実施態様では、４種のｄＮＴＰ反応の全てを別々の反応混合物（各々が異なるｄＮＴＰを含む）で同時に実施し、対立遺伝子の相補性を同定するか、または固有のバックグラウンドの測定を提供することができる。
【００５７】
当業者には理解されるところであるが、また別には、一ギャッププレサークルプローブを用い、単純に４種のｄＮＴＰの全てをポリメラーゼとともに同じ反応混合物に同時に添加することによって検出および／または増幅を実施できる（前記ポリメラーゼは、完全な相補性の下でｄＮＴＰを前記検出場所に添加し、続いてプローブを連結し増幅させる）。
別の好ましい実施態様では、プレサークルプローブは２つの向標的ドメインを含む。前記向標的ドメインは、複数のヌクレオチドを含むギャップドメイン（“オリゴ−ギャップ”）によって分離されてある２つの標的ドメインとハイブリダイズする。上記のように、この実施態様は、検出、増幅または遺伝子型決定反応のいずれかで有用で、“フラップ−ギャップ”または１つもしくは２つ以上の追加のオリゴヌクレオチド（ときに本明細書では“ギャップオリゴヌクレオチド”または“介在オリゴヌクレオチド”と称される）を含むどちらかのプローブが必要である。
【００５８】
特に好ましい実施態様では、オリゴ−ギャッププレサークルプローブは増幅反応に用いられる。この実施態様では、図３Ｂに一般的に示されているように、反応は、リガーゼの存在下でポリメラーゼおよびｄＮＴＰを用いて進行し、閉環状プローブを生成する。続いて本明細書に概略するように前記閉環状プローブを切断し増幅させる。当業者には理解されるところであるが、異なる複数の標的配列に対する複数のプローブの各々に同じプライマーを含ませることによって、１つの反応容器で対象となるの多数の標的を同時に増幅することができる。
別の好ましい実施態様では、１つまたは２つ以上のギャップオリゴヌクレオチドを含むマルチヌクレオチドギャッププローブが用いられる。この実施態様では、図３Ｃに一般的に示されているように、酵素によりギャップを充填する代わりに、実質的に相補的なギャップオリゴヌクレオチドが用いられ、続いて本明細書で概略するように各末端が連結される。当業者には理解されるところであるが、この実施態様はまた複数のギャップオリゴヌクレオチドの使用を必要とする。
【００５９】
好ましい実施態様では、オリゴ−ギャッププローブは遺伝子型決定反応で用いられる。この実施態様では、検出場所はギャップの“中間”（例えばギャップの内部）にあり、“フラップ−ギャップ”プローブが用いられる。この実施態様は図３Ｄに一般的に示されている。本明細書に概略する他の反応とは異なり、この実施態様は、種々のストリンジェンシー条件（温度、緩衝条件など）を利用する伝統的なハイブリダイゼーション方法により検出場所のヌクレオチドを識別する。したがって、反応は、審問塩基が前記検出塩基と完全に相補的であるときにのみ連結が可能になる条件下で実施される。すなわち、他の全てのパラメーターは同じであるので、完全に相補的なプローブはより安定で、おそらくいずれの温度においてもミスマッチを含むプローブよりも離脱が遅いであろう。したがって、異なるプローブ（それぞれ審問場所に異なる塩基を含む）を用いることによって、検出場所の塩基が特定される。上記で概略したように、同一または異なるバーコードをプローブに取り込んで、それぞれ別々の反応混合物または同一反応混合物で続いて検出を実施できる。相違は異なる温度を用いることによって増幅させることができる。この実施態様では、末端から遠い審問塩基を有する長いギャップもハイブリダイズし連結を可能にさせるので、ギャップの長さおよび審問塩基の場所が考慮されねばならないということもまた特記する必要があろう。
【００６０】
また別には、図３Ｃに示すように、１つまたは２つ以上のギャップオリゴヌクレオチドを用いて同じタイプの反応を実施することができる。この実施態様では、審問場所がギャップオリゴヌクレオチドの内部にある場合は、伝統的なストリンジェンシー条件が実施される。また別に、審問場所がギャップオリゴヌクレオチドの５´または３´（またはその両方、２つのＳＮＰ検出場所が互いに接近している場合）末端にあってもよい。この実施態様は、特異性の関係で標的ドメインが長くなければならない場合に有用であろう。しかしながら、一般的にはプレサークルプローブが長ければ長いほど、合成における品質管理の問題は増加する。
同様に、複数のギャップオリゴヌクレオチドを用いて遺伝子型決定反応を実施することができる。繰り返せば、前記ギャップオリゴヌクレオチドは内部審問場所またはその一端もしくは両端に審問場所をもつことができる。
【００６１】
本発明の前述の実施態様は全て、その後の増幅反応でバックグラウンドシグナルを減少させる利点を有するであろう。本明細書でさらに詳細に述べるように、一切の未反応プローブおよび／または標的配列を種々の態様で増幅に利用できなくすることができる。好ましい態様には、連結後にエキソヌクレアーゼを添加して残余の直鎖状核酸を分解させる、および／または適切な標識（例えばビオチン）を取り込ませて未反応プローブまたは環状化プローブ：標的複合体（特に後者がゲノムＤＮＡを含む場合）を分離または除去するものが含まれる。さらに別の減少工程も本発明で意図され、下記で詳細に考察するが、それらには例えば、環状化プローブを伸長してこの伸長生成物をさらに分析するものが含まれる。
【００６２】
図面に一般的に示しさらに本文に記載するように、本発明には“一段階”プロセスおよび“二段階”プロセスを含む種々の実施態様があり、後者はプレサークルプローブの連結の後で用いることができる。
“一段階”プロセスでは、閉環状プローブは切断されてそのまま増幅される。“二段階”プロセスでは、閉環状プローブは先ずただ１つの万能プライミング部位を用いてコピーされ前記閉環状プローブの伸長生成物を生成する。続いて前記閉環状プローブは、標的配列および一切の非環状化プレサークルプローブとともに除去される。前記伸長生成物（または“第二の鎖”）は、本明細書に概略する技術を用いて増幅される。この実施態様は一般的に図５Ａ−５Ｉに示されている。
【００６３】
下記に概略するように、用いることができる極めて多様な増幅方法があり、それらは、ただ１つの万能プライミング部位または２つのプライミング部位を有するであろう。好ましい実施態様では、増幅反応はＰＣＲ反応であり、プレサークルプローブは、ＰＣＲ反応で使用される、それぞれの向きを有する２つの万能プライマーを含む。すなわち、当分野で公知のように、プライマーの向きは、指数関数的増幅を可能にするものであり、第一の万能プライミング配列は“センス”方向で、第二の万能プライミング配列は“アンチセンス”方向を有する。
好ましい実施態様では、万能プライマーは、図１−３に一般的に示されているような方向を有し、それによって連結およびその後の切断に際して介在する向標的ドメインおよび任意のバーコードのＰＣＲ増幅が達成されるであろう。この実施態様は、例えば標的配列の増幅に特に好ましい。また別には、プライマーは図４に一般的に示されているようにバーコードに接する方向を有することができる。それによってバーコードおよびプライマーのみがその後のＰＣＲ反応で指数関数的に増幅させることができる。さらにまた、得られたアンプリコンもまた下記でさらに詳細に述べるように切断部位を組み入れることによって短縮させることができる。
【００６４】
一般的に、万能プライミング配列／プライマーは各々長さが約１２から４０の範囲で、約１５から約２５が好ましい。適切な万能プライミング配列には本明細書で特に例証するものが含まれるが、ただしこれらに限定されない。
下記に概略する他の増幅反応も、１つまたは２つ以上の万能プライミング配列を同様に必要とするであろう。
向標的ドメインおよび万能プライミング部位の他に、プレサークルプローブは好ましくは少なくとも第一の切断部位を含む。好ましい切断部位は特定の位置で核酸の切断を可能にするものである。適切な切断部位には、ウラシルまたは他のリボースヌクレオチドが組み入れられたもの、制限エンドヌクレアーゼ部位などが含まれるが、ただしこれらに限定されない。
【００６５】
好ましい実施態様では、前記切断部位はウラシル塩基を含む。これによってウラシル−Ｎ−グリコリラーゼ（ウラシル塩基を除去するがリボースは無傷のままに残す酵素）の使用が可能になる。前記処理と併せて加熱によってｐＨを（アルカリに）変化させるか、または塩基性ヌクレオチドを切断する非プリン性エンドヌクレアーゼを前記部位に接触させることによって、閉環状プローブの高度に特異的な切断が可能になる。
好ましい実施態様では、制限エンドヌクレアーゼ部位（好ましくは稀なもの）が用いられる。当業者には理解されるところであるが、前記は制限部位にハイブリダイズさせるために第二の鎖の添加を必要とするかもしれない。なぜならば、多くの制限エンドヌクレアーゼはその作用に二本鎖核酸を要求するからである。ある実施態様では、制限部位はプライマー配列の一部で、その結果、プライマーのアニーリングにより制限部位が二本鎖になり切断が可能になる。
【００６６】
２つのプライミング部位を用いるときは、切断部位は好ましくは前記２つのプライミング部位の間に位置し、それによって切断に際して末端にプライミング部位をもつ直鎖状プローブが生成され、中間に存在する全ての増幅が可能になる。
いくつかの実施態様では２つ以上の切断部位が含まれる。この実施態様では、図５Ｆで一般的に示されているように、プレサークルプローブ内に複数の切断部位が存在する。これは種々の理由で実施される。ある実施態様では、多数の切断部位を用いて全てのプローブを増幅不能にさせることができる。これは、本明細書の二段階プロセスで考察したように望ましくないＰＣＲバックグラウンドの抑制に用いることができる。別の実施態様では、プレサークルプローブの一部分を切断除去することによって、増幅に必要な成分が少なくなる。例えば、標的ドメインと他の成分との結合部で切断することによって、バーコードと万能プライマーだけを増幅する必要があるだけである。２つのプライマーの間以外に切断部位を配置するまた別の利点は、特に上記で述べた二段階プロセスで見せかけの増幅の防止に用いることができるということである。
【００６７】
向標的ドメイン、切断部位および万能プライミング部位の他に、本発明のプレサークルプローブはさらにバーコード配列を含むことができる。“バーコード”、“アダプター”、“タグ”および“ジップコード”はいずれも、核酸フラグメントプールの分離を可能にするためにアンプリコンに付加される人工的配列を示すために用いられた。バーコードの好ましい形態の１つはハイブリダイゼーションバーコードである。この実施態様では、バーコードは、アレーの表面で相補的な捕捉プローブとのハイブリダイゼーションを可能にするために選択される。バーコードはプローブの固有の認識票として機能する。一般的には、バーコードと対応する捕捉プローブのセットは、それら自身および反応混合物の他の成分（標的配列および標的配列の外側のより大きな核酸配列上の配列を含む）（例えばゲノムＤＮＡ内の配列）との交差ハイブリダイゼーションを最小限にするために考えられた。バーコードの他の形態は、質量分光法を用いて分離することができる質量タグ、電気泳動移動度を基準に分離することができる電気泳動タグなどである。
【００６８】
一般的に、バーコードおよび万能プライミング配列／プライマーはともに種々の方法で選択して交差ハイブリダイゼーションを回避し、それによって個々のプライマーと標的核酸との間の競合を防止し、さらに溶液中でのプライマーのデュープレックス形成およびＰＣＲ時のプライマーの連鎖物形成を防止することができる。プライマー中に２つ以上の定常領域が存在する場合、前記プラマーの定常領域は、それらが自己ハイブリダイズしないように、またはヘアピン構造を形成しないように選択される。
当業者には、上記の選択工程を実施する多様な方法があり、さらにそれら多様な工程が適切であることは理解されよう。もっとも典型的には、選択工程は、上記に概略した選択を実施する簡単なコンピュータプログラムを用いて実施される。しかしながら、これら工程の全ては場合によって手動で実施される。利用可能なプライマー選択用コンピュータプログラムの１つは、マックベクター（ＭａｃＶｅｃｔｏｒ）ＴＭプログラム（Ｋｏｄａｋ）である。
【００６９】
さらに、デザインしたプライマーを鋳型核酸内の公知の配列と比較して、鋳型核酸とプライマーとの非特異的ハイブリダイゼーションを回避することができる。例えば、ヒトゲノムＤＮＡ中のヌクレオチドの検出に用いるプライマーは、例えばＮＣＢＩ（Ｎａｔｉｏｎａｌ Ｃｅｎｔｅｒ ｆｏｒ Ｂｉｏｔｅｃｈｎｏｌｏｇｙ Ｉｎｆｏｒｍａｔｉｏｎ）（ｈｔｔｐ：／／ｗｗｗ．ｎｃｂｉ．ｎｌｍ．ｎｉｈ．ｇｏｖ／）のＧｅｎＢａｎｋヒト配列と“ブラストさせる”ことができる。
配列（例えばプローブ配列）を鋳型ＤＮＡ配列並びにプローブおよびプライマー配列と比較するために用いることができる多くのアルゴリズムが存在する。これらアルゴリズムには、シークェンチャー、ＧＣＧおよびＨＧＳアイリスソフトウェアが含まれる。配列をアラインさせ相同性を有する領域を見つけることができるいずれのソフトウェアも用いることができ、また配列は手動で比較してもよい。
【００７０】
アレーハイブリダイゼーション（例えば高密度アレー）での検出用バーコードは、好ましくはほぼ２０ヌクレオチドの長さで、例えば文献に記載されている（Ｓｈｏｅｍａｋｅｒ ｅｔ ａｌ．（１９９６） Ｎａｔｕｒｅ Ｇｅｎｅｔｉｃｓ １４：４５０）。バーコード配列は最大限に異なっているべきであるが、なお、高密度オリゴヌクレオチドアレーで同時に容易に分析することができるように同様なハイブリダイゼーション特性を保持していなければならない。上掲書（Ｓｈｏｅｍａｋｅｒ ｅｔ ａｌ．）に記載されているように、１つのアルゴリズムを用いて、類似の溶融温度を有し、２つの配列間に二次構造類似性および強い類似性をもたない（６以上のミスマッチ）と予想される２０量体のバーコード配列が最大で何千（９０００を越える）も選択することができる。さらにまた、ハイブリダイゼーションは鋭敏で、ハイブリダイゼーションシグナルにおける小さな相違を検出することができる。例えば、さらに上掲書（ｓｈｏｅｍａｋｅｒ ｅｔ ａｌ．）に記載されているように、１２０のオリゴヌクレオチドを含むハイブリダイゼーション混合物の存在下で２倍の濃度変化が検出された。
【００７１】
バーコードの使用は“万能アレー”の使用を可能にする。例えば、アレーは、種々に応用できる１組の捕捉プローブを用いて作製できる。万能アレーの使用を可能にするバーコード配列の使用は限定された関係の中で記載されている。例えば以下を参照されたい：Ｃｈｅｅ ｅｔ ａｌ．， Ｎｕｃｌｅｉｃ Ａｃｉｄ Ｒｅｓ．（１９９１） １９：３３０１； Ｓｈｏｅｍａｋｅｒ ｅｔ ａｌ．，（１９９８） Ｎａｔｕｒｅ Ｇｅｎｅｔｉｃｓ １４：４５０； Ｆ． Ｂａｒａｎｙ， （１９９１） Ｐｒｏｃ． Ｎａｔｌ． Ａｃａｄ． Ｓｃｉ． ＵＳＡ ８８：１８９−１９３； ＥＰ０，７９９，８９７ Ａ１； ＷＯ ９７／３１２５６（前記文献は全て参照により本明細書に含まれる）。
当業者には理解されるところであるが、バーコード配列の長さは、所望の結合“強度”および所望される異なるバーコードの数にしたがって変動するであろう。好ましい実施態様では、バーコード配列は長さが約６から約５００塩基対で、約８から約１００塩基対が好ましく、約１０から約２５塩基対が特に好ましい。
【００７２】
ある実施態様では、核酸バーコードは、そのハイブリダイゼーション特性ではなく長さの相違で用いられる。バーコード配列を異なる分子量を生じるように変化させる。この実施態様で重要なことは、各バーコードは異なる分子量をもつということである。本明細書で述べるように、前記バーコードをアンプリコンの残余部から切断し、質量分光分析または分子量の相違を分離に用いる他の技術（例えば電気泳動）に付す。
好ましいバーコード配列（したがってさらにその対応する相補的捕捉プローブ配列）は実施例に示されてあり、アフィメトリクスのジェンフレックス（Ａｆｆｙｍｅｔｒｉｘ ＧｅｎＦｌｅｘ）チップに相補的なバーコード配列が含まれる。
【００７３】
好ましい実施態様では、プレサークルプローブはまた追加の成分を含むことができる。ここに概略するように、標識配列もまた用いることができる。標識配列は、標識を含む標識プローブと実質的な相補性を有する。下記でさらに完全に説明するように、標識配列はアンプリコンにそれらを標識するために添加することができる。繰り返せば、“万能”標識配列または配列セットを用いて、必要とされる配列合成の量を最小限にし、多数のプローブおよび／または多数の標的を使用する多重化を単純にすることが好ましい。
【００７４】
したがって、本発明は、多数の成分（向標的ドメイン、万能プライミング部位、切断部位、バーコード配列および標識配列を含むが、ただしこれらに限定されない）を含むプレサークルプローブを提供する。当分野で公知のように、これらプレサークルプローブ（およびプライマーおよび本明細書に概略する捕捉プローブ）は多様な方法で作製できる。前記は化学的に、例えばＢｅａｕｃａｇｅ ＆ Ｃａｒｕｔｈｅｒｓ（Ｔｅｔｒａｈｅｄｒｏｎ Ｌｅｔｔｓ．，（１９８１） ２２（２０）：１８５９−１８６２）が記載した固相ホスホルアミダイトトリエステル法にしたがい、例えばＮｅｅｄｈａｍ−ＶａｎＤｅｖａｎｔｅｒら（Ｎｕｃｌｅｉｃ Ａｃｉｄｓ Ｒｅｓ．（１９８４） １２：６１５９−６１６８）が記載した自動合成装置を用いて合成することができる。オリゴヌクレオチドはまた、注文製造が可能で、当業者に公知の種々の供給元に発注することができる。必要な場合にはオリゴヌクレオチドの精製が、典型的には天然のアクリルアミドゲル電気泳動によってまたは陰イオン交換ＨＰＬＣ（Ｐｅａｒｓｏｎ ＆ Ｒｅｇｎｉｅｒ， （１９８３） Ｊ． Ｃｈｒｏｍ． ２５５：１３７−１４９）によって実施される。合成オリゴヌクレオチドの配列は、Ｍａｘａｍ ＆ Ｇｉｌｂｅｒｔの化学分解法（Ｇｒｏｓｓｍａｎ ａｎｄ Ｍｏｌｄａｖｅ （ｅｄｓ）， （１９８０） Ａｃａｄｅｍｉｃ Ｐｒｅｓｓ， ＮＹ， Ｍｅｔｈｏｄｓ ｉｎ Ｅｎｚｙｍｏｌｏｇｙ ６５：４９９−５６０）を用いて立証することができる。注文オリゴも当業者に公知の種々の供給元に容易に発注することができる。
【００７５】
プローブを合成方法により調製する場合、オリゴヌクレオチド合成装置は通常は５´末端にリン酸を有するオリゴヌクレオチドを生成しないので、前記プローブの５´末端をリン酸化する必要があろう。プローブの５´末端にリン酸が存在しない場合、プローブの５´および３´末端の連結が妨げられるであろう。リン酸化は、当分野で周知の方法にしたがって、例えば米国特許第５５９３８４０号に記載されたようにＴ４ポリヌクレオチドキナーゼを用いて実施することができる。
プローブおよびプライマーはまた、遺伝子組換え方法によって、例えばホスト細胞（例えば細菌）で複製可能なプラスミドにプローブを組み入れることによって調製し、増幅させ、さらに当分野で公知の方法によって単離することができる。続いてプローブをプローブの周辺を切断する制限酵素を用いてプラスミドから切り出すことができる。また別には、大量のプローブは、プローブの５´および３´末端と相補的なプラ−マーを用いてＰＣＲ増幅によって調製することができる。続いて前記プローブを当分野で公知の方法にしたがって精製することができる。
【００７６】
プローブは、例えば完全なプローブを合成することによって一段階で合成することができる。また別には、プローブは少なくとも２つの部分を合成し、連結オリゴヌクレオチドにより一緒に連結してもよい。例えば、プレサークルプローブの２つの部分を合成し、架橋オリゴヌクレオチドを用いて、前記を一緒に連結することができる（架橋オリゴヌクレオチドは、プローブのＡおよびＢ部分と相補的な配列を含む）。前記は実施例７でさらに説明する。架橋オリゴヌクレオチドは好ましくは少なくとも約２０から約５０ヌクレオチドの長さで、例えば３０から４０ヌクレオチドである。架橋オリゴヌクレオチドは、プローブのＡ部分およびＢ部分と相補的な好ましくは少なくとも約１０、より好ましくは少なくとも約１５から２０ヌクレオチドを含む。架橋オリゴヌクレオチドをデザインするときに考慮するべき基準は、上記で述べたように、特定の配列とハイブリダイズさせるプライマーのデザインで要求される基準と同じである。架橋オリゴヌクレオチドの存在下での連結は、通常の連結方法によって実施することができる。
【００７７】
本発明の方法はプレサークルプローブの標的配列への添加とともに進行する。プレサークルプローブの向標的ドメインは標的配列の標的ドメインとハイブリダイズする。ギャップが存在する場合、前記反応は、１つまたは２つ以上のＮＴＰおよび伸長酵素（または本明細書に記載するようにギャップオリゴ）の添加とともに進行する。本明細書の“伸長酵素”とは、ＮＴＰの付加によって配列を伸長させる酵素を指す。当分野で知られているように、適切な種々の伸長酵素が存在し、そのうちでポリメラーゼ（標的配列およびプレサークルプローブの組成に応じてＲＮＡおよびＤＮＡポリメラーゼの両者）が好ましい。好ましいポリメラーゼは鎖置換活性を欠くもので、それによって前記ポリメラーゼは、プローブの末端に必要な塩基のみを添加することができ、プローブを伸長させて標的ドメインと相補的なヌクレオチドを組み入れることがなく、したがって環状化を防止することができる。適切なポリメラーゼには、ＤＡＮおよびＲＮＡポリメラーゼの両者［ＤＮＡポリメラーゼＩのクレノーフラグメント、シークェナーゼ（ＳＥＱＵＥＮＡＳＥ）１．０およびシークェナーゼ２．０（Ｕ．Ｓ． Ｂｉｏｃｈｅｍｉｃａｌ）、Ｔ５ＤＮＡポリメラーゼ、Ｐｈｉ２９ＤＮＡポリメラーゼおよび種々のＲＮＡポリメラーゼ（例えばテルムス（Ｔｈｅｒｍｕｓ）ｓｐ．由来のもの、バクテリオファージ由来のＱベータレプリカーゼを含む）］が含まれるが、ただしこれらに限定されない。さらにまた、とりわけＳＰ６、Ｔ３、Ｔ４およびＴ７ＲＮＡポリメラーゼを用いることができる。
【００７８】
さらに好ましいポリメラーゼは、本質的に５´から３´方向のエキソヌクレアーゼ活性を欠くもので、それによってプローブがその５´末端を越えて伸張しないことが担保される。５´から３´エキソヌクレアーゼ活性を欠く典型的な酵素には、ＤＮＡポリメラーゼのクレノーフラグメントおよびＤＮＡＰＴａｑポリメラーゼのストッフェル（Ｓｔｏｆｆｅｌ）フラグメントが含まれる。例えば、ＴａｑＤＮＡポリメラーゼのストッフェルフラグメントは、遺伝子操作（Ｎ−末端２８９アミノ酸を欠く切端タンパク質を生じる）により５´から３´エキソヌクレアーゼ活性を欠いている（例えば以下を参照されたいＬａｗｙｅｒ ｅｔ ａｌ．， Ｊ． Ｂｉｏｌ． Ｃｈｅｍ． ２６４：  ６４２７−６４３７（１９８９）； Ｌａｗｙｅｒ ｅｔ ａｌ．， ＰＣＲ Ｍｅｔｈ． Ａｐｐｌ． ２：２７５−２８７（１９８３））。類似の変異体ポリメラーゼが、Ｔ．マリティマ（ｍａｒｉｔｉｍａ）、Ｔｓｐｓ１７、ＴＺ０５、ＴｔｈおよびＴａｆに由来するポリメラーゼについて作製された。
【００７９】
さらに好ましいポリメラーゼは３´から５´方向へのエキソヌクレアーゼ活性を欠くものである。前記活性は一般に校正活性と称され、プライマー−鋳型複合体の３´末端でミスマッチの塩基を除去する。３´から５´エキソヌクレアーゼ活性の存在は鎖の合成における正確性を高めるが、耐熱性ＤＮＡポリメラーゼ（例えばＴｍａ、５´から３´エキソヌクレアーゼ活性を欠くＴｍａ変異体型を含む）で認められる３´から５´エキソヌクレアーゼ活性はまた、一本鎖ＤＮＡ（例えばＰＣＲで用いられるプライマー）、一本鎖鋳型および一本鎖ＰＣＲ生成物を分解する。新しい鎖の伸長が開始するのはこの３´末端からであるので、プライマー伸長工程で用いられるオリゴヌクレオチドプライマーの３´末端の完全性は必須である。３´末端の分解は短縮されたオリゴヌクレオチドをもたらし、この短縮オリゴヌクレオチドは続いてプライミング反応における特異性の低下をもたらす（すなわち、プライマーが短ければ短いほど、見せかけまたは非特異的プライミングが発生の可能性が高くなる）。
【００８０】
さらに好ましいポリメラーゼは耐熱性ポリメラーゼである。本発明の目的のためには、耐熱酵素とは、最適条件下において４０℃で１時間後にその活性の大半を保持する一切の酵素と定義される。５´から３´および３´から５´へのエキソヌクレアーゼ活性の両方を欠く耐熱性ポリメラーゼの例には、ＴａｑＤＮＡポリメラーゼのストッフェルフラグメントが含まれる。このポリメラーゼは、遺伝子操作のために５´から３´エキソヌクレアーゼ活性を欠き、さらにＴａｑポリメラーゼは本来３´から５´エキソヌクレアーゼを欠くので３´から５´エキソヌクレアーゼ活性をもたない。ＴｔｈＤＮＡポリメラーゼは、テルムス＝テルモフィルス（Ｔｈｅｒｍｕｓ ｔｈｅｒｍｏｐｈｉｌｕｓ）に由来し以下から入手できる：Ｅｐｉｃｅｎｔｒｅ Ｔｅｃｈｎｏｌｏｇｉｅｓ， Ｍｏｌｅｃｕｌａｒ Ｂｉｏｌｏｇｙ Ｒｅｓｏｕｒｃｅ Ｉｎｃ．，またはＰｅｒｋｉｎ−Ｅｌｍｅｒ Ｃｏｒｐ。３´エキソヌクレアーゼ活性を欠く他の有用なＤＮＡポリメラーゼには、Ｖｅｎｔ［Ｒ］（ｅｘｏ−）およびＨｏｔＴｕｂＤＮＡポリメラーゼが含まれる。前者は、Ｎｅｗ Ｅｎｇｌａｎｄ Ｂｉｏｌａｂｓ， Ｉｎｃ．から入手でき、前記は古細菌テルモコッカス＝リトラリス（Ｔｈｅｒｍｏｃｏｃｃｕｓ ｌｉｔｏｒａｌｉｓ）のＤＮＡポリメラーゼ遺伝子を保持する大腸菌株から精製された。後者はテルムス＝フラブス（Ｔｈｅｒｍｕｓ ｆｌａｖｕｓ）に由来し、Ａｍｅｒｓｈａｍ Ｃｏｒｐｏｒａｔｉｏｎから入手できる。
【００８１】
耐熱性でさらに５´から３´エキソヌクレアーゼ活性および３´から５´エキソヌクレアーゼ活性を欠く他の好ましい酵素にはＡｍｐｌｉＴａｑゴールドが含まれる。少なくとも実質的に同等な他のＤＮＡポリメラーゼも、他のＮ−末端切端形のテルムス＝アクォティクス（Ｔｈｅｒｍｕｓ ａｑｕａｔｉｃｕｓ）（Ｔａｑ）ＤＮＡポリメラーゼＩと同様に用いることができる。ＫｌｅｎＴａｑＩおよびＫｌｅｎＴａｑＬＡと称されるポリメラーゼも前記目的に極めて適している。もちろんのこと、前記の性状を有する他のいずれのポリメラーゼも本発明にしたがって用いることができる。
【００８２】
プローブの３´末端に１つまたは２つ以上のヌクレオチドを付加するための条件は使用する個々の酵素に左右され、一般的には使用する酵素の製造元が推奨する条件にしたがう。
ヌクレオチドは、約０．０１μＭから約１００μＭ，好ましくは約０．１μＭから１０μＭの最終濃度で反応物中に添加される。添加されるべきリガーゼの濃度は以下の節で述べる。ＴａｑＤＮＡポリメラーゼのストッフェルフラグメントの好ましい量は０．０５単位／μＬを含む。典型的な反応容積は約１０から２０μＬである。鋳型およびプローブＤＮＡの好ましい量もまた以下の節で述べる。
【００８３】
好ましい実施態様では、鋳型核酸およびプローブは、リガーゼ、リガーゼ緩衝液およびポリメラーゼと一緒に反応混合物中で混合される。続いて鋳型およびプローブを、例えば９５℃で約５から１０分インキュベートして変性させ、続いて例えば反応温度を下げることによってアニールさせる。上記で述べたように、アニーリング条件は相同性領域のＴｍに左右されるであろう。続いてヌクレオチドを添加した後、引き続いて例えば６５℃で約１０分インキュベートして重合化および連結を実施する。また別には、先ず始めに酵素の非存在下で核酸を一緒にインキュベートし変性させ、アニールさせてから酵素を添加し、さらに反応物を例えば６５℃で約１０分インキュベートする。
【００８４】
非相補的なヌクレオチドの結合および連結から生じるバックグラウンドを減少させるために、ただ１つのｄＮＴＰを重合反応に添加する代わりに、他の３つのｄｄＮＴＰとともに１つのｄＮＴＰを添加することができよう。これらのｄｄＮＴＰは連結を可能にしないが、少量の夾雑ヌクレオチドに対して反応の感受性を低下させることができる。
バックグラウンドシグナルはまた、試薬中のヌクレオチドの存在およびプローブへのその結合のために“正しい”ヌクレオチドの存在からも生じるであろう。試薬のヌクレオチドによる夾雑は、遊離ヌクレオチドを分解する酵素で試薬を処理することによって減少させることができる。好ましい酵素にはアピラーゼおよびホスファターゼが含まれるが、前者が特に好ましい。実施例で述べるように、アピラーゼは通常、１つまたは２つ以上のｄＮＴＰの添加前に、約２０μＬの典型的な反応物中に約０．５ｍＵ／μＬの濃度で添加される。一般的には、続いて反応を２０℃で数分から３０分までインキュベートする。さらに、反応物を９５℃で約５から１０分インキュベートして酵素を変性させる。また別にはアルカリ性ホスファターゼ、例えばエビのアルカリ性ホスファターゼを用いてもよい。
【００８５】
プローブの３´および５´末端の連結は酵素を用いるかまたは化学的に実施することできる。好ましくは連結は標準的なプロトコルでリガーゼを用いて酵素により実施される。多くのリガーゼが公知であり本発明の使用に適している。例えば以下の文献を参照されたい：Ｌｅｈｍａｎ， Ｓｃｉｅｎｃｅ， １８６：７９０−７９７（１９７４）； Ｅｎｇｌｅｒ ｅｔ ａｌ．， ＤＮＡ Ｌｉｇａｓｅｓ， ｐｐ３−３０， ”Ｔｈｅ Ｅｎｚｙｍｅｓ”， Ｂｏｙｅｒ ｅｄ．， ｖｏｌ．１５Ｂ， Ａｃａｄｅｍｉｃ Ｐｒｅｓｓ， Ｎｅｗ Ｙｏｒｋ， １９８２など。好ましいリガーゼにはＴ４ＤＮＡリガーゼ、Ｔ７ＤＮＡリガーゼ、大腸菌ＤＮＡリガーゼ、Ｔａｑリガーゼ、Ｐｆｕリガーゼ、およびＴｔｈリガーゼが含まれる。前記を使用するためのプロトコルは周知である。例えば以下を参照されたい：Ｓａｍｂｒｏｏｋ ｅｔ ａｌ．（上記で引用）；Ｂａｒａｎｙ， ＰＣＲ Ｍｅｔｈｏｄｓ ａｎｄ Ａｐｐｌｉｃａｔｉｏｎｓ， １：５−１６（１９９１）； Ｍａｒｓｈ ｅｔ ａｌ．， Ｓｔｒａｔｅｇｉｅｓ， ５：７３−７６（１９９２）など。一般的には、リガーゼは、端を接する鎖の３´ヒドロキシルとの連結に５´リン酸基が存在することを必要とする。好ましいリガーゼには耐熱性（または好熱性）リガーゼ、例えばｐｆｕリガーゼ、Ｔｔｈリガーゼ、Ｔａｑリガーゼおよびアンプリガーゼ（Ａｍｐｌｉｇａｓｅ）ＴＭＤＮＡリガーゼ（Ｅｐｉｃｅｎｔｒｅ Ｔｅｃｈｎｏｌｏｇｉｅｓ， Ｍａｄｉｓｏｎ， Ｗｉｓ．）が含まれる。アンプリガーゼは低い平滑端連結活性を有する。
【００８６】
好ましいリガーゼは、ミスマッチ連結活性およびギャップ縦断連結活性が最も少ないものである。リガーゼの特異性は、より特異性の低いＴ４ＤＮＡリガーゼの代わりにより特異性の高いＮＡＤ＋依存性リガーゼ（例えば大腸菌リガーゼおよび（耐熱性の）Ｔａｑリガーゼを用いることによって高めることができる。連結反応でＮＡＤ類似体を使用することによって、さらに連結反応の特異性が高まる。例えば米国特許第５５０８１７９号（Ｗａｌｌａｃｅ ｅｔ ａｌ．）を参照されたい。
連結を実施する条件は使用する個々のリガーゼにより左右され、一般的に製造元の推奨にしたがう。例えば、好ましいアンプリガーゼ濃度は約０．０００１から約０．００１Ｕ／μＬで、好ましくは約０．０００５Ｕ／μＬである。好ましいプローブ核酸濃度は約０．００１から約０．０１ピコモル／μＬで、より好ましくは約０．０１５ピコモル／μＬである。鋳型核酸の好ましい濃度は約１ゼプトモル／μＬから約１アットモル／μＬ、もっとも好ましくは約５ゼプトモル／μＬを含む。典型的な反応は合計約２０μＬで実施される。
【００８７】
好ましい実施態様では、鋳型核酸およびプローブは、リガーゼおよびリガーゼ緩衝液とともに反応混合物に混合される。続いて鋳型およびプローブを、例えば９５℃で約５から１０分インキュベートして変性させ、続いて例えば反応温度を下げることによってアニールさせる。本明細書のいずれかの場所で述べるように、アニーリング条件は相同性領域のＴｍに左右されるであろう。アニーリングは、９５℃から約Ｔｍまで、またはＴｍより数度低い温度までゆっくりと冷却することによって実施できる。また別には、アニーリングは、反応物をＴｍより数度低い温度で約１０から約６０分インキュベートすることによって実施することができる。例えばアニーリング工程は約１５分実施してもよい。続いて反応物を６５℃で約１０分インキュベートして連結反応を実施することができる。
また別には、核酸はリガーゼの非存在下で変性およびアニーリングされ、さらにアニーリングされた核酸にリガーゼが添加され、続いて例えば６５℃で約１０分インキュベートされる。この実施態様は好ましくは熱非安定性リガーゼ用である。
【００８８】
先に述べたように、未反応プローブは望ましくない非特異的増幅のバックグラウンドの一因となる。好ましい実施態様では、未反応プレサークルプローブおよび／または標的配列は増幅に利用できなくされる。当業者には理解されるところであるが、これは多様な方法で実施できる。ある実施態様では、一切の直鎖状核酸を分解し閉環状プローブを残すエキソヌクレアーゼが添加される。適切な３´エキソヌクレアーゼには、ｅｘｏＩ、ｅｘｏＩＩＩ、ｅｘｏＶＩＩ、ｅｘｏＶ、およびポリメラーゼ（多くのポリメラーゼが優れたエキソヌクレアーゼ活性を有するので）などが含まれるが、ただしこれらに限定されない。
【００８９】
別の好ましい実施態様では、ターミナルトランスフェラーゼを用いて、分離標識（例えばビオチン）を含むヌクレオチドを任意の直鎖状分子に付加し、続いて混合物をストレプトアビジン系に通して一切の直鎖状核酸を除去し、閉環状プローブのみを残すことができる。例えば、ゲノムＤＮＡを標的として用いるとき、これを種々の技術を用いてビオチン化し、さらにプレサークルプローブを添加し環状化させることができる。環状化プローブはゲノムＤＮＡ上で鎖状に連結されるので、直鎖状の未反応プレサークルプローブは洗い流すことができる。続いて閉環状プローブを切断し、それによってゲノムＤＮＡから取り外し、採集して増幅させることができる。同様に、ターミナルトランスフェラーゼを用いて連鎖終結ヌクレオチドを付加し、伸長および／または増幅を防止することができる。適切な連鎖終結ヌクレオチドには、ジデオキシトリホスフェートヌクレオチド（ｄｄＮＴＰ）、ハロゲン化ｄＮＴＰおよびアシクロヌクレオチド（ＮＥＮ）が含まれるが、ただしこれらに限定されない。後者の連鎖終結ヌクレオチド類似体は、Ｄｅｅｐｖｅｎｔ（ｅｘｏ−）およびテルモシークェナーゼの特に良好な基質である。
【００９０】
さらに別に、サイズによる公知の分離技術を用いて閉環状プローブをもつゲノムＤＮＡと直鎖状プローブを分離することができる。
さらに、鋳型に沿ってプローブの３´末端のポリメラーゼによる伸長から生じるＰＣＲバックグラウンドが存在することを特記することは重要であろう。このバックグラウンドを減少させて、特異的に連結されたプローブの高レベルの濃縮を得ることができる。以下にＰＣＲバックグラウンドの抑制技術例が示される。これらの技術は、元のプローブおよび／または鋳型核酸の排除を必要とするであろう。
【００９１】
“二段階”プロセスのある実施態様では、プローブを連結した後、第一のプローブプライマーに相補的なビオチン付加プライマーが導入される。続いて伸長重合化反応が実施され、完全長のプローブ相補物（連結されたプローブの場合）または第二のプライマー部位を失った切端形プローブ（連結されなかったプローブの場合）のどちらかが得られる（例えば図１を参照）。続いてこの生成物を磁性ストレプトアビジンビーズに捕捉し、鋳型および元のプローブを洗い流す。続いてＰＣＲをこの“洗浄”生成物を用いて実施することができる。非連結プローブ生成物は第二のプライマー部位を欠くのでそれらは増幅されない。多数のそのような反応例が実施例に提供されている。ビオチン付加プローブはオリゴヌクレオチド合成装置で合成できる。
【００９２】
また別の実施態様では、プローブは、第一のプライマー配列と第一の相同配列との間にウラシル塩基を含むように作製される。上記（前記二段階プロセス）のように洗い流し反応の後、ウラシル−Ｎ−グリコシラーゼを用い、元のプローブの全てで鎖の分割を誘導して一切のＰＣＲを停止させる。完全長の伸長生成物だけが増幅されるであろう。
さらに別の実施態様では、上記のような伸長反応の代わりに、ローリングサークル型重合化反応を実施することができる。このようにして連結されたプローブの多くの連鎖コピーが生成され、非連結プローブに対して連結プローブの濃度が効率的に増加し非連結プローブの増幅レベルが低下する。この技術は、例えば実施例２および米国特許第５８５４０３３号（Ｌｉｚａｒｄｉ ｅｔ ａｌ．）に記載されている。
【００９３】
バックグラウンド増幅（すなわち非特異的増幅）を減少させるまた別の方法は、一切の非連結プローブを分解するエキソヌクレアーゼの使用を含む。増幅に先立って、一切のエキソヌクレアーゼは反応混合物から、例えば前記ヌクレアーゼの熱変性によって除去しなければならない。
いったん閉環状プローブが生成されたら、前記プローブは、本明細書に述べるように２つの道のどちらかをたどる。好ましい実施態様では、一切の残存する直鎖状プローブ、配列およびプライマーは除去され、ここで述べるように閉環状プローブのみが残され、さらに下記で述べるように増幅されてアンプリコンを生成する（“一段階”プロセス）。また別には、閉鎖プローブの直鎖状コピーが生成され、増幅反応に用いられるのはこの直鎖状コピー（新しい末端を含む）である。
いったん切断したら、直鎖化された切断プローブは続いて増幅させることができる。しかしながら、遺伝子型決定で“ギャップ”を用いる実施態様では、審問ｄＮＴＰの添加前に一切のｄＮＴＰを先ず除去または分解することが有用である。これは、ここに概略する種々の態様で実施することができる。一般的にはヌクレオチド分解酵素（ここに概略するようにアピラーゼが含まれるが、ただしこれに限定されない）が添加される。
【００９４】
いったん切断したら、続いて直鎖化切断プローブを増幅させることができる。当業者には理解されようが、本発明のアンプリコンを生成するために用いることができる極めて多様な増幅技術が存在する。続いて前記アンプリコンは、（一般的にはアレーの使用により）下記にさらに完全に説明するように検出される。適切な増幅方法は標的増幅およびシグナル増幅の両者を含み、これらには、ポリメラーゼ連鎖反応（ＰＣＲ）、連結連鎖反応（ときにオリゴヌクレオチドリガーゼ増幅（ＯＬＡ）と称される）、サイクリングプローブ技術（ＣＰＴ）、鎖置換アッセイ（ＳＤＡ）、転写仲介増幅（ＴＭＡ）、核酸配列依存増幅（ＮＡＳＢＡ）および侵襲切断技術が含まれるが、ただしこれらに限定されない。これらの方法のいずれも、標的配列とハイブリダイズしてハイブリダイゼーション複合体を生成するプライマー核酸（核酸類似体を含む）を必要とし、さらに何らかの態様でプライマーを改変し改変プライマーを生成する酵素が添加される。例えばＰＣＲは、一般的に２つのプライマー、ｄＮＴＰおよびＤＮＡポリメラーゼを必要とする。ＬＣＲは、標的配列と隣接してハイブリダイズする２つのプライマーとリガーゼを必要とする。ＣＰＴは、１つの切断可能プラマーおよび切断酵素を要求し、侵襲切断法は２つのプライマーおよび切断酵素を要求する、云々。したがって、一般的には、切断されるプローブは、必要な増幅成分を含む反応混合物に添加され、アンプリコンが生成される。
【００９５】
一般的には、アンプリコンは検出可能な標識（例えば蛍光標識）を含む。前記標識は酵素によって取り込まれるか、または元のプライマーに存在する。必要に応じて、未反応プライマーは多様な方法で除去される。前記方法は当業者には周知であろう。続いてハイブリダイゼーション複合体を分離させ、アンプリコンを検出し、場合によってアレーで定量する。いくつかの事例では、第一のアンプリコンは第二の反応の標的配列として機能し、続いて多数の第二のアンプリコンを生成し、ここに概略するように前記第二のアンプリコンを検出することができる。
したがって、前記反応は、ハイブリダイゼーション複合体を生成する標的配列にプライマー核酸を添加することによって開始する。プライマーと標的配列との間でハイブリダイゼーション複合体が形成されたら、酵素（ときに“増幅酵素”と称される）を用いて前記プライマーを改変する。ここに概略する全ての方法の場合、酵素はアッセイのいずれの時点でも（プライマーの添加前、添加中または添加後）添加できる。酵素が何であるかは、下記でさらに完全に説明するように使用される増幅技術に左右される。同様に、改変も下記で説明するように増幅技術により変動するであろう。
【００９６】
酵素がプライマーを改変しアンプリコンを生成したら、ハイブリダイゼーション複合体を分離させる。ある特徴では、分離はアッセイ条件の改変によって実施される。別の特徴では、改変プライマーは標的核酸ともはやハイブリダイズしなくなり分離される。前記特徴の１つまたは両方で、下記で述べるように、シグナル増幅反応および標的増幅反応を用いることができる。一般的に、増幅工程は、元の標的配列のコピー数および検出の感度に応じて、多数のサイクルを可能にする一定時間中繰り返される。前記サイクル数は１から数千であり、１０から１００サイクルが好ましく、１５から５０サイクルが特に好ましい。ある種の実施態様では、例えば特定の配列を定量したい場合、各々が異なる数のサイクルを含むいくつかの増幅反応を並行して実施するのが好ましい。それによって、少なくとも１セットの反応で増幅反応が指数関数期にあり、したがって増幅される生成物のレベルと元の配列数との間に正比例が得られる。
【００９７】
適切な増幅時間後に、必要な場合は、当業者の知る多様な方法で未反応プライマーを除去し、さらにハイブリダイゼーション複合体を分離させる。一般的には、アンプリコンは、検出可能標識（例えば蛍光標識）（前記は酵素によって取り込まれるかまたは元のプライマーに存在する）を含み、前記アンプリコンを下記に概略するようにアレーに添加する。検出は、下記でさらに完全に説明するように、標的配列の有無または量を表示する標識を検出することによって実施される。
好ましい実施態様では増幅は標的の増幅である。標的増幅は、標的配列のコピー数が増加するような、検出されるべき標的配列の増幅（複製）を必要とする。適切な標的増幅技術には、ポリメラーゼ連鎖反応（ＰＣＲ）、鎖置換増幅（ＳＤＡ）、転写仲介増幅（ＴＭＡ）および核酸配列依存増幅（ＮＡＳＢＡ）が含まれるが、ただしこれらに限定されない。
【００９８】
好ましい実施態様では標的増幅技術はＰＣＲである。ポリメラーゼ連鎖反応（ＰＣＲ）は広く用いられ、さらに報告もされているが、サーモサイクルと組み合わせたプライマー伸長を用い標的配列の増幅を必要とする（例えば以下を参照されたい：Ｕ．Ｓ． Ｐａｔ． ４，６８３，１９５および４，６８３，２０２； ＰＣＲ Ｅｓｓｅｎｔｉａｌ Ｄａｔａ， Ｊ．Ｗ． Ｗｉｌｌｅｙ ＆ ｓｏｎｓ， Ｅｄ． Ｃ．Ｒ． Ｎｅｗｔｏｎ， １９９５（前記文献は全て参照により本明細書に含まれる））。さらに、多数のＰＣＲの変型があるが、それらもまた本発明で有用であり、以下が含まれる：“定量的競合ＰＣＲ”または“ＱＣ−ＰＣＲ”、“任意プライミングＰＣＲ”または“ＡＰ−ＰＣＲ”、“イムノ−ＰＣＲ”、“Ａｌｕ−ＰＣＲ”、“ＰＣＲ一本鎖構造多形性”または“ＰＣＲ−ＳＳＣＰ”、“逆転写酵素ＰＣＲ”または“ＲＴ−ＰＣＲ”、“ビオチン捕捉ＰＣＲ”、“ベクトレットＰＣＲ”、“パンハンドルＰＣＲ”および“ＰＣＲセレクトｃＤＮＡサブトラクション”、“対立遺伝子特異的ＰＣＲ”。
【００９９】
一般的には、ＰＣＲは単純に下記のように説明することができる。二本鎖の標的核酸を変性させ（一般的には温度を上昇させることによって）、続いて過剰なプライマーの存在下で冷却し、前記プライマーは第一の標的鎖とハイブリダイズする。続いて、ＤＮＡポリメラーゼがｄＮＴＰとともに作用してプライマーを伸長させ、ハイブリダイゼーション複合体を形成する新しい鎖を合成する。続いてサンプルを再び加熱し、前記ハイブリダイゼーション複合体を分離させ、さらに前記工程を繰り返す。相補的な標的鎖のための第二のＰＣＲプライマーを用いることによって、迅速で指数関数的増幅が得られる。したがって、ＰＣＲ工程は変性、アニーリングおよび伸長である。ＰＣＲの詳細は周知で、耐熱性ポリメラーゼ（例えばＴａｑＩポリメラーゼ）およびサーモサイクリングが含まれる。
【０１００】
したがって、ＰＣＲ反応は少なくとも１つのＰＣＲプライマー、ポリメラーゼおよび一式のｄＮＴＰを必要とする。ここに概略するように、プライマーが標識を含んでいても、またはｄＮＴＰの１つまたは２つ以上が標識を含んでいてもよい。
好ましい実施態様では、標的増幅技術はＳＤＡである。鎖置換増幅（ＳＤＡ）は以下の文献に一般的に記載されている：Ｗａｌｋｅｒ ｅｔ ａｌ．， ” Ｍｏｌｅｃｕｌａｒ Ｍｅｔｈｏｄｓ ｆｏｒ Ｖｉｒｕｓ Ｄｅｔｅｃｔｉｏｎ，” Ａｃａｄｅｍｉｃ Ｐｒｅｓｓ， Ｉｎｃ．， １９９５； Ｕ．Ｓ． Ｐａｔ． ５，４５５，１６６；Ｕ．Ｓ． Ｐａｔ ５，１３０，２３８（前記全ての文献は参照により本明細書に含まれる）。
【０１０１】
一般的に、ＳＤＡは以下のように説明できる。一本鎖標的核酸（通常はＤＮＡ標的核酸）をＳＤＡプライマーと接触させる。“ＳＤＡプライマー”は一般に長さが２５から１００ヌクレオチドであるが、約３５ヌクレオチドのＳＤＡが好ましい。ＳＤＡプライマーは実質的には標的配列の３´末端の領域と相補的であり、前記プライマーは、下記で概略するようにその５´末端に（標的と相補的である領域の外側に）、制限エンドヌクレアーゼ（ときに本明細書では“ニッキング酵素”または“ニッキングエンドヌクレアーゼ”と称する）の認識配列である配列を有する。続いてＳＤＡプライマーを標的配列とハイブリダイズさせる。ＳＤＡ反応混合物はまた、ポリメラーゼ（下記で概略するように“ＳＤＡポリメラーゼ”）および４種の全てのデオキシヌクレオシド三燐酸（デオキシヌクレオチドまたはｄＮＴＰとも称される、すなわちｄＡＴＰ、ｄＴＴＰ、ｄＣＴＰおよびｄＧＴＰ）の混合物を含み、前記デオキシヌクレオシド三燐酸の少なくとも１種は置換または改変されたｄＮＴＰである。したがってＳＤＡプライマーは、改変（すなわち伸長）されて改変プライマー（本明細書でときに“新規合成鎖”と称される）を生成する。置換ｄＮＴＰは、置換ｄＮＴＰを含む鎖の切断は抑制するが、他の鎖の切断は抑制しないように改変されるであろう。適切な置換ｄＮＴＰの例には、２´デオキシアデノシン５´−Ｏ−（１−チオトリホスフェート）、５−メチルデオキシシチジン５´−トリホスフェート、２´−デオキシウリジン５´−トリホスフェート、ａｄｎ７−デアザ−２´−デオキシグアノシン５´−トリホスフェートが含まれるが、ただしこれらに限定されない。さらに、ｄＮＴＰの置換は新規合成鎖に取り込まれた後で実施してもよい。例えばメチラーゼを用いてメチル基を合成鎖に付加することができる。さらに、全てのヌクレオチドが置換された場合、ポリメラーゼは５´から３´方向のエキソヌクレアーゼ活性を有することができる。しかしながら全てのヌクレオチドが置換されるまでは、ポリメラーゼは好ましくは５´から３´方向のエキソヌクレアーゼ活性を欠く。
【０１０２】
当業者には理解されるところであるが、認識部位／エンドヌクレアーゼ対は公知の多様な組み合わせのいずれでもよい。エンドヌクレアーゼは、認識部位またはそれに対して３´もしくは５´側で鎖を切断するように選択され、相補的配列は切断しない。なぜならば、前記酵素は一方の鎖を切断するだけであるため、または置換ヌクレオチドの取込みのためである。適切な認識部位／エンドヌクレアーゼ対は当分野で周知である。適切なエンドヌクレアーゼには、ＨｉｎｃＩＩ、ＨｉｎｄＩＩ、ＡｖａＩ、Ｆｎｕ４ＨＩ、ＴｔｈｌＩＩＩ、ＮｃＩＩ、ＢｓｔＸＩ、ＢａｍＨＩなどが含まれるが、ただしこれらに限定されない。使用に適切な酵素、それらの対応する認識部位および改変ｄＮＴＰは米国特許第５４５５１６６号（前記文献は参照により本明細書に含まれる）に記載されている。
【０１０３】
いったんニックを入れたら、ポリメラーゼ（“ＳＤＡポリメラーゼ”）を用いて、新しくニックの入った鎖を５´から３´方向に伸長し、それによって別の新しく合成された鎖を生成する。選択したポリメラーゼは、ニック部位で５´から３´方向に重合を開始することができなければならず、さらにまたニックから下流で重合された鎖を置き換えなければならず、さらに５´から３´方向のエキソヌクレアーゼ活性を欠いていなければならない（これは封鎖剤の添加によって追加的に達成できる）。したがって、ＳＤＡで適切なポリメラーゼには、ＤＮＡポリメラーゼＩのクレノーフラグメント、シークェナーゼ（ＳＥＱＵＥＮＡＳＥ）１．０およびシークェナーゼ２．０（Ｕ．Ｓ． Ｂｉｏｃｈｅｍｉｃａｌ）、Ｔ５ＤＮＡポリメラーゼおよびＰｈｉ２９ＤＮＡポリメラーゼが含まれるが、ただしこれらに限定されない。
【０１０４】
したがって、ＳＤＡ反応は、固有の順序ではないがＳＤＡプライマー、ＳＤＡポリメラーゼ、ニッキングエンドヌクレアーゼ、およびｄＮＴＰ（そのうちの少なくとも１種は改変されている）を必要とする。
一般的に、ＳＤＡはサーモサイクリングを必要としない。反応温度は一般的に非特異的ハイブリダイゼーションを防止するために十分高いが、特異的なハイブリダイゼーションを可能にするために十分低くあるように設定される。これは一般的に約３７℃から約４２℃で酵素によって異なる。
好ましい実施態様では、ここで述べる増幅技術のほとんどに関して、第二の増幅反応は相補的な標的配列を用いて実施され、設定時間での増幅に実質的な増加が得られる。すなわち、第二のプライマー核酸は第二の標的核酸（第一の標的配列と実質的に相補的である）とハイブリダイズし、第二のハイブリダイゼーション複合体を生成する。第二のハイブリダイゼーション複合体を分離させた後、酵素を添加して多数の新しく合成された第二の鎖が生成される。
【０１０５】
好ましい実施態様では、標的増幅技術は核酸配列依存増幅（ＮＡＳＢＡ）である。ＮＡＳＢＡは以下の文献に一般的に記載されている：Ｕ．Ｓ． Ｐａｔ．５，４０９，８１８； Ｓｏｏｋｎａｎａｎ ｅｔ ａｌ．， ”Ｎｕｃｌｅｉｃ Ａｃｉｄ Ｓｅｑｕｅｎｃｅ−Ｂａｓｅｄ Ａｍｐｌｉｆｉｃａｔｉｏｎ”， Ｃｈ． １２（ｐｐ．  ２６１−２８５） ｏｆ Ｍｏｌｅｃｕｌａｒ Ｍｅｔｈｏｄｓ ｆｏｒ Ｖｉｒｕｓ Ｄｅｔｅｃｔｉｏｎ， Ａｃａｄｅｍｉｃ Ｐｒｅｓｓ， １９９５； ”Ｐｒｏｆｉｔｉｎｇ ｆｒｏｍ Ｇｅｎｅ−ｂａｓｅｄ Ｄｉａｇｎｏｓｔｉｃｓ”， ＣＴＢ Ｉｎｔｅｒｎａｔｉｏｎａｌ Ｐｕｂｌｉｓｈｉｎｇ Ｉｎｃ．， Ｎ．Ｊ．， １９９６（前記文献は全て参照により本明細書に含まれる）。ＮＡＳＢＡはＴＭＡおよびＱＢＲの両者に非常に類似している。転写仲介増幅（ＴＭＡ）は、米国特許第５３９９４９１号、同５８８８７７９号、同５７０５３６５号、同５７１００２９号（前記文献は全て参照により本明細書に含まれる）に記載されている。ＮＡＳＢＡとＴＭＡとの間の主要な相違は、ＮＡＳＢＡはＲＮＡ分解のためにリボヌクレアーゼＨの添加を利用し、ＴＭＡは逆転写酵素の固有のリボヌクレアーゼＨ活性を利用する。
【０１０６】
これらの技術は一般的に下記で説明されるであろう。一本鎖標的核酸（通常はＲＮＡ標的核酸、ときに本明細書では“第一の標的配列”または“第一の鋳型”と称され、切断された環状プローブである）を第一のプライマーと接触させる。前記第一のプライマーは本明細書では一般的に“ＮＡＳＢＡプライマー”と称される（“ＴＭＡプライマー”もまた適切であるが）。ＤＮＡ標的配列を用いての開始は下記で説明する。前記のプライマーは一般的には長さが２５から１００ヌクレオチドで、ほぼ５０から７５ヌクレオチドのＮＡＳＢＡプライマーが好ましい。第一のプライマーは好ましくは、第一の鋳型の３´末端と実質的に相補的な配列をその３´末端に有するＤＮＡプライマーである。第一のプライマーはまた、その５´末端にＲＮＡポリメラーゼプロモーター（または、前記系の構成にしたがってその相補物（アンチセンス））を有する。続いて前記第一のプライマーを第一の鋳型とハイブリダイズさせて第一のハイブリダイゼーション複合体を生成する。前記反応混合物はまた、逆転写酵素（“ＮＡＳＢＡ逆転写酵素”）および４種のｄＮＴＰの混合物を含み、それによって、第一のＮＡＳＢＡプライマーが改変され（すなわち伸長され）、改変された第一のプライマーを生成し、前記はＲＮＡ（第一の鋳型）およびＤＮＡ（新しく合成された鎖）のハイブリダイゼーション複合体を含む。
【０１０７】
本明細書の“逆転写酵素”または“ＲＮＡ依存ＤＮＡポリメラーゼ”とは、ＤＮＡプライマーおよびＲＮＡ鋳型からＤＮＡを合成することができる酵素を意味する。適切なＲＮＡ依存ＤＮＡポリメラーゼには、ニワトリ骨髄芽球症ウイルスの逆転写酵素（“ＡＭＶＲＴ”）およびモロニーネズミ白血病ウイルスのＲＴが含まれるが、ただしこれらに限定されない。増幅反応がＴＭＡであるとき、逆転写酵素は下記で概略するようにさらにＲＮＡ分解活性を有する。
上記に挙げた成分の他に、ＮＡＳＢＡ反応はまた、ＲＮＡ：ＤＮＡハイブリッドのＲＮＡを加水分解するが一本鎖もしくは二本鎖のＲＮＡまたはＤＮＡは加水分解しないＲＮＡ分解酵素（本明細書ではときにまたリボヌクレアーゼと称される）を含む。適切なリボヌクレアーゼには大腸菌およびウシ胸腺のリボヌクレアーゼＨが含まれるが、ただしこれらに限定されない。
リボヌクレアーゼ活性はハイブリダイゼーション複合体中の第一のＲＮＡ鋳型を分解してハイブリダイゼーション複合体を分離させ、第一の一本鎖の新しく合成されたＤＮＡ鎖（本明細書ではときに“第二の鋳型”と称する）を残す。
【０１０８】
さらに、ＮＡＳＢＡ反応はまた、第二のＮＡＳＢＡプライマー（一般的にはＤＮＡを含むが、ただしプライマーを含む本明細書の全てのプローブの場合、核酸類似体もまた用いることができる）を含む。この第二のＮＡＳＢＡプライマーは、第二の鋳型の３´末端と実質的に相補的な配列をその３´末端に有し、さらにまた機能的プロモーターのためのアンチセンス配列および転写開始部位のアンチセンス配列を含む。したがって、このプライマー配列は、第三のＤＮＡ鋳型を合成するための鋳型として用いられるとき、ＲＮＡポリメラーゼの特異的で効率的な結合および所望の部位での転写の開始を可能にする十分な情報を含んでいる。好ましい実施態様ではアンチセンスプロモーターが利用され、さらに転写開始部位はＴ７ＲＮＡポリメラーゼのそれであるが、ただし下記に概略するように、他のＲＮＡポリメラーゼのプロモーターおよび開始部位も同様に用いることができる。
【０１０９】
第二のプライマーは第二の鋳型とハイブリダイズし、ＤＮＡポリメラーゼ（“ＤＮＡ依存ＤＮＡポリメラーゼ”とも称される）も反応に存在し、第三の鋳型（第二の新しく合成されるＤＮＡ鎖）を合成し、第二の新しく合成されたＤＮＡ鎖を含む第二のハイブリダイゼーション複合体を生成させる。
最終的には、ＲＮＡポリメラーゼおよび必要な４種のリボヌクレオシド三燐酸（リボヌクレオチドまたはＮＴＰ）を包含させることによって、ＲＮＡ鎖（本質的に第一の鋳型と同じである第三の新規に合成された鎖）の合成がもたらされる。ＲＮＡポリメラーゼ（本明細書ではときに“ＤＮＡ依存ＲＮＡポリメラーゼ”と称される）は前記プロモーターを認識し、開始部位で特異的にＲＮＡ合成を開始する。さらに、前記ＲＮＡポリメラーゼは好ましくは、ＤＮＡデュープレックスにつき数コピーのＲＮＡを合成する。好ましいＲＮＡポリメラーゼには、Ｔ７ＲＮＡポリメラーゼおよび他のバクテリオファージＲＮＡポリメラーゼ（ファージＴ３、ファージΦＩＩ、サルモネラファージｓｐ６またはシュードモナスファージｇｈ−１のＲＮＡポリメラーゼを含む）が含まれるが、ただしこれらに限定されない。
【０１１０】
いくつかの実施態様では、ＴＭＡおよびＮＡＳＢＡは出発ＤＮＡ標的配列を用いて実施される。この実施態様では、ＲＮＡポリメラーゼプロモーターを含む第一のプライマーおよびＤＮＡポリメラーゼ酵素を用い、前記プロモーター配列を含む新しく合成される鎖が含まれた二本鎖ＤＮＡハイブリッドを生成することを必要とする。続いて、前記ハイブリッドを変性させ第二のプライマーを添加する。
したがって、ＮＡＳＢＡは、下記に概略する検出成分の他に、特定の順序ではないが第一のＮＡＳＢＡプライマー、ＲＮＡポリメラーゼプロモーターのアンチセンス配列を含む第二のＮＡＳＢＡプライマー、前記プロモーターを認識するＲＮＡポリメラーゼ、逆転写酵素、ＤＮＡポリメラーゼ、ＲＮＡ分解酵素、ＮＴＰおよびｄＮＴＰを必要とする。
前記の成分はただ１つの出発ＲＮＡ鋳型を生じ、これはただ１つのＤＮＡデュープレックスを生成する。しかしながらこのＤＮＡデュープレックスは多数のＲＮＡ鎖（前記ＲＮＡ鎖は続いて前記反応を再び開始させるために用いられる）を生成させるので、増幅は迅速に進行する。
【０１１１】
したがって、ＴＭＡは、下記に概略する検出成分の他に、特定の順序ではないが第一のＴＭＡプライマー、ＲＮＡポリメラーゼプロモーターのアンチセンス配列を含む第二のＴＭＡプライマー、前記プロモーターを認識するＲＮＡポリメラーゼ、ＲＮＡ分解活性を有する逆転写酵素、ＤＮＡポリメラーゼ、ＮＴＰおよびｄＮＴＰを必要とする。
前記の成分はただ１つの出発ＲＮＡ鋳型を生じ、これはただ１つのＤＮＡデュープレックスを生成する。しかしながらこのＤＮＡデュープレックスは多数のＲＮＡ鎖（前記ＲＮＡ鎖は続いて前記反応を再び開始させるために用いられる）を生成させるので、増幅は迅速に進行する。
【０１１２】
このようにして、多数の二次標的分子（例えばアンプリコン）が生成される。下記でさらに完全に説明するように、これらの反応（すなわちこれらの反応の生成物）は多数の方法で検出することができる。
未反応直鎖状プローブが除去される実施態様では、標的増幅のまた別の選択肢は、固有のプローブ配列（例えばバーコード配列）との相互作用をベースにするシグナル増幅である。好ましい実施態様では増幅技術はシグナル増幅である。シグナル増幅は、鋳型として限定された数の標的分子を使用して、多数のシグナリングプローブを生成するか、または多数のシグナリングプローブの使用を可能にすることを必要とする。シグナル増幅方法には、ＯＬＡ、ＣＰＴ、ＱβＲおよび侵襲的切断技術が含まれる。
【０１１３】
好ましい実施態様では、一塩基伸長（ＳＢＥ；ときに“ミニ配列決定”と称される）が増幅に用いられる。簡単に記せば、ＳＢＥは、標的核酸（この場合は少なくともバーコード配列）とハイブリダイズする伸長プライマーを利用する技術である。ポリメラーゼ（一般的にＤＮＡポリメラーゼ）を用いて、ここに記載するように検出標識で標識したヌクレオチド類似体を用いて前記プライマーの３´末端を伸長させる。前記酵素の忠実性により、ヌクレオチドは、標的鎖の隣接ヌクレオチドと相補的である場合にヌクレオチドが伸長プライマーに取り込まれる。一般的に、前記ヌクレオチドは、更なる伸長が生じないように、ただ１つのヌクレオチドが付加されるように誘導される。標識ヌクレオチドが付加されたら、ここに概略するように標識の検出が進行する（一般的には例えば以下の文献を参照されたい：Ｓｙｌｖａｎｅｎ ｅｔ ａｌ．， Ｇｅｎｏｍｉｃｓ ８：６８４−６９２（１９９０）； Ｕ．Ｓ． Ｐａｔ． ５，８４６，７１０および５，８８８，８１９； Ｐａｓｔｉｎｅｎ ｅｔ ａｌ．， Ｇｅｎｏｍｉｃｓ Ｒｅｓ． ７（６）：６０６−６１４（１９９７）、全ての前記文献は参照により本明細書に含まれる）。
【０１１４】
前記反応は、切断された環状プローブを含むアッセイ複合体を、第一のヌクレオチド（しばしばヌクレオチド類似体）を含む溶液に導入することによって開始される。本明細書の“ヌクレオチド類似体”とは、デオキシヌクレオシド三燐酸（デオキシヌクレオチドまたはｄＮＴＰ（すなわちｄＡＴＰ、ｄＴＴＰ、ｄＣＴＰおよびｄＧＴＰ）とも称される）を意味し、前記は連鎖を終結させることができるようにさらに誘導される。当業者には理解されようが、ポリメラーゼ酵素が審問場所に前記ヌクレオチドを取り込むことができるかぎりいずれのヌクレオチド類似体も用いることができる。好ましい実施態様は、ジデオキシ三燐酸ヌクレオチド（ｄｄＮＴＰ）を利用する。一般的には、ｄｄＡＴＰ、ｄｄＣＴＰ、ｄｄＧＴＰおよびｄｄＴＴＰを含むヌクレオチド一式が用いられ、少なくともそのうちの１つは標識を含み、好ましくは４種全てが標識を含む。
【０１１５】
好ましい実施態様では、前記ヌクレオチド類似体は検出可能な標識を含み、前記標識は、下記に概略するように一次検出性または二次検出性標識であろう。蛍光発色団を含むヌクレオチドの酵素による取込みは多くの条件下で貧弱である。したがって、好ましい実施態様では二次検出性標識が用いられる。
第一のヌクレオチドの他に、前記溶液は伸長酵素（一般にＤＮＡポリメラーゼ）も含む。適切なＤＮＡポリメラーゼには、ＤＮＡポリメラーゼＩのクレノーフラグメント、シークェナーゼ１．０およびシークェナーゼ２．０（Ｕ．Ｓ． Ｂｉｏｃｈｅｍｉｃａｌ）、Ｔ５ＤＮＡポリメラーゼおよびＰｈｉ２９ＤＮＡポリメラーゼが含まれるが、ただしこれらに限定されない。ＮＴＰが、標的配列（伸長プライマーと隣接する）の検出場所の塩基と相補的である場合、伸長酵素は前記ＮＴＰを伸長プライマーに付加するであろう。したがって、伸長プライマーは改変され（すなわち伸長され）、改変プライマー（本明細書ではときに“新しく合成された鎖”と称する）を生成する。
【０１１６】
この方法の限界は、標的核酸の濃度が十分でない場合、反応中の非伸長プライマーの量は生成される伸長標識プライマーをはるかに超えるということである。過剰な非伸長プライマーは、本明細書に記載するアッセイで前記標識プライマーの検出に競合する。したがって、ＳＢＥを用いる場合は、好ましい実施態様では、ここに概略するように非伸長プライマーを除去する方法が用いられる。
この限界を克服する１つの方法はサーモサイクルミニ配列決定であり、前記方法では、サーモサイクラーおよび耐熱性ポリメラーゼを用いるアニーリング、プライマー伸長および熱変性サイクルの繰返しによって伸長プローブの増幅が可能になり、伸長プライマーが蓄積される。例えば、最初の非伸長プライマー対標的核酸濃度が１００：１から１００の場合に、サーモサイクルおよび伸長が実施され、プライマーの大半が伸長される。
したがって、ＳＢＥ反応は、特定の順序ではないが伸長プライマー、ポリメラーゼおよびｄＮＴＰ（そのうちの少なくとも１つは標識される）を必要とする。
【０１１７】
好ましい実施態様では、シグナル増幅技術はＯＬＡである。ＯＬＡ（前記は二本鎖基質が用いられるときは連結連鎖反応（ＬＣＲ）と称される）は、標的配列を鋳型として用いて２本の短いプローブを１本の長いプローブに連結することを含む。ＬＣＲでは、連結されたプローブ生成物は、反応が進行するにつれ優勢な鋳型となる。前記方法は２つの異なる態様で実施することができる。第一の実施態様では、標的配列の１つの鎖のみが連結のための鋳型として用いられる。また別の態様では両方の鎖を用いることができる。一般的に以下の文献を参照されたい：Ｕ．Ｓ． Ｐａｔ． ５，１８５，２４３； ５，６７９，５２４および５，５７３，９０７； ＥＰ３２０， ３０８Ｂ１； ＥＰ３３６， ７３１Ｂ１；ＥＰ４３９１８２Ｂ１； ＷＯ９０／０１０６９； ＷＯ８９／１２６９６； ＷＯ９７／３１２５６； ＷＯ８９／０９８３５； Ｕ．Ｓ．Ｓ．Ｎ．６０／０７８１０２および６０／０７３０１１（全ての前記文献は参照により本明細書に含まれる）。
【０１１８】
好ましい実施態様では、切断された環状プローブは第一の標的ドメインおよび第二の標的ドメインを含み、前記は隣接し連続的で、バーコード配列の上に広がっているはずである。第一のＯＬＡプライマーおよび第二のＯＬＡプライマー核酸が添加されるが、それらは対応する標的ドメインと実質的に相補的で、したがって標的ドメインとハイブリダイズするであろう。これら標的ドメインは直接隣接（すなわち連続）していても、または多数のヌクレオチドによって分離されていてもよい。それらドメインが非連続的である場合、ヌクレオチドは、プライマーの１つにヌクレオチドを付加することができるヌクレオチド結合手段（例えばポリメラーゼ）と一緒に添加される。続いて、例えばリガーゼ酵素（例えば当分野で公知のもの）を用いて２つのＯＬＡプライマーを共有結合させ、改変プライマーを生成する。これによって、連結プローブと標的配列を含む第一のハイブリダイゼーション複合体が生成される。続いて前記ハイブリダイゼーション複合体を変性させ（分離させ）、さらに前記プロセスを繰り返して連結プローブプールを作製する。
【０１１９】
好ましい実施態様では、ＯＬＡは二本鎖標的配列の２つの鎖について実施される。標的配列を変性させ、２組のプローブを添加する（１組は上記で概略したように標的の１つの鎖用で、別の組（すなわち第三および第四のプローブ核酸）は標的の他方の鎖用である）。好ましい実施態様では、増幅が生じることができるように、第一と第三のプローブがハイブリダイズし、第二と第四のプローブがハイブリダイズする。すなわち、第一および第二のプローブが結合したとき、連結されたプローブは、第二の標的配列の他に、第三および第四のプローブの結合のための鋳型として用いられる。同様に、連結された第三および第四のプローブは、第一の標的鎖の他に、第一および第二のプローブの結合のための鋳型として機能するであろう。このようにして、指数関数的（単なる直線状ではなく）増幅が得られる。
【０１２０】
繰り返せば、上記で概略したように、ＬＣＲ反応の検出はまた、プライマーの一方または両方が少なくとも１つの検出可能な標識を含む場合には直接実施でき、また追加プローブの使用によりサンドイッチアッセイを用いて間接的に実施することができる。すなわち、連結されたプローブは標的配列として機能することができ、検出は、増幅プローブ、捕捉プローブ、捕捉伸長プローブ、標識プローブおよび標識伸長プローブを利用することができる。
好ましい実施態様では、シグナル増幅技術は侵襲的切断技術である。前記は、以下を含む多数の特許および特許出願に記載されている：Ｕ．Ｓ．Ｐａｔ． ５，８４６，７１７； ５，６１４，４０２； ５，７１９，０２８； ５，５４１，３１１；および５，８４３，６６９（全ての前記文献は参照により本明細書に含まれる）。侵襲的切断技術は、位置特異的態様で核酸を切断する構造特異的ヌクレアーゼを基にする。２つのプローブが用いられる。すなわち、“インベーダー”プローブおよび“シグナリング”プローブで、それらは標的配列とオーバーラップしながら隣接してハイブリダイズする。ミスマッチ識別のために、インベーダー技術は、切断が生じるオーバーラップの場所の相補性を必要とする。前記オーバーラップを酵素が切断し、（標識または非標識）“テール”を遊離させる。続いてこのテールが検出される。
【０１２１】
侵襲的切断技術は一般的に以下のように説明することができる。切断された環状プローブは２つの別個のプローブによって認識される。第一のプローブ（本明細書では一般的には“インベーダー”プローブと称される）は、前記切断された環状プローブの第一の部分と実質的に相補的である。この実施態様では、切断環状プローブの第一の部分は標的特異的ドメインを含むことができるので、バーコードは不要である。第二のプローブ（本明細書では一般的に“シグナルプローブ”と称される）は、切断環状プローブの標的ドメインと部分的に相補的である。前記シグナルオリゴヌクレオチドの３´末端は切断環状プローブと実質的に相補的であるが、一方、５´末端は非相補的で、好ましくは一本鎖の“テール”または“アーム”を形成する。第二のプローブの前記非相補的末端は好ましくは、下記で述べるように標的配列の有無を示すために用いられる“属特異的”または“固有”の配列（例えばバーコード配列）を含む。第二のプローブのバーコード配列は、好ましくは少なくとも１つの検出可能な標識を含むが、ただし、ここで概略するようにこの検出配列は捕捉プローブのために標的配列として機能するので、標識プローブを利用するサンドイッチ構成もまた実施可能である。
【０１２２】
標的核酸上で互いに近傍でまたは隣接して第一および第二のオリゴヌクレオチドがハイブリダイズして多数の構造物を生成する。好ましい実施態様では、フォークをもつ切断構造物が生成され、前記はシグナルオリゴヌクレオチドから検出配列を切断するヌクレアーゼの基質である。切断部位は、インベーダーオリゴヌクレオチドとシグナルオリゴヌクレオチドの下流のフォークとの間の距離またはオーバーラップによって制御される。したがって、いずれのオリゴヌクレオチドも、ミスアラインが生じたとき、または標的核酸と結合しないときは切断されない。
【０１２３】
好ましい実施態様では、フォークを有する切断構造を認識し、テールの遊離を触媒するヌクレアーゼは耐熱性で、それによって所望の場合は切断反応のサーマルサイクリングを可能にする。望ましくない副作用である合成活性が少なくなるように改変した耐熱ＤＮＡポリメラーゼに由来する好ましいヌクレアーゼは、米国特許第５７１９０２８号および５８４３６６９号に開示されている（前記文献は参照により本明細書に含まれる）。前記ＤＮＡポリメラーゼの合成活性は、前記が切断反応の検出および遊離テールの検出に干渉しないレベルまで低下している。好ましくは前記ＤＮＡポリメラーゼは検出可能なポリメラーゼ活性をもたない。ヌクレアーゼの例は、テルムス＝アクォティクス（Ｔｈｅｒｍｕｓ ａｑｕａｔｉｃｕｓ）、テルムス＝フラブス（Ｔｈｅｒｍｕｓ ｆｌａｖｕｓ）またはテルムス＝テルモフィルス（Ｔｈｅｒｍｕｓ ｔｈｅｒｍｏｐｈｉｌｕｓ）に由来するものである。
【０１２４】
別の実施態様では、古細菌種由来のＦＥＮ−１またはＦＥＮ−２様ヌクレアーゼから選択された耐熱性の構造特異的ヌクレアーゼはフラップ（Ｆｌａｐ）エンドヌクレアーゼ（ＦＥＮ）で、例えば、メタノコッカス＝ヤナスキー（Ｍｅｔｈａｎｏｃｏｃｃｕｓ ｊａｎｎａｓｃｈｉｉ）、ピロコッカス＝フリオーシス（Ｐｙｒｏｃｏｃｃｕｓ ｆｕｒｉｏｓｉｓ）、ピロコッカス＝ウェーシー（Ｐｙｒｏｃｏｃｃｕｓ ｗｏｅｓｅｉ）およびアーケオグロブス＝フルギドゥス（Ａｒｃｈａｅｏｇｌｏｂｕｓ ｆｕｌｇｉｄｕｓ）由来のＦＥＮ−１である（Ｕ．Ｓ． Ｐａｔ． ５，８４３，６６９； Ｌｙａｍｉｃｈｅｖ ｅｔ ａｌ．， １９９９， Ｎａｔｕｒｅ Ｂｉｏｔｅｃｈｎｏｌｏｇｙ １７：２９２−２９７（両文献は参照により本明細書に含まれる）。
【０１２５】
好ましい実施態様では、前記ヌクレアーゼはＡｆｕＦＥＮ１またはｐｆｕＦＥＮ１ヌクレアーゼである。フォークをもつ構造物を切断するために、これらのヌクレアーゼは、シグナルプローブと侵襲的プローブとの間に少なくとも１つのオーバーラップするヌクレオチドを必要とし、これによってシグナルプローブの５´末端を認識しこれを切断する。インベーダーオリゴヌクレオチドの３´末端のヌクレオチドを切断するために、標的核酸と相補的であることは要求されない。対照的に、切断部位の１塩基上流でのシグナルプローブのミスマッチはオーバーラップの生成および切断を妨げる。
好ましい実施態様では、シグナル増幅技術はＣＰＴである。ＣＰＴ技術は以下を含む多数の特許および特許出願に記載されている：Ｕ．Ｓ． Ｐａｔ． ５，０１１，７６９，  ５，４０３７１１， ５， ６６０，９８８および４，８７６，１８７； ＰＣＴ出願公開ＷＯ９５／０５４８０， ＷＯ９５／１４１６およびＷＯ９５／００６６７； Ｕ．Ｓ．Ｓ．Ｎ．０９／０１４，３０４（全ての前記文献は参照により本明細書に含まれる）。
【０１２６】
一般的に、ＣＰＴは以下のように説明できる。ＣＰＴプライマー（本明細書ではときに“易切断性プライマー”と称される）は、易切断性結合によって分離されてある２つのプローブを含む。ＣＰＴプライマーは標的配列と実質的に相補的で、したがって標的配列とハイブリダイズしてハイブリダイゼーション複合体を生成する。易切断性結合は、標的配列を切断することなく切断され、分離された２つのプローブ配列を生じる。したがって、２つのプローブ配列は標的からさらに容易に分離され、反応を任意の回数繰り返すことができる。一般的に、第一のプローブ配列（例えばプライマーの一方の端）は捕捉タグ（例えばビオチン）を含み、他方（第二のプローブ配列）は少なくとも１つの標識を含む。反応完了時に、前記捕捉タグの結合相手は、全ての未反応プローブおよび切断された第一のプローブ配列を除去するために用いられ、あとに第二のプローブ配列を残し、これを例えばアレーに結合させて検出することができる。本発明では、ＣＰＴプライマーおよびプレサークルプローブは、第二のプローブ配列として機能するのがバーコード配列であるように構築される。
【０１２７】
本明細書の“易切断性結合”とは、易切断性プローブがハイブリダイゼーション複合体の部分であるとき（すなわち二本鎖複合体が形成されるとき）に切断される易切断性プローブ内にある結合を意味する。易切断性結合が易切断性プローブのみを切断し、それがハイブリダイズしている配列（すなわち標的配列またはプローブ配列）は切断せず、それによって標的配列をシグナル増幅反応で再使用することができるということは重要である。本明細書で用いられるように、易切断性結合とは、２つのプローブを結合させ、さらにプローブ配列または易切断性プローブがハイブリダイズしている配列のどちらも切断することなく選択的に切断されることができる任意の化学的結合構造である。易切断性結合は単結合でもよく、またはマルチユニット配列であってもよい。当業者には理解されるところであるが、多数の可能な易切断性結合を用いることができる。
【０１２８】
好ましい実施態様では易切断性結合はＲＮＡを含む。上記で概略したとおり以前に記載されたこのシステムは、ある種の二本鎖形成ヌクレアーゼ（特にリボヌクレアーゼ）はＲＮＡヌクレオシドにニックを入れるか、またはＲＮＡ：ＤＮＡハイブリダイゼーション複合体からＲＮＡヌクレオシドを切り出すという事実を基にしている。この実施態様で特に有用なものはリボヌクレアーゼＨ、エキソＩＩＩおよび逆転写酵素である。
ＣＰＴは酵素によってまたは化学的に実施できる。すなわち、リボヌクレアーゼＨの他に、ＲＮＡ（または他の核酸）易切断性結合の切断に有用な他のいくつかの切断剤が存在する。例えば、いくつかの化学的ヌクレアーゼが報告された。例えば以下を参照されたい：Ｓｉｇｍａｎ ｅｔ ａｌ．， Ａｎｎｕ． Ｒｅｖ． Ｂｉｏｃｈｅｍ． １９９０， ５９：２０７  −２３６； Ｓｉｇｍａｎ ｅｔ ａｌ．， Ｃｈｅｍ． Ｒｅｖ． １９９３， ９３：２２９５−２３１６； Ｂａｓｈｋｉｎ ｅｔ ａｌ．， Ｊ． Ｏｒｇ． Ｃｈｅｍ． １９９０， ５５：５１２５−５１３２； Ｓｉｇｍａｎ ｅｔ ａｌ．， Ｎｕｃｌｅｉｃ Ａｃｉｄｓ ａｎｄ Ｍｏｌｅｃｕｌａｒ Ｂｉｏｌｏｇｙ， ｖｏｌ．３， Ｆ． Ｅｃｋｓｔｅｉｎ ａｎｄ Ｄ．Ｍ．Ｊ． Ｌｉｌｌｅｙ （Ｅｄｓ）， Ｓｐｒｉｎｇｅｒ−Ｖｅｒｌａｇ， Ｈｅｉｄｅｒｂｅｒｇ １９８９， ｐｐ．１３−２７（全ての前記文献は参照により本明細書に含まれる）。
【０１２９】
ＣＰＴ方法の第一の工程は、一次易切断性プライマー（また一次易切断性プローブとも称される）を標的とハイブリダイズさせることを必要とする。これは、当業者には理解されるように、好ましくは、より長い一次プローブの結合および前記一次プローブのより短い切断部分の分離の両方を可能にする温度で実施される。
一般的には、前記易切断性プローブはモル過剰でそれらの標的に導入され、易切断性プローブ：標的比は少なくとも約１００：１、好ましくは少なくとも１０００：１、特に好ましくは少なくとも約１００００：１である。いくつかの実施態様では、標的に対するプローブの過剰ははるかに大きいであろう。さらに、前記ような割合はここに概略する全ての増幅技術について用いることができる。
【０１３０】
いったん一次易切断性プローブと標的との間でハイブリダイゼーション複合体が形成されたら、前記複合体を切断条件におく。理解されるところであるが、前記条件は易切断性プローブの組成に左右される。もしそれがＲＮＡの場合はリボヌクレアーゼＨが導入される。ある種の環境下［例えば一般的にＷＯ９５／００６６６およびＷＯ９５／００６６７（前記文献は参照により本明細書に含まれる）に概略されているようなもの］では、二本鎖形成結合剤、例えばリボヌクレアーゼＨの使用によって、一次プローブ：標的ハイブリダイゼーション複合体のＴｍを越える温度でさえ反応の進行を可能にすることができることは特記されるべきであろう。したがって、易切断性プローブの標的への添加は、最初に実施し続いて切断剤もしくは切断条件を導入するか、またはプローブを切断剤もしくは切断条件の存在下で添加することができる。
【０１３１】
前記切断条件によって、２つの（またはそれ以上の）プローブ配列が前記一次易切断性プローブから分離される。結果として、より短いプローブ配列はもはや標的配列にハイブリダイズされた状態で残留することはなく、したがってハイブリダイゼーション複合体は、標的配列を無傷のまま残して分離させられる。ＣＰＴ反応を実施するための最適温度は一般的に約５℃から約２５℃で、プローブ：標的ハイブリダイゼーション複合体の溶融温度より低い。これによって高速ハイブリダイゼーションおよび標的配列に対する高い特異性が提供される。個々のハイブリダイゼーション複合体のＴｍは、当分野で公知であり本明細書にも記載されているとおり塩濃度、ＧＣ含有量および複合体の長さに左右される。
【０１３２】
これらの工程は、一定の時間の間反応を進行させることによって繰り返される。反応は、通常は約１５分から約１時間実施される。一般的には、標的配列の各分子は前記の時間に、プローブの長さおよび配列、固有の反応条件および切断方法に応じて１００から１０００回のターンオーバーを繰り返すであろう。例えば、テストサンプル中に存在する標的配列の各コピーの場合、１００から１０００分子がリボヌクレアーゼＨによって切断されるであろう。より高レベルの増幅は、反応をより長時間進行させるか、またはここに概略するように二次、三次、四次プローブを使用することによって得られる。
反応終結（一般的に切断時間または切断量によって決定される）に際して、未切断プローブが検出プローブに結合して偽の陽性シグナルを生じないように、切断されていない易切断性プローブを検出の前に除去または中和しなければならない。当業者には理解されるところであるが、前記は多様な方法で実施できる。
好ましい実施態様では、分離は一次プローブを含むビーズの使用によって促進される。したがって、易切断性プローブをビーズに結合させる場合、ろ過、遠心分離、磁場の適用、荷電ビーズとの静電気的相互作用、吸着などで前記ビーズを除去して未切断プローブを除去する。
【０１３３】
必要に応じて未切断プローブを除去した後、検出は、下記に概略するように切断されたプローブ配列をアレー組成物に添加することにより実施される。一般的には、切断プローブは捕捉プローブに直接または間接的に結合されて標識が検出される。好ましい実施態様では、より高次のプローブは用いられず、検出は一次プライマーのプローブ配列により実施される。好ましい実施態様では、少なくとも１つ（より好ましくは２つ以上）の二次プローブ（本明細書ではまた二次プライマーと称される）が用いられ、前記二次プローブは切断プローブのドメインとハイブリダイズする。
したがってＣＰＴは、また特定の順序ではないが、第一のプローブ配列、易切断性結合および第二のプローブを含む第一のＣＰＴプライマー並びに切断剤を必要とする。
前記態様では、ＣＰＴは大量の切断されたプライマーを生成し、続いて前記プライマーを下記で概略するように検出することができる。
【０１３４】
ここで述べる増幅方法の全てで標識が用いられる。一般的には、標的生成物（例えばアンプリコン）の直接または間接的検出を実施することができる。ここで用いられる“直接的“検出は、本明細書に概略する他の反応の場合のように、標識、本事例では検出可能標識、好ましくは光学標識（例えば蛍光発光団）のアンプリコンへの取込みを必要とし、検出は下記に概略するように実施される。この実施態様では、標識は多様な方法で取り込ませることができる：（１）プライマーが標識を含む、例えば塩基、リボース、ホスフェートまたは核酸類似体中の類似の構造物に結合させられてある；（２）塩基またはリボース（または核酸類似体中の類似の構造物）のどちらかで標識により改変された改変ヌクレオシドが用いられる、これら標識改変ヌクレオシドを続いて三燐酸形に変換して新しく合成される鎖に伸長酵素（例えばポリメラーゼ）によって取り込ませる；（３）検出可能標識を付加するために（酵素反応後に）用いることができる官能基を含む改変ヌクレオチドを用いる；（４）同様な態様で検出可能標識を付加するために用いることができる官能基を含む改変プライマーを用いる；または（５）直接標識された、アンプリコンの一部とハイブリダイズする標識プローブを用いることができる。前記方法のいずれも検出可能なアンプリコンを生成する。
したがって、改変鎖は検出標識を含む。ここでいう“検出標識”または“検出可能標識”は、検出を可能にする成分を指す。前記は一次標識または二次標識である。したがって、検出標識は、一次標識（すなわち直接検出できる）または二次標識（間接的に検出できる）であろう。
【０１３５】
好ましい実施態様では、検出標識は一次標識である。一次標識は、分光分析的、光化学的、生化学的、免疫化学的、電気的、光学的または化学的手段によって直接検出できる標識である。本発明で有用な標識にはスペクトル標識、例えば蛍光染料（例えばフルオレセインイソチオシアネート、テキサスレッド、ローダミン、ジキソゲニン、ビオチンなど）、放射能標識（例えば３Ｈ、１２５Ｉ、３５Ｓ、１４Ｃ、３２Ｐ、３３Ｐなど）、酵素（例えばセイヨウワサビペルオキシダーゼ、アルカリホスファターゼなど）、分光比色標識（例えば金コロイド、着色ガラスもしくはプラスチック（例えばポリスチレン、ポリプロピレン、ラテックスなど）ビーズ、磁性標識、電気的標識、温度標識および質量タグが含まれる。標識にはまた、酵素（セイヨウワサビペルオキシダーゼなど）および磁性粒子が含まれる。好ましい標識には、発色団またはリン光体が含まれるが、蛍光染料が好ましい。本発明の使用に適した染料には蛍光成分が含まれるが、ただしこれに限定されない。
【０１３６】
本発明の標識に含まれる蛍光成分は一般的に公知である。前記には以下が含まれる：テキサスレッド、ジキソゲニン、ビオチン、１−および２−アミノナフタレン、ｐ，ｐ−ジアミノスチルベン、パイレン、第四フェナントリジン塩、９−アミノアクリジン、ｐ，ｐ´−ジアミノベンゾフェノンイミン、アントラセン、オキサカルボシアニン、メロシアニン、３−アミノエキレニン、ペリレン、ビス−ベンゾキサゾール、ビス−ｐ−オキサゾリルベンゼン、１，２−ベンゾフェナジン、レチノール、ビス−３−アミノピリジニウム塩、ヘレブリゲニン、テトラサイクリン、ステロフェノール、ベンゾイミダゾリルフェニルアミン、２−オキソ−３−クロメン、インドール、７−ヒドロキシクーマリン、フェノキサジン、カリシレート、ストロファンチジン、ポルフィリン、トリアリルメタンおよびフラビン。
【０１３７】
本発明のアッセイまたは装置での検出が所望される成分との結合に必要な官能基を有するか、またはそのような官能基を取り込ませるために改変することができる個々の蛍光化合物には例えば以下が含まれる：ダンシルクロリド；フルオレセイン、例えば３，６−ジヒドロキシ−９−フェニルキサンチドロール；ローダミンイソチオシアネート；Ｎ−フェニル１−アミノ−８−スルフォナトナフタレン；Ｎ−フェニル２−アミノ−６−スルフォナトナフタレン；４−アセトアミド−４−イソチオシアナト−スチルベン−２，２´−ジスルホン酸；パイレン−３−スルホン酸；２−トルイジノナフタレン−６−スルホネート；Ｎ−フェニル−Ｎ−メチル−２−アミノナフタレン−６−スルフォネート；臭化エチジウム；ステブリン；アウロミン−０，２−（９´−アントロイル）パルミテート；ダンシルホスファチジルエタノールアミン；Ｎ，Ｎ´−ジオクタデシルオキサカルボシアニン；Ｎ，Ｎ´−ジヘキシルオキサカルボシアニン；メロシアニン，４−（３´−ピレニル）ステアレート；ｄ−３−アミノデソキシ−エキレニン；１，２−（９´−アントロイル）ステアレート；２−メチルアントラセン；９−ビニルアントラセン；２，２´（ビニレン−ｐ−フェニレン）ビスベンゾキサゾール；ｐ−ビス（２−メチル−５−フェニル−オキサゾリル）ベンゼン；６−ジメチルアミノ−１，２−ベンゾフェナジン；レチノール；ビス（３´−アミノピリジニウム）１，１０−デカニジルジアイオダイド；ヘリブリエニンのスルホナフチルヒドラゾン；クロロテトラサイクリン；Ｎ−（７−ジメチルアミノ−４−メチル−２−オキソ−３−クロメニル）マレイミド；Ｎ−（ｐ−（２ベンゾイミダゾリル）−フェニル）マレイミド；Ｎ−（４−フルオランチル）マレイミド；ビス（ホモバニリン酸）；レサザリン；４−クロロ−７−ニトロ−２，１，３−ベンゾオキサジアゾール；メロシアニン５４０；レゾルフィン；ローズベンガル；２，４−ジフェニル−３（２Ｈ）−フラノン、蛍光ランタニド複合体（ヨーロピウムおよびテルビウムの蛍光複合体を含む）、フルオレセイン、ローダミン、テトラメチルローダミン、エオシン、エリスロシン、クーマリン、メチル−クーマリン、量子ドット（“ナノクリスタル”とも称される、Ｕ．Ｓ．Ｓ．Ｎ．０９／３１５，５８４を参照されたい、前記文献は参照により本明細書に含まれる）、パイレン、マラカイトグリーン、スチルベン、ルシファーイェロー、カスケードブルー（登録商標）、テキサスレッド、Ｃｙ染料（Ｃｙ３、Ｃｙ５など）、アレキサ染料、フィコエリシン、ボディピーおよび以下の文献に記載された上記以外のもの（Ｍｏｌｅｃｕｌａｒ Ｐｒｏｂｅｓ Ｈａｎｄｂｏｏｋ， Ｒｉｃｈａｒｄ Ｐ． Ｈａｕｇｌａｎｄ， ６ｔｈ ｅｄ．（前記文献は参照により本明細書に含まれる））。他の標識はＵＳＳＮ６０／２４２９０１（２０００年１０月２４日出願）（前記文献は参照により本明細書に含まれる）に記載されている。
【０１３８】
好ましい実施態様では検出可能な二次標識が用いられる。二次標識は間接的に検出される標識である。例えば、二次標識は検出用の一次標識と結合または反応することができるか、さらにまた別の生成物と作用して一次標識（例えば酵素）を生成することができるか、または二次標的を含む化合物を未標識物質から分離することができる、等である。二次標識には、結合パートナー対の一方；化学的に改変可能な成分；ヌクレアーゼインヒビター、酵素（例えばセイヨウワサビペルオキシダーゼ、アルカリホスファターゼ、ルシフェラーゼ）などが含まれるが、ただしこれらに限定されない。
【０１３９】
好ましい実施態様では、二次標識は結合パートナー対である。例えば標識はハプテンまたは抗原であろう。前記はその結合パートナーと結合する。好ましい実施態様では、前記結合パートナーは固相に結合され、伸長プライマーと非伸長プライマーの分離を可能にする。例えば、適切な結合パートナー対には、抗原（例えばタンパク質でペプチドを含む）と抗体（そのフラグメント（ＦＡｂなど）を含む）；タンパク質と小型分子（ビオチン／ストレプトアビジンを含む）；酵素と基質またはインヒビター；他のタンパク質−タンパク質相互作用対；レセプター−リガンド；および炭水化物とその結合パートナーが含まれるが、ただしこれらに限定されない。核酸−核酸結合タンパク質対もまた有用である。一般的に、対の小さいほうが、プライマーへの取込みのためにＮＴＰに結合される。好ましい結合パートナー対には、ビオチン（またはイミノ−ビオチン）とストレプトアビジン、ジゴキシニンと抗体およびプロリンクス（Ｐｒｏｌｉｎｘ）（登録商標）試薬（ｗｗｗ．ｐｒｏｌｉｎｘｉｎｃ． Ｃｏｍ／ｉｅ４／ｈｏｍｅ．ｈｍｔｌを参照されたい）が含まれるが、ただしこれらに限定されない。
【０１４０】
好ましい実施態様では、結合パートナー対は、一次検出標識（例えばＮＴＰに結合され、したがってアンプリコンに結合される）および抗体（前記一次検出標識と特異的に結合する）を含む。本明細書の“特異的に結合する”とは、パートナーが、前記対と系の他の成分または夾雑物質とを区別するために十分な特異性をもって結合することを意味する。前記結合は、アッセイ条件下で結合を保持するために十分なものでなければならない。前記アッセイ条件は、非特異的結合を除去するための洗浄工程を含む。いくつかの実施態様では、前記対の解離定数は約１０−４から１０−６Ｍ−１未満で、約１０−５から１０−９Ｍ−１未満が好ましく、約１０−７から１０−９Ｍ−１未満が特に好ましい。
【０１４１】
好ましい実施態様では、二次標識は化学的に改変された成分である。この実施態様では、反応性官能基を含む標識が核酸に取り込まれる。続いて前記官能基は一次標識で標識される。適切な官能基には、アミノ基、カルボキシ基、マレイミド基、オキソ基およびチオール基が含まれるが、ただしこれらに限定されない。アミノ基およびチオール基が特に好ましい。例えば、アミノ基を含む一次標識はアミノ基を含む二次標識に結合させることができる。前記結合は、例えば当分野で周知のようにリンカーを用いて実施される。リンカーは例えば周知のようなホモ−またはヘテロ−二官能基リンカーである（例えばピアスケミカルカンパニー（Ｐｉｅｒｃｅ Ｃｈｅｍｉｃａｌ Ｃｏｍｐａｎｙ）カタログ（１９９４）（ｔｅｃｈｎｉｃａｌ ｓｅｃｔｉｏｎ ｏｎ ｃｒｏｓｓ  −ｌｉｎｋｅｒｓ， ｐａｇｅｓ １５５−２００）を参照されたい（前記文献は参照により本明細書に含まれる））。
【０１４２】
ある実施態様では、下記でさらに完全に説明するように標識は質量タグである。
いったん標識されたら、（適用可能な場合）本発明のバーコードを含むアンプリコンが検出される。本明細書の方法および組成物のいずれも、一般的にミスマッチの有無に応じて弁別的反応を起こさせることによって、標的核酸の検出場所に存在する塩基を検出、定量および／または決定する方法に利用することができる。反応生成物は、一般的にはここに概略するようにアレー上で検出されるが、多数の異なる検出方法も用いることができる。
【０１４３】
したがって、本発明は核酸の検出に有用な方法および組成物を提供する。当業者には理解されるところであるが、本発明の組成物は、図面に一般的に概略されているように多様な構成をとることができる。下記でさらに完全に説明するように、本発明の好ましい系は以下のように機能する。アンプリコンはアレー部位で（ハイブリダイゼーションにより）結合される。前記の結合は、一般的にはアンプリコン上のバーコードと対応する捕捉プローブとの間の直接ハイブリダイゼーションである。ただしいくつかの事例では、前記系は、当分野で公知のように捕捉伸長プローブによる間接的な“サンドイッチ“複合体を用いてもよい。好ましい実施態様では、標的配列（例えばアンプリコン）それ自体が標識を含む。また別には標識プローブが添加され、前記プローブはアンプリコン上の標識配列とハイブリダイズしアッセイ複合体を形成する。アレーの捕捉プローブは、バーコード配列と実質的に（さらに好ましくは完全に）相補的である。
【０１４４】
長さの決定、長さによる分離アッセイ、および長さによる分離アッセイ用媒体とは、ＤＮＡフラグメントを長さ、サイズ、質量、または他のいずれかの物理的特性を基準に分離する方法および関連する装置を指すために共通して用いられる。前記には一般的に、液体クロマトグラフィー、電気泳動および直接質量分光法が含まれ、より具体的にはそれぞれ高速液体クロマトグラフィー（ＨＰＬＣ）および毛細管電気泳動またはゲル電気泳動およびＭＡＬＤＩ−ＴＯＦＭＳを指す。
前記タグがハイブリダイゼーションタグである場合は、高い特異性を維持するために、ハイブリダイゼーションは通常はもっともストリンジェントな条件下で実施され、前記条件は種々の温度、塩、洗剤、溶媒、カオトロピズム剤および変性剤の組み合わせによって達成される。そのような条件は、相同領域およびプライマーに関してここでさらに詳細に述べる。
【０１４５】
多数のサンプル核酸のハイブリダイゼーションアッセイは、多様なフィルターおよび固形支持体様式で実施された（以下を参照されたい：Ｇ．Ａ． Ｂｅｌｔｚ ｅｔ ａｌ．， Ｍｅｔｈｏｄｓ ｉｎ Ｅｎｚｙｍｏｌｏｇｙ， ｖｏｌ．１００， Ｂ． Ｐａｒｔ， Ｒ． Ｗｕ， Ｌ． Ｇｒｏｓｓｍａｍ， Ｋ． Ｍｏｌｄａｖｅ， Ｅｄｓ．， Ａｃａｄｅｍｉｃ Ｐｒｅｓｓ， Ｎｅｗ Ｙｏｒｋ， Ｃｈａｐｔｅｒ １９， ｐｐ．２６６−３０８， １９８５）。ある様式、いわゆる“ドットブロット”ハイブリダイゼーションは、標的ＤＮＡのフィルターへの非共有結合を必要とする。前記フィルターは続いて放射性同位元素で標識されたプローブとハイブリダイズされる。“ドットブロット”ハイブリダイゼーションは広く使用され、多くの変型が開発された（以下を参照されたい：Ｍ．Ｌ．Ｍ． Ａｎｄｅｒｓｏｎ ａｎｄ Ｂ．Ｄ． Ｙｏｕｎｇ， Ｎｕｃｌｅｉｃ Ａｃｉｄ Ｈｙｂｒｉｄｉｚａｔｉｏｎ： Ａ Ｐｒａｃｔｉｃａｌ Ａｐｐｒｏａｃｈ， Ｂ．Ｄ． Ｈａｍｅｓ ａｎｄ Ｓ．Ｊ． Ｈｉｇｇｉｎｓ， Ｅｄｓ．， ＩＲＬ Ｐｒｅｓｓ， Ｗａｓｈｉｎｇｔｏｎ Ｄ．Ｃ．， Ｃｈａｐｔｅｒ ４， ｐｐ． ７３−１１１， １９８５）。“ドットブロット”ハイブリダイゼーションは、ゲノム変異のマルチ分析のために（Ｄ． Ｎａｎｉｂｈｕｓｈａｎ ａｎｄ Ｄ． Ｒａｂｉｎ， ＥＰＡ ０２２ ８０７５（１９８７年７月８日））、さらにオーバーラップクローンの検出およびゲノムマップの構築のためにさらに進歩した（Ｕ．Ｓ． Ｐａｔ． ５，２１９，７２６（Ｇ．Ａ． Ｅｖａｎｓ， １９９３年６月１５日）。
【０１４６】
また別の様式、いわゆる“サンドイッチ”ハイブリダイゼーションは、オリゴヌクレオチドプローブを固形支持体に共有結合させ、それらを用いて多数の核酸標的を捕捉および検出することを含む（Ｍ．Ｒａｎｋｉ ｅｔ ａｌ．， Ｇｅｎｅ， ２１， ｐｐ．７５−８５， １９８３；英国特許出願ＧＢ２１５６０７４Ａ（Ａ．Ｍ． Ｐａｌｖａ， Ｔ．Ｍ． Ｒａｎｋｉ ａｎｄ Ｈ．Ｅ． Ｓｏｄｅｒｌｕｎｄ，  １９８５年１０月２日）； Ｕ．Ｓ． Ｐａｔ．４，５６３，４１９（Ｔ．Ｍ． Ｒａｎｋｉ ａｎｄ Ｈ．Ｅ． Ｓｏｄｅｒｌｕｎｄ， １９８６ 年１月７日）；ＰＣＴＷＯ８６／０３７８２（Ａ．Ｄ．Ｂ． Ｍａｌｃｏｌｍ ａｎｄ Ｊ．Ａ． Ｌａｎｇｄａｌｅ， １９８６年７月３日）；Ｕ．Ｓ． Ｐａｔ４，７５１，１７７（Ｙ． Ｓｔａｂｉｎｓｋｙ， １９８８年１月１４日）； ＰＣＴＷＯ９０／０１５６４（Ｔ．Ｈ． Ａｄａｍｓ ｅｔ ａｌ．， １９９０年２月２２日）；Ｒ．Ｂ． Ｗａｌｌａｃｅ ｅｔ ａｌ．， Ｎｕｃｌｅｉｃ Ａｃｉｄ Ｒｅｓ． １１：３５４３（１９７９）； Ｂ．Ｊ． Ｃｏｎｎｏｒ ｅｔ ａｌ．， Ｐｒｏｃ． Ｎａｔｌ． Ａｃａｄ． Ｓｃｉ．， ＵＳＡ ８０：２７８−２８２  （１９８３））。前記様式の多重処理型は“リバースドットブロット”と称される。
マトリックスハイブリダイゼーションのまた別のアプローチでは、マイクロロボット系が用いられ、特異的なＤＮＡ配列を含む微量滴下物がガラス基層上の個々の微小サンプルウェルに分注された（Ｂｅａｔｔｉｅ ｅｔ ａｌ．， Ｔｈｅ １９９２ Ｓａｎ Ｄｉｅｇｏ Ｃｏｎｆｅｒｅｎｃｅ： Ｇｅｎｅｔｉｃ Ｒｅｃｏｇｎｉｔｉｏｎ， Ｎｏｖｅｍｂｅｒ， １９９２）。各サンプルウェル中でのハイブリダイゼーションは、各マイクロウェルを交流（ＡＣ）電場で取囲む審問用小型電極による検査造作によって検出される。
【０１４７】
本発明の好ましい特徴の１つは、それが高処理スクリーニング性能をもたらすということである。ここに述べるアッセイで、数個から数百万個の異なるタグ、例えばＳＮＰを同時に特定できる。例えば、単純なドットブロットハイブリダイゼーション方法を用いて、数千個の固定プローブを含む膜をタグのスクリーニングのために作製することができる。下記で述べる固相技術を応用して、１平方インチ当たり文字通り数百万の種々の固定核酸を包含させることができる。同様にして、極めて大量の増幅ＤＮＡセット（例えばタグセット）を膜に固定し、１つまたは２つ以上の配列に対して同時にスクリーニングすることができる。
ある実施態様では、増幅生成物が何であるかは、例えばクロマトグラフィーまたは質量分光分析によって、前記増幅生成物またはそのフラグメントの分子量を検出して決定される。
【０１４８】
例えば、増幅生成物またはその分断フラグメントの粗分子量を検出してもよい。上記で説明したように、プローブライブラリーの各メンバー（すなわち反応中の全てのプローブ）は、タグの個々の配列により固有の分子量標識を有している。例えば質量分光分析は高い検出感度および正確な質量測定を提供し、これらは、長さが同一であるが配列にただ１つの塩基の相違があるプローブ間を識別することができる。したがって、タグ配列中のＧ／Ｃ／Ａ／Ｔ含有量を変動させて各増幅生成物の全体的な分子量を検出できるように計算することによって複雑なライブラリーを構築することができる。ある好ましい実施態様では、検出中に核酸配列は、そのただ１つの可変配列としてタグ配列を含み、鋳型との相同領域は含まない。そのようなフラグメントは、例えばタグ配列と側面を接する制限部位を含むことによって、またはタグ配列のみが共有結合による閉環状生成物（これは増幅生成物中に含まれる）のただ１つの可変領域であるようにＰＣＲプライマーを選択することによって作製できる。換言すれば、検出中の増幅生成物がまた鋳型相同領域を含む実施態様では、タグ配列の計算およびデザインはＴＨＲ中の可変性を同様に含む必要があり、それによって固有の分子量をもつ生成物を生成でき、質量分光分析または選択することができる他の検出手段によって互いに識別が可能になる。
【０１４９】
当業者には、非常に単純なアルゴリズムを用いて、必要な場合には鋳型相同領域を考慮しながら、ライブラリーの各メンバーの分子量をタグの配列を変動させることによって計算できることは理解されるところである。タグの分子量の複雑さはプローブの長さを配列同様変動させることによって増加させることができる。
ある種の事例では、ライブラリーは、質量分光分析による検出前にクロマトグラフィー技術により解きほぐすことができる。例えば、サンプルを分光計に導入する前に、混合物を最初に半精製することができる。サイズ（例えばゲルろ過）、可溶性（例えば等電点沈澱）または電荷（例えば電気泳動、等電点フォーカシング、イオン交換クロマトグラフィー）による分離方法を用いてアンプリマー混合物を分離してもよい。好ましい分離方法は高速液体クロマトグラフィー（ＨＰＬＣ）である。
【０１５０】
ある種の実施態様では、増幅生成物は配列決定の多重処理のために組み込まれた質量標識を含むことができる。この事例の質量改変による多重処理は、例えば糖または塩基成分レベルでの核酸プライマーの質量改変によって実施される。そのような実施態様は、増幅工程前ではなく増幅工程後に検出のために増幅生成物を混合することができる場合に極めて実際的である。
本発明での使用に適した質量分光分析には本発明のＤＮＡ分析が含まれるが、これには以下が含まれる：衝突誘発解離（ＣＩＤ）分断化分析（例えばＭＳ／ＭＳ構成と併用したＣＩＤ、以下を参照されたい：Ｋ． Ｓｃｈｒａｍ， （１９９０） ”Ｍａｓｓ Ｓｐｅｃｔｒｏｍｅｔｒｙ ｏｆ Ｎｕｃｌｅｉｃ Ａｃｉｄ Ｃｏｍｐｏｎｅｎｔｓ”， ｉｎ Ｂｉｏｃｈｅｍｉｃａｌ Ａｐｐｌｉｃａｔｉｏｎｓ ｏｆ Ｍａｓｓ Ｓｐｅｃｔｒｏｍｅｔｒｙ ３４：２０３−２８７； Ｐ． Ｃｒａｉｎ， （１９９０） Ｍａｓｓ Ｓｐｅｃｔｒｏｍｅｔｒｙ Ｒｅｖｉｅｗｓ ９：５０５−５５４）；高速原子衝撃（ＦＡＢ質量分光分析）およびプラズマ放出（ＰＤ質量分光分析）（以下を参照されたい：Ｋｏｓｔｅｒ ｅｔ ａｌ．， （１９８７） Ｂｉｏｍｅｄｉｃａｌ Ｅｎｖｉｒｏｎｍｅｎｔａｌ Ｍａｓｓ Ｓｐｅｃｔｒｏ−ｍｅｔｒｙ １４：１１１−１１６）；並びにエレクトロスプレー／イオンスプレー（ＥＳ）およびマトリックス支援レーザー放出／イオン化（ＭＡＬＤＩ）質量分光分析（以下を参照されたい：Ｆｅｎｎ ｅｔ ａｌ．， （１９８４） Ｊ． Ｐｈｙｓ． Ｃｈｅｍ． ８８：４４５１−４４５９； Ｓｍｉｔｈ ｅｔ ａｌ．， （１９９０） Ａｎａｌ． Ｃｈｅｍ． ６２：８８２−８８９； Ｂ． Ａｒｄｒｅｙ， （１９９２） Ｓｐｅｃｔｒｏｓｃｏｐｙ Ｅｕｒｏｐｅ ４：１０−１８）。タイムオブフライト（ＴＯＦ）構成を質量分析装置として用いる場合（ＭＡＬＤＩ−ＴＯＦ）、ＭＡＬＤＩ質量分光分析が前記のような分析に特に良好に適合する。以下の文献を参照されたい：国際公開ＷＯ９７／３３０００（１９９７年９月１２日公開）； Ｈｕｔｈ−Ｆｅｈｒｅ ｅｔ ａｌ．，（１９９２） Ｒａｐｉｄ Ｃｏｍｍｕｎｉ −ｃａｔｉｏｎｓ ｉｎ Ｍａｓｓ Ｓｐｅｃｔｒｏｍｅｔｒｙ ６：２０９−２１３； Ｗｉｌｌｉａｍｓ ｅｔ ａｌ．，（１９９０） Ｒａｐｉｄ Ｃｏｍ −ｍｕｎｉｃａｔｉｏｎｓ ｉｎ Ｍａｓｓ Ｓｐｅｃｔｒｏｍｅｔｒｙ ４：３４８−３５１。
【０１５１】
本発明の質量タグ分析での使用に適した質量分光分析には以下が含まれる：衝突誘発解離（ＣＩＤ）分断化分析（例えばＭＳ／ＭＳ構成と併用したＣＩＤ、以下を参照されたい：Ｋ． Ｓｃｈｒａｍ， （１９９０） ”Ｍａｓｓ Ｓｐｅｃｔｒｏｍｅｔｒｙ ｏｆ Ｎｕｃｌｅｉｃ Ａｃｉｄ Ｃｏｍｐｏｎｅｎｔｓ”， ｉｎ Ｂｉｏｃｈｅｍｉｃａｌ Ａｐｐｌｉｃａｔｉｏｎｓ ｏｆ Ｍａｓｓ Ｓｐｅｃｔｒｏｍｅｔｒｙ ３４：２０３−２８７； Ｐ． Ｃｒａｉｎ， （１９９０） Ｍａｓｓ Ｓｐｅｃｔｒｏｍｅｔｒｙ Ｒｅｖｉｅｗｓ ９：５０５−５５４）；高速原子衝撃（ＦＡＢ質量分光分析）およびプラズマ放出（ＰＤ質量分光分析）（以下を参照されたい：Ｋｏｓｔｅｒ ｅｔ ａｌ．， （１９８７） Ｂｉｏｍｅｄｉｃａｌ Ｅｎｖｉｒｏｎｍｅｎｔａｌ Ｍａｓｓ Ｓｐｅｃｔｒｏｍｅｔｒｙ １４：１１１−  １１６）；並びにエレクトロスプレー／イオンスプレー（ＥＳ）およびマトリックス支援レーザー放出／イオン化（ＭＡＬＤＩ）質量分光分析（以下を参照されたい：Ｆｅｎｎ ｅｔ ａｌ．， （１９８４） Ｊ． Ｐｈｙｓ． Ｃｈｅｍ． ８８：４４５１−４４５９； Ｓｍｉｔｈ ｅｔ ａｌ．， （１９９０） Ａｎａｌ． Ｃｈｅｍ． ６２：８８２−８８９； Ｂ． Ａｒｄｒｅｙ， （１９９２） Ｓｐｅｃｔｒｏｓｃｏｐｙ Ｅｕｒｏｐｅ ４：１０−１８）。タイムオブフライト（ＴＯＦ）構成を質量分析装置として用いる場合（ＭＡＬＤＩ−ＴＯＦ）、ＭＡＬＤＩ質量分光分析が前記のような分析に特に良好に適合する。以下の文献を参照されたい：国際公開ＷＯ９７／３３０００（１９９７年９月１２日公開）； Ｈｕｔｈ−Ｆｅｈｒｅ ｅｔ ａｌ．，（１９９２） Ｒａｐｉｄ Ｃｏｍｍｕｎｉｃａｔｉｏｎｓ ｉｎ Ｍａｓｓ Ｓｐｅｃｔｒｏｍｅｔｒｙ ６：２０９−２１３； Ｗｉｌｌｉａｍｓ ｅｔ ａｌ．，（１９９０） Ｒａｐｉｄ Ｃｏｍｍｕｎｉｃａｔｉｏｎｓ ｉｎ Ｍａｓｓ Ｓｐｅｃｔｒｏｍｅｔｒｙ ４：３４８−３５１。
前記に関しては、核酸との使用に適した多数の質量タグが知られている（Ｕ．Ｓ．Ｐａｔ． ５，００３，０５９（Ｂｒｅｎｎａｎ）およびＵ．Ｓ． Ｐａｔ． ５，５４７，８３５（Ｋｏｓｔｅｒ）を参照されたい）が、前記には核酸から切断することができる質量タグが含まれる（国際公開ＷＯ９７／２７３３１を参照されたい）。
【０１５２】
また別の実施態様では、種々のタグ配列を鎖状につなぎ、慣習的な配列決定技術（例えばサンガーまたはマキサム＝ギルバート法）によって配列決定を実施することができる。更なる説明のために、増幅生成物を生成し、タグ配列と側面を接する制限部位を包含させることができる。したがって、増幅生成物は、リンカー−タグ−リンカーの式によって表すことができる。前記増幅生成物を前記制限酵素で処理した後、リンカー−タグ−リンカーフラグメントを連結して連鎖核酸分子を生成する。例えば５´および３´リンカーはそれぞれＢａｍＨＩおよびＢｇｌＩＩ部位を保有し、それによって適合可能な粘着末端を生成することができる。例示した例では、ＢａｍＨＩおよびＢｇｌＩＩの存在下で連結を実施することによって、得られた連鎖物質は、ＢａｍＨＩ／ＢａｍＨＩおよびＢｇｌＩＩ／ＢｇｌＩＩ連結生成物の再消化のために頭対尾様式で連結された制限フラグメントを生じる（いずれの制限酵素によっても認識される配列を生じないＢａｍＨＩ／ＢｇｌＩＩ連結生成物の再消化は生じない）。
前記連鎖物アレーは、好ましくは２から３ｋｂフラグメントとして単離され、増幅ベクターに連結することができる。続いて増幅されたアレーは、１つのタグ配列から次のタグ配列の境界の目印となる制限酵素の結合部位により容易に配列決定される。
【０１５３】
別の実施態様では、ハイブリダイゼーションタグは、ミクロ形式多重処理またはマトリックス装置（例えばＤＮＡチップ）上で検出される（Ｍ． Ｂａｒｉｎａｇａ，  Ｓｃｉｅｎｃｅ， ２５３：１４９８（１９９１）； Ｗ． Ｂａｉｎｓ， １０ Ｂｉｏ／Ｔｅｃｈｎｏｌｏｇｙ， １０：７５７−７５８（１９９２））。前記の方法は、特異的なＤＮＡ配列を固形支持体の非常に小さな特定の領域（例えばＤＮＡチップのマイクロウェル）に結合させる。ある変型例では、本発明は、迅速で特異的な多数の多形性ヌクレオチド（例えばＳＮＰ）の検出のために固相アレーに応用される。典型的には、オリゴヌクレオチドは固形支持体に連結され、タグ核酸を前記オリゴヌクレオチドにハイブリダイズさせる。オリゴヌクレオチドもしくはタグのいずれか、またはその両者を、典型的には蛍光発色団で標識できる。タグを標識する場合、ハイブリダイゼーションは結合蛍光によって検出される。オリゴヌクレオチドが標識される場合は、ハイブリダイゼーションは典型的には標識の消光によって検出される。オリゴヌクレオチドとタグの両方が標識される場合は、ハイブリダイゼーションの検出は典型的には２つの結合標識の接近により生じる色のシフトをモニターすることによって実施される。特に蛍光系の利用についての多様な標識方法および標識などが上掲書に記載されている。
【０１５４】
ある実施態様では、オリゴヌクレオチドアレーは固形支持体上で合成される。典型的な固形支持体にはガラス、プラスチック、ポリマー、金属、半金属、セラミクス、有機物などが含まれる。チップ被覆技術および光防御化学を用いて、秩序だった核酸プローブアレーを作製することができる。“ＤＮＡチップ”または非常に大規模の固定ポリマーアレー（“ＶＬＳＩＰＳ・ＴＭ”アレー）として知られているこれらのアレーは、約１平方センチメートルから数平方センチメートルの面積をもつ基層上に数百万の限定されたプローブ領域を含み、それによって数個から数百万個のプローブセットを含むことができる。
【０１５５】
標的核酸を検出するための固相核酸アレーの構築および使用は以下の文献に詳しく記載されている：Ｆｏｄｏｒ ｅｔ ａｌ．，（１９９１） Ｓｃｉｅｎｃｅ ２５１：７６７−７７７； Ｓｈｅｌｄｏｎ ｅｔ ａｌ．，（１９９３） Ｃｌｉｎｉｃａｌ Ｃｈｅｍｉｓｔｒｙ ３９（４）：７１８０７１９； Ｋｏｚａｌ ｅｔ ａｌ．，８１９９６） Ｎａｔｕｒｅ Ｍｅｄｉｃｉｎｅ ２（７）：７５３−７５９； Ｕ．Ｓ． Ｐａｔ．５，５７１，６３９（Ｈｕｂｂｅｌｌ）；ＰＣＴ／ＵＳ／９５／１６１５５（ＷＯ９６／１７９５８）（Ｐｉｎｋｅｌ ｅｔ ａｌ．）。簡単に記せば、組み合わせ方式によって、最少数の合成工程を用いて大量のプローブを含むアレーの合成が可能になる。例えば、３２の化学合成工程を用いて、全ての可能なＤＮＡ８量体オリゴヌクレオチド（４８または６５５３６の可能な組み合わせ）を合成し結合させることが可能である。一般的に、ＶＬＳＩＰＳ・ＴＭ法は、わずかに４ｎの合成工程を用いてアレー上に４ｎの異なるオリゴヌクレオチドプローブを製造する方法を提供する。
【０１５６】
ガラス表面上でのオリゴヌクレオチドアレーの光誘導組み合わせ合成は、自動ホスホルアミダイト反応およびチップ被覆技術（コンピュータチップ産業におけるフォトレジスト技術に類似する）を用いて実施される。典型的には、光感受性保護基で封鎖された官能基（例えばヒドロキシルまたはアミン基）を含むシラン試薬でガラス表面を修飾する。写真平板マスクを通して光分解を選択的に用いて官能基（後に続くの５´−光保護ヌクレオシドホスホルアミダイトと既に反応している）を暴露する。前記ホスホルアミダイトは照射される（したがって光感受性封鎖基の除去によって暴露される）部位とのみ反応する。したがって、ホスホルアミダイトは、先行する工程から選択的に暴露された領域にのみ付加される。これらの工程は、所望の配列アレーが固形表面上に合成されるまで繰り返される。
【０１５７】
９６ウェルの自動多重処理オリゴヌクレオチド合成装置（ＡＭＯＳ）が開発され、数千個のオリゴヌクレオチドの製造能力を有する（Ｌａｓｈｋａｒｉ ｅｔ ａｌ．，（１９９５） ＰＮＡＳ ９３：７９１２）。現在の光誘導合成技術は、６５０００を超えるオリゴヌクレオチドを含む高密度アレーを生成することができる（Ｌｉｐｓｈｕｔｚ ｅｔ ａｌ．，（１９９５） ＢｉｏＴｅｃ． １９：４４２）。
アレー上の種々の場所での種々のオリゴヌクレオチド類似体の組み合わせ合成は、合成時の照射パターンおよびカップリング試薬の添加順序によって決まる。標的核酸とアレーとのハイブリダイゼーションのモニタリングは、典型的には蛍光顕微鏡またはレーザー走査顕微鏡により実施される。利用可能な技術を用いてプローブアレーのデザイン、構築および使用が可能であるがその他に、当業者は、アレー製造専門の製造業者に注文製造アレーおよびアレー読み取り装置を発注することもできる。例えば、アフィメトリクス社（Ａｆｆｙｍｅｔｒｉｘ Ｃｏｒｐ．， Ｓａｎｔａ Ｃｌａｒａ， ＣＡ）はＤＮＡ・ＶＬＳＩＰ・ＴＭアレーを製造する。
【０１５８】
オリゴヌクレオチドデザインは目的とする利用により影響されることは理解されよう。例えば、いくつかのオリゴヌクレオチド−タグ相互作用が単一アッセイ、例えば単一ＤＮＡチップ上で検出されるべきである場合、全てのプローブが類似の溶融温度をもつことが望ましい。したがって、プローブの長さは、アレー上の全プローブの溶融温度が近似するように調節される（別個のプローブが異なるＧＣ含有量を有する場合、別個のプローブについて長さが異なることは、固有のＴ［ｍ］を達成するために必要であるかもしれないことは理解されるところである）。溶融温度はプローブデザインで考慮すべき主要なものであるが、他の因子（例えばプライマーの自己相補性を防ぐための選別など）も場合によって、プローブ構築をさらに調節するために用いられる。装置の“能動的”性質は、特異的な各極小部位で生じるハイブリダイゼーション反応（または他の一切の親和性反応）の全ての局面に対して他から影響されない電子の制御を提供する。前記の装置は、電子のストリンジェンシー制御（ＥＳＣ）と称される、ハイブリダイゼーション反応に影響を及ぼす新しいメカニズムを提供する。種々のストリンジェンシー条件を必要とするＤＮＡハイブリダイゼーション反応の場合、ＥＳＣによって通常のアレー技術に固有の限界が克服される。本発明の前記能動的装置は電子的に“種々のストリンジェンシー条件”を各極小部位に作り出す。したがって、全てのハイブリダイゼーションは同じバルク溶液で最適に実施できる。これらのアレーは米国特許第６０５１３８０号（Ｓｏｓｎｏｗｓｋｉ ｅｔ ａｌ．）に記載されている。
【０１５９】
したがって、本発明は、個々の部位を含む表面を有する少なくとも第一の基層を含むアレー組成物を提供する。ここでいう“アレー”または“バイオチップ”は、アレー形式にある複数の核酸を意味する。アレーのサイズはアレーの組成および最終用途によって左右される。核酸アレーは当分野で公知であり、多数の態様で分類できる。オーダード（ｏｒｄｅｒｅｄ）アレー（例えば個々の部位の化学特性を解析する能力）およびランダムアレー（例えばビーズアレー）が含まれる。オーダードアレーには、写真平板術（Ａｆｆｙｍｅｔｒｉｘ ＧｅｎｅＣｈｉｐ（登録商標））、スポッティング術（Ｓｙｎｔｅｎｉおよび他の製造業者）、印刷術（Ｈｅｗｌｅｔｔ ＰａｃｋａｒｄおよびＲｏｓｅｔｔａ）、電極アレー、三次元“ゲルパッド”アレーなどを用いて製造されるものが含まれるが、ただしこれらに限定されない。液体アレーもまた用いることができる。
当業者には理解されるところであるが、アレーのサイズは変動するであろう。２つの異なる捕捉プローブから何百万個も含むアレーを製造することができ、非常に大きなアレーも可能である。一般的に、好ましいアレーは約１００個の異なる捕捉プローブから約１０００００個の捕捉プローブの範囲で、したがってアレー密度は変動する。
【０１６０】
一般的に、アレーは結合させた捕捉プローブを有する基層を含む。ここでいう“基層”または“固形支持体”は、捕捉プローブの付着または結合に適切な個々に分離した部位を含むように改変することができ、さらに少なくとも１つの検出方法に順応し易い任意の物質を意味する。当業者には理解されるところであるが、可能な基層の数は非常に大きい。可能な基層には、ガラスおよび改変または官能基を有するガラス、プラスチック（アクリル、ポリスチレンおよびスチレンと他の材料のコポリマー、ポリプロピレン、ポリエチレン、ポリブチレン、ポリウレタン、テフロン（登録商標）などを含む）、多糖類、ナイロンもしくはニトロセルロース、樹脂、シリカもしくはシリカ系材料（シリコンおよび改変シリコンを含む）、炭素、金属、無機ガラス、プラスチック、光ファイバーの束、および多様な他のポリマーが含まれるが、ただしこれらに限定されない。一般的に、基層は光学的検出を可能にし、さらにそれ自体認識されるほどに蛍光性であってはならない。
アレーにアプリコンを添加し洗浄しさらに検出する方法は周知である。したがって、本発明の組成物は多様な研究、臨床、品質管理、野外検査設定で用いることができる。
【０１６１】
好ましい実施態様では、本発明はＰＣＲ反応の定量で有用である。したがって、本発明は、核酸サンプル中の１つまたは２つ以上の核酸配列の数を定量する方法を提供する。前記方法は、検出される生成物が最初の鋳型配列の量と正比例して存在するかぎり、上記で述べたいずれかの方法と同様であろう。これは、例えばその方法が鋳型ＤＮＡとのハイブリダイゼーション工程、プローブの環状化、プライマーの伸長および伸長生成物の検出を含む場合である。好ましい実施態様では、前記方法はさらに増幅工程を含み、前記増幅工程は制御された増幅である。これは、例えばＰＣＲ増幅を用い、さらにＰＣＲ反応を指数関数期に停止させる場合である。この状況での増幅生成物の量は、核酸サンプル中の最初の配列の量に正比例するであろう。したがって、好ましい実施態様では、いくつかの増幅反応を並行して実施し、それら反応の各々で異なる増幅サイクル回数を用いる。これによって、反応の少なくとも１つが指数関数期に停止することを担保できるであろう。
【０１６２】
サンプル中の特定配列の数を定量する方法では、ある種の状況でマーカー核酸を包含することがまた所望されるであろう。マーカー核酸はハイブリダイゼーション段階またはその後の任意の段階で反応に添加され、さらに同じ反応に付すか、または別の反応に付すことができる。また別には、マーカーＤＮＡは、単に増幅生成物の量を増幅工程の最後に決定するために用いられる。
遺伝子型決定のための方法および定量のための方法は、増幅生成物の量がサンプル核酸中の最初の配列の量に正比例するようにプロセスが制御されるかぎり、同時に用いることができる。
【０１６３】
本発明の方法にしたがって検出される核酸の変型（すなわち遺伝的変型）には、核酸サンプル中の１つまたは２つ以上の連続的または非連続的ヌクレオチドにおける変型が含まれる。これら変型は一核酸分子（例えば染色体）に存在していても、またはいくつかの核酸分子に存在していてもよい。本発明は特に、可変性ゲノム領域、例えば多形性領域の対立遺伝子の正体（本明細書ではまた“多形成領域の対立遺伝子変種”とも称する）を決定するために用いることができる。これは、（新規な可変性領域の発見とは対照的に）異なる個体はいくつかの可能な対立遺伝子の１つをもつことができるということが以前に確立された状況である。一般的には、本発明の方法は、ヌクレオチドの挿入、欠失、置換、染色体の転座および他の遺伝子病巣または変型を検出することができる。
【０１６４】
典型的な可変領域にはＳＮＰが含まれる。ある種のＳＮＰは２つの対立遺伝子をもち、他は３つの対立遺伝子をもち、また他のものは４つの対立遺伝子を有する。ＳＮＰの存在は、例えば一定の集団、疾患または疾患の傾向の指標であるかもしれない。
他の可変性領域には、２つ以上のヌクレオチド（多形性領域であってもよい）、単純配列リピート（ＳＳＲ）、短い縦列リピート（ＳＴＲ）、およびミクロサテライトリピート（ＭＲ）が含まれる。
別の実施態様では、本発明の方法は、微生物（例えば哺乳類に感染する病原体）の検出および同定を可能にする。したがって、本発明は、例えばヒトに感染するウイルスの特定の株、例えばとりわけヒト免疫不全ウイルス、またはパピローマウイルス（ＨＰＶ）の特定株の同定に用いることができる。微生物株ではしばしば互いに数ヌクレオチドが相違し、一方それらの残りのゲノムは同一である。したがって、プローブは、保存領域を認識し、特定の可変ヌクレオチドを同定するように作製できる。
【０１６５】
例えば、極めて広範囲の感染性疾患が本発明の方法によって検出できる。典型的にはこれら疾患は細菌、ウイルス、寄生虫および真菌感染体によって惹起される。種々の感染体の薬剤に対する耐性もまた本発明を用いて決定できる。
本発明によって検出できる細菌感染体には、大腸菌、サルモネラ、赤痢菌、クレブシーラ、シュードモナス、リステリア菌（Ｌｉｓｔｅｒｉａ ｍｏｎｏｃｙｔｏｇｅｎｅｓ）、ヒト結核菌（Ｍｙｃｏｂａｃｔｅｒｉｕｍ ｔｕｂｅｒｃｕｌｏｓｉｓ）、トリ結核菌（Ｍｙｃｏｂａｃｔｅｒｉｕｍ ａｖｉｕｍｉｎｔｒａ  −ｃｅｌｌｕｌａｒｅ）、エルジニア、フランシセラ、パスツレラ、ブルセラ、クロストリジア、百日咳菌（Ｂｏｒｄｅｔｅｌｌａ ｐｅｒｔｕｓｓｉｓ）、バクテロイデス、黄色ブドウ球菌（Ｓｔａｐｈｙｌｏｃｏｃｃｕｓ ａｕｒｅｕｓ）、肺炎連鎖球菌（Ｓｔｒｅｐｔｏｃｏｃｃｕｓ ｐｎｅｕｍｏｎｉａ）、β型溶血連鎖球菌、コリネバクテリウム、レジオネラ、マイコプラズマ、ウレアプラズマ、クラミジア、淋菌（Ｎｅｉｓｓｅｒｉａ ｇｏｎｏｒｒｈｅａ）、髄膜炎菌（Ｎｅｉｓｓｅｒｉａ ｍｅｎｉｎｇｉｔｉｄｅｓ）、インフルエンザ菌（Ｈｅｍｏｐｈｉｌｕｓ ｉｎｆｌｕｅｎｚａ）、エンテロコッカス＝フェカーリス（Ｅｎｔｅｒｏｃｏｃｃｕｓ ｆａｅｃａｌｉｓ）、プロテウス＝ブルガーリス（Ｐｒｏｔｅｕｓ ｖｕｌｇａｒｉｓ）、プロテウス＝ミラビリス（Ｐｒｏｔｅｕｓ ｍｉｒａｂｉｌｉｓ）、ピロリ菌（Ｈｅｌｉｃｏｂａｃｔｅｒ ｐｙｌｏｒｉ）、梅毒トレポネーマ（Ｔｒｅｐｏｎｅｍａ ｐａｌｌａｄｉｕｍ）、ヒトライム病菌（Ｂｏｒｒｅｌｉａ ｂｕｒｇｄｏｒｆｅｒｉ）、回帰熱ボレリア菌（Ｂｏｒｒｅｌｉａ ｒｅｃｕｒｒｅｎｔｉｓ）、リケッチア病原体、ノカルジア、および放線菌が含まれる。
【０１６６】
本発明によって検出できる真菌の感染体には、クリプトコッカス＝ネオフォルマンス（Ｃｒｙｐｔｏｃｏｃｃｕｓ ｎｅｏｆｏｒｍａｎｓ）、ブラストマイセス＝デルマチチディス（Ｂｌａｓｔｏｍｙｃｅｓ ｄｅｒｍａｔｉｔｉｄｉｓ）、ヒストプラズマ＝カプスラツム（Ｈｉｓｔｏｐｌａｓｍａ ｃａｐｓｕｌａｔｕｍ）、コクシディオイデス＝イムミチス（Ｃｏｃｃｉｄｉｏｉｄｅｓ ｉｍｍｉｔｉｓ）、パラコクシディオイデス＝ブラジリエンシス（Ｐａｒａｃｏｃｃｉｄｉｏｉｄｅｓ ｂｒａｓｉｌｉｅｎｓｉｓ）、鵞口瘡カンジダ、アスペルギルス＝フミガウツス（Ａｓｐｅｒｇｉｌｌｕｓ ｆｕｍｉｇａｕｔｕｓ）、藻菌類（クモノスカビ属）、スポロトリクス＝シェンキー、色素酵母菌症原因菌および菌腫原因菌が含まれる。
本発明によって検出できるウイルス感染体には、ヒト免疫不全ウイルス、ヒトＴ細胞リンパ球向性ウイルス、肝炎ウイルス（例えばＢ型肝炎ウイルスおよびＣ型肝炎ウイルス）、エプスタイン＝バーウイルス、サイトメガロウイルス、ヒトパピローマウイルス、オルトミクソウイルス、パラミクソウイルス、アデノウイルス、コロナウイルス、ラブドウイルス、ポリオウイルス、トガウイルス、ブンヤウイルス、アレーナウイルス、ルベラウイルスおよびレオウイルスが含まれる。
【０１６７】
本発明によって検出できる寄生虫体には以下が含まれる：熱帯熱マラリア原虫、四日熱マラリア原虫、三日熱マラリア原虫、卵形マラリア原虫、回旋糸状虫（Ｏｎｃｈｏｖｅｒｖａ ｖｏｌｖｕｌｕｓ）、リーシュマニア、トリパノソーマ、住血吸虫、赤痢アメーバ、クリプトスポリジウム、ジアルジア、トリコモナス、大腸バランチジウム、バンクロフト糸状虫、トキソプラズマ、エンテロビウス＝ベルミクラリス（Ｅｎｔｅｒｏｂｉｕｓ ｖｅｒｍｉｃｕｌａｒｉｓ）、回虫、ヒト鞭虫、メジナ虫、吸虫類、広節裂頭条虫、テニア属条虫、ニューモシスチス＝カリニ（Ｐｎｅｕｍｏｃｙｓｔｉｓ ｃａｒｉｎｉｉ）およびアメリカ鉤虫（Ｎａｃａｔｏｒ ａｍｅｒｉｃａｎｉｓ）。
本発明はまた感染体の薬剤耐性の検出に有用である。例えば、バンコマイシン耐性エンテロコッカス＝ファエシウム（Ｅｎｔｅｒｏｃｏｃｃｕｓ ｆａｅｃｉｕｍ）、メチシリン耐性黄色ブドウ球菌、ペニシリン耐性肺炎連鎖球菌、多剤耐性ヒト結核菌およびＡＺＴ耐性ヒト免疫不全ウイルスは全て本発明で特定できる。
【０１６８】
遺伝的疾患もまた本発明の方法によって検出できる。前記は、染色体および遺伝子異常について、または遺伝疾患について、出生前または出生後スクリーニングによって実施できる。検出可能な遺伝的疾患の例には以下が含まれる：２１ヒドロキシラーゼ欠損、嚢胞性線維症、脆弱Ｘ症候群、ターナー症候群、デュシェンヌ筋ジストロフィー、ダウン症候群または他のトリソミー、心疾患、一遺伝子疾患、ＨＬＡ型、フェニルケトン尿症、鎌状赤血球貧血、テイ＝サックス症、サラセミア、クラインフェルター症候群、ハンチントン病、自己免疫疾患、リピドーシス、肥満障害、血友病、先天性代謝異常および糖尿病。
【０１６９】
本発明の方法によって検出できる癌は一般的にオンコジーン、腫瘍抑制遺伝子、またはＤＮＡ増幅、複製、組換えもしくは修復に必要な遺伝子を含む。前記遺伝子の例には、ＢＲＣＡ１遺伝子、ｐ５３遺伝子、ＡＰＣ遺伝子、Ｈｅｒ２／Ｎｅｕ増幅、Ｂｃｒ／Ａｂ１、Ｋ−ｒａｓ遺伝子およびヒトパピローマウイルス１６型および１８型が含まれる。本発明の種々の特徴を用いて、下記の一般的なヒトの癌における前記遺伝子の増幅、大きな欠損の他にも点変異および小さな欠失／挿入を特定できる：白血病、大腸癌、乳癌、肺癌、前立腺癌、脳腫瘍、中枢神経系腫瘍、膀胱腫瘍、メラノーマ、肝臓癌、骨肉腫および他の骨の癌、精巣および卵巣の癌、頭部および頸部の腫瘍、および子宮頸部の新生物。
【０１７０】
環境モニタリング領域では、本発明は、天然または人為的生態系、並びにミクロコスモス、例えば地方自治体の排水浄化システムおよび貯水槽またはバイオ作用により修復中の汚染地域における病原性および土着微生物の検出、同定およびモニタリングに用いることができる。さらにまた、外来生物薬剤を代謝することができる遺伝子を含むプラスミドの検出、集団動態研究における特定の標的微生物の追跡、または遺伝的に改変された微生物の環境内または工業プラント内における検出、同定または追跡も可能である。
本発明はまた、多様な法医学分野（軍関係職員および犯罪捜査のための人物特定、親子鑑定および家族関係分析を含む）、ＨＬＡ適合型、および血液、精子または移植器官の汚染に対するスクリーニングでも用いることができる。
【０１７１】
食品および飼料工業で本発明は広く利用される。例えば、本発明は、生産生物、例えばビール、ワイン、チーズ、ヨーグルト、パンなどの製造用酵母の同定および性状分析に用いることができる。また別の使用領域は、品質管理および夾雑物についての製品および行程（例えば家畜、滅菌および肉の加工）の認証に関する。他の使用には、育種を目的とする植物、球根および種子の性状分析、植物特異的病原体の有無の認定、並びに獣医領域の感染症および動物交配プログラムにおける検出および特定が含まれる。
以下の実施例は、上記に述べた発明の使用態様をより完全に説明するとともに、本発明の種々の特徴を実施するための最良の態様を説明するために供される。これら実施例は本発明の範囲を限定するために供されるのではなく、例示を目的として提示されることは理解されよう。本明細書に引用した全ての文献は参照により本明細書に含まれる。
【０１７２】
【実施例】
実施例１：１ヌクレオチドが異なる２つの鋳型の識別
本実施例は、１ヌクレオチドが異なる２つの核酸を、ＰＣＲ増幅前に前記核酸にオリゴヌクレオチドプローブをハイブリダイズさせることによって識別することができることを示す。
８つの反応を平行して実施した。前記反応では、互いに１ヌクレオチドが異なる２つの鋳型ＤＮＡ（ここでは“ＳＮＰ”と称する）の１つを２つのオリゴヌクレオチドプローブの存在下または非存在下でインキュベートした。種々の組み合わせが表１に示されている。鋳型ＤＮＡＳ７は６００ｂｐの長さの二本鎖ＤＮＡでビール酵母菌（Ｓ． ｃｅｒｅｖｉｓｉａｅ）Ｓ２８８Ｃ株から増幅され、ヌクレオチド配列５´ＡＴＣＴＣＧＧＧＡＴＡＴＣＡＧＡＣＴＴＡＧＣＧＧＣＡＣＣＧＴＣＣＴＣＡＣＣＧ３´（配列識別番号：１０）を含み；鋳型ＤＮＡＹ７は６００ｂｐの長さの二本鎖ＤＮＡでビール酵母菌ＹＪＭ７８９株に由来し、ヌクレオチド配列５´ＡＴＣＴＣＧＧＧＡＴＡＴＣＡＧＡＣＴＴＡＧＣＧＧＴＡＣＣＧＴＣＣＴＣＡＣＣＧ３´（配列識別番号：１１）を含む。２つの鋳型ＤＮＡは下線部のヌクレオチドを除いて同一である。
【０１７３】
オリゴヌクレオチドプローブ“Ｓ”（Ｙ２：Ｌ：Ｓ２８８Ｃとも称される）は、ヌクレオチド配列、５´ＣＣＧＣＴＡＡＧＴＣＴＧＡＴＡＴＣＣＣＧＡＧＡＴ／ＧＴＣＣＡＣＧＡＧＧＴＣＴＣＴＡＧＴＣ／ＧＡＣＣＴＧＣＡＧＣＧＴＡＣＧ／ＣＧＧＡＣＣＴＣＡＡＧＴＧＡＡＧＴＡＣＡ／ＣＧＧＴＧＡＧＧＡＣＧＧＴ／Ｇ３´（配列識別番号：１２）を有し；さらにオリゴヌクレオチドプローブ“Ｙ”（Ｙ２：Ｌ：ｙｊｍ７８９とも称される）は、ヌクレオチド配列、５´ＣＣＧＣＴＡＡＧＴＣＴＧＡＴＡＴＣＣＣＧＡＧＡＴ／ＧＴＣＣＡＣＧＡＧＧＴＣＴＣＴＡＧＴＣ／ＧＡＣＣＴＧＣＡＧＣＧＴＡＣＧ／ＣＧＧＡＣＣＴＣＡＡＧＴＧＡＡＧＴＡＣＡ／ＣＧＧＴＧＡＧＧＡＣＧＧＴ／Ａ３´（配列識別番号：１３）を有する。プローブ配列中の“／”はプローブの別個の部分、すなわち相同性１／プライマー１／プライマー２／バーコード／相同性２／ＳＮＰを示す。前記オリゴヌクレオチドプローブＹはプローブＳと同一であるが、ただしもっとも３´側の塩基は、鋳型ＤＮＡＹ７のＳＮＰヌクレオチドと相補的であることは除かれる。
表１：種々の反応の内容
2004528016.tif 000002
【０１７４】
反応当たり８μＬの５×Ｔｔｈリガーゼ緩衝液（Ｍａｒｓｈ Ｂｉｏｍｅｄｉｃａｌ， Ｒｏｃｈｅｓｔｅｒ， Ｎｅｗ Ｙｏｒｋ）、０．３２μＬのＴｔｈリガーゼ（Ｍａｒｓｈ Ｂｉｏｍｅｄｉｃａｌ， Ｒｏｃｈｅｓｔｅｒ， Ｎｅｗ Ｙｏｒｋ）および２９．７μＬの水を混合してリガーゼミックスを調製した。リガーゼミックス３８μＬに、１μＬの鋳型ＤＮＡ（１０ｐｍｏｌ／μＬ）を添加した。反応物を５５℃で６０分インキュベートして鋳型ＤＮＡとプローブをハイブリダイズさせ、前記オリゴヌクレオチドプローブの３´と５´末端を連結した。前記反応物の１２．５μＬに続いて３７．５μＬのＰＣＲミックスを添加した。前記ＰＣＲミックスは反応当たり以下を混合して調製した：５μＬの１０×Ｔａｑゴールド緩衝液（ＰＥ Ｂｉｏｓｙｓｔｅｍｓ， Ｆｏｓｔｅｒ Ｃｉｔｙ， ＣＡ）；６μＬのｄＮＴＰ（１．２５ｍＭ）；０．２μＬのＡｍｐｌｉＴａｑゴールドＤＮＡポリメラーゼ（５ユニット／μＬ（ＰＥ Ｂｉｏｓｙｓｔｅｍｓ， Ｆｏｓｔｅｒ Ｃｉｔｙ， ＣＡ）；１μＬのプライマーｐ１ＢＡＲ（１０ｐｍｏｌ／μＬ）；１μＬのプライマーＰ２（１０ｐｍｏｌ／μＬ）；および２４．３μＬの水。前記プライマーｐ１Ｂａｒはヌクレオチド配列、５´ＧＡＣＴＡＧＡＧＡＣＣＴＣＧＴＧＧＡＣ３´（配列識別番号：１）およびプライマーＰ２はヌクレオチド配列、５´ＧＡＣＣＴＧＣＡＧＣＧＴＡＣＧ３´（配列識別番号：２）を有する。続いて、前記反応物を９５℃で１０分インキュベートして鋳型を変性させ、さらに続いて９５℃２０秒；５７℃（各サイクルで０．５℃ずつ低下させる）で１分を１４サイクル、さらに続いて９５℃２０秒；５０℃で４５秒を１６サイクル実施し、続いて４℃でインキュベートした。
【０１７５】
続いて、増幅生成物の各々２０μＬを２重量／容積％のアガロースゲルで電気泳動に付し、増幅生成物を臭化エチジウム染色およびＵＶ光で可視化した。結果は、プローブが、鋳型ＤＮＡに存在するＳＮＰヌクレオチドと相補的なＳＮＰヌクレオチドを含む反応生成物を含むレーンには約１００ヌクレオチドのバンドが存在するが、他のレーンには存在しないことを示した。したがって、プローブＳは鋳型ＤＮＡＳ７のＳＮＰを識別し、プローブＹは鋳型ＤＮＡＹ７のＳＮＰを識別する。鋳型ＤＮＡＳ７とプローブＹを含む反応混合物、または鋳型ＤＮＡＹ７とプローブＳを含む反応混合物から生成物は増幅されない。
したがって、本実施例は、ハイブリダイゼーション、連結およびそれに続くＰＣＲ増幅を含む方法によるＳＮＰの認識を示している。
【０１７６】
実施例２：“ギャップ”充填によるＳＮＰの特定
本実施例は、ヌクレオチドが何であるか（例えばＳＮＰ）を決定する方法を述べる。前記方法は、ポリメラーゼ、リガーゼおよび４種のヌクレオチドの１つを含む４つの反応物にオリゴヌクレオチドプローブを添加することを含む。
４つの異なるＳＮＰを一重処理反応でテストした。１６の反応を平行に実施し、この反応では、４種のＤＮＡ鋳型の各々を４つのプローブの各々とインキュベートした。本実施例では、鋳型ＤＮＡはビール酵母菌由来の３６から４２塩基のオリゴヌクレオチドであった。種々の組み合わせは表２に示されている。鋳型およびプローブのヌクレオチド配列は以下のとおりである（プローブの構造は相同性１／プライマー１／プライマー２／バーコード／（＋／−ＤｒａＩ）／相同性２として表示されている）：
鋳型ＤＮＡ、Ｙ１：ＴＯＳ：Ｔは、
５´ＡＣＡＴＴＴＡＧＡＴＣＴＧＣＡＧＴＴＴＣＴＡＡＴＡＴＧＡＡＴＴＣＡＧＴＧＧＡＡＡＡＴ３´（配列識別番号：１４）；
鋳型ＤＮＡ、Ｙ２：ＴＯＳ：Ｃは、
５´ＴＣＧＧＧＡＴＡＴＣＡＧＡＣＴＴＡＧＣＧＧＣＡＣＣＧＴＣＣＴＣＡＣＣＧＴ３´（配列識別番号：１５）；
鋳型ＤＮＡ、Ｙ３：ＴＯＳ：Ａは、
５´ＧＡＴＣＡＡＡＴＧＣＧＡＣＣＡＴＡＴＴＣＡＴＣＡＡＡＣＴＴＡＴＡＧＧＣＧ３´（配列識別番号：１６）；
鋳型ＤＮＡ、Ｙ５：ＴＯＳ：Ｇは、
５´ＣＣＡＧＴＣＣＣＴＴＧＡＧＴＴＣＧＣＧＡＡＴＡＧＴＡＡＴＴＴＴＧＧＴＧＡＴＡＣＣＴＧ３´（配列識別番号：１７）；
プローブ、Ｙ１：ＰＬ：１１９：３１（またＳＮＰ１とも称される）は、
５´ＧＡＡＡＣＴＧＣＡＧＡＴＣＴＡＡＡＴＧＴＡＣＣ／ＵＧＴＣＣＡＣＧＡＧＧＴＣＴＣＴＡＧＴＣ／ＴＧＴＡＡＡＡＣＧＡＣＧＧＣＣＡＧＴＵ／ＧＣＴＧＧＡＧＴＴＣＧＣＡＣＧＣＴＡＴＡ／ＡＴＴＴＴＣＣＡＣＴＧＡＡＴＴＣＡＴＡＴＴ３´（配列識別番号：１８）；
プローブ、Ｙ２：ＰＬ：Ｃ：１１９：５５（またＳＮＰ２とも称される）は、
５´ＣＣＧＣＴＡＡＧＴＣＴＧＡＴＡＴＣＣＣＧＡＧＡＴ／ＵＧＴＣＣＡＣＧＡＧＧＴＣＴＣＴＡＧＴＣ／ＴＧＴＡＡＡＡＣＧＡＣＧＧＣＣＡＧＴＵ／ＣＡＡＡＧＧＴＧＧＡＧＣＴＧＣＡＣＡＣＴ／ＴＴＴＡＡＡ／ＡＣＧＧＴＧＡＧＧＡＣＧＧＴ３´（配列識別番号１９）；
プローブ、Ｙ３：ＰＬ：Ｃ：１１９：１３１（またＳＮＰ３とも称される）は、
５´ＡＴＧＧＴＣＧＣＡＴＴＴＧＡＴＣＧＡＧ／ＵＧＴＣＣＡＣＧＡＧＧＴＣＴＣＴＡＧＴＣ／ＴＧＴＡＡＡＡＣＧＡＣＧＧＣＣＡＧＴＵ／ＧＣＣＴＧＧＧＴＴＡＣＧＴＧＴＣＴＡＣＴ／ＴＴＴＡＡＡ／ＣＧＣＣＴＡＴＡＡＧＴＴＴＧＡＴＧＡＡ３´（配列識別番号：２０）；および
プローブ、Ｙ５：ＰＬ：１１９：１６７（またＳＮＰ５とも称される）は、
５´ＧＣＧＡＡＣＴＣＡＡＧＧＧＡＣＴＧＧＴＡＣ／ＵＧＴＣＣＡＣＧＡＧＧＴＣＴＣＴＡＧＴＣ／ＴＧＴＡＡＡＡＣＧＡＣＧＧＣＣＡＧＴＵ／ＧＣＡＡＴＡＴＧＴＡＡＣＴＣＴＣＴＧＧＧ／ＣＡＧＧＴＡＴＣＡＣＣＡＡＡＡＴＴＡＣＴＡＴＴ３´（配列識別番号：２１）。
【０１７７】
表２：種々の反応の内容
2004528016.tif 000003
2004528016.tif 000004
2004528016.tif 000005
2004528016.tif 000006
【０１７８】
反応当たり２μＬのｐｆｕリガーゼ緩衝液（Ｓｔｒａｔａｇｅｎｅ， Ｓａｎ Ｄｉｅｇｏ， ＣＡ）；０．１ｍμＬの鋳型オリゴヌクレオチド（４００ｆｍｏｌ／μＬ）；０．４μＬのプローブオリゴ（また“バーコードオリゴ”とも称される）（１０ｐｍｏｌ／μＬ）；および１７．５μＬの水を混合してＤＮＡミックスを調製した。ＤＮＡは、前記の反応物を９５℃で５分間インキュベートして変性させた。続いて、前記反応物を６５℃で１時間インキュベートして核酸をアニールさせた。鋳型の最終濃度は４０フェムトモル／反応で、プローブオリゴのそれは４ピコモル／反応であった。各反応に、予め加温した（６５℃で１分）２０μＬのポリメラーゼ／リガーゼ／ｄＮＴＰミックスを添加した。前記ミックスは反応当たり以下を混合して調製した：２μＬの１０×ｐｆｕリガーゼ緩衝液（ｓｔｒａｔａｇｅｎｅ， Ｓａｎ Ｄｉｅｇｏ， ＣＡ）；２μＬのｄＮＴＰの１種（１ｍＭ）；０．０５μＬのＴａｑＤＮＡポリメラーゼストッフェルフラグメント（１０ユニット／μＬ）（ＰＥ Ｂｉｏｓｙｓｔｅｍｓ， Ｆｏｓｔｅｒ Ｃｉｔｙ， ＣＡ）；１μＬのｐｆｕリガーゼ（４ユニット／μＬ）（ｓｔｒａｔａｇｅｎｅ， Ｓａｎ Ｄｉｅｇｏ， ＣＡ）；および１４．９５μＬの水。４０μＬの前記反応物を６５℃で１０分インキュベートした。
【０１７９】
続いて、鋳型ＤＮＡを以下のようにローリングサイクル増幅に付した。４μＬの上記反応物を３２μＬのＲＣＡミックス（予め６５℃で１０分加温）に添加した。ＲＣＡミックスは以下を混合して調製した：４μＬの１０×Ｖｅｎｔ緩衝液（Ｎｅｗ Ｅｎｇｌａｎｄ Ｂｉｏｌａｂｓ， Ｂｅｖｅｒｌｙ， ＭＡ）；２μＬのＤＭＳＯ；６．４μＬのＶｅｎｔＤＮＡポリメラーゼＥｘｏ−（２ユニット／μＬ）（ＮＥＢ）；０．３６μＬのＲＣＡプライマー（１００ｐｍｏｌ／μＬ）；０．９３μＬのＴ４遺伝子３２タンパク質（１．７ｍｇ／ｍＬ）（ＵＳＢ）；０．４ｍＬのＭｇＳＯ４（１００ｍＭ）；および１７．９１μＬの水。ＲＣＡプライマーのヌクレオチド配列は、その５´末端にプライマー２の配列の一部分との相補物を含みその後にプライマー１の配列が続き、さらにヌクレオチド配列５´ＧＴＣＧＴＴＴＴＡＣＡＧＡＣＴＡＧＡＧＡＣＣＴＣＧＴＧＧＡＣ３´（配列識別番号：２２）を有する。続いて反応物を９２℃で３分インキュベートし（熱変性）、その後、４μＬの予め加温したｄＮＴＰミックス（４種全てのヌクレオチド４ｍＭを含む）を添加し、さらに反応物を６５．５℃で４．５時間インキュベートした。この増幅によって、５´末端にＲＣＡプライマーを有し、その後に残りの部分プライマー２−プライマー１−ＨＲ１−ＨＲ２−タグ−プライマー２−［プライマー１−ＨＲ１−ＨＲ２−タグ−プライマー２−］ｎが続く長い鎖が合成された。
【０１８０】
前記ＰＣＲ増幅行程の場合、上記反応物の各々１μＬを１９μＬのＰＣＲミックスと混合することによって、各々の鋳型／プローブの組合せに対して２つの反応を実施した。ＰＣＲミックスは反応当たり以下を含む：２μＬの１０×Ｔａｑゴールド緩衝液（ＰＥ Ｂｉｏｓｙｓｔｅｍｓ， Ｆｏｓｔｅｒ Ｃｉｔｙ， ＣＡ）；０．７５μＬのｄＮＴＰ（４．０ｍＭ）；０．１５μＬのＡｍｐｌｉＴａｑゴールドＤＮＡポリメラーゼ（５ユニット／μＬ）（ＰＥ）；０．１６μＬのＰ１ｂａｒプライマー（配列識別番号：１）（１００ｐｍｏｌ／μＬ）；０．１６μＬのＭ１３プライマー（すなわちプライマー２）（１００ｐｍｏｌ／μＬ）；２μＬのＭｇＣｌ２（２５ｍＭ）；および１３．７８μＬの水。Ｍ１３プライマーのヌクレオチド配列は、５´ＴＧＴＡＡＡＡＣＧＡＣＧＧＣＣＡＧＴ３´（配列識別番号：３）である。ＰＣＲ反応物は９５℃で５分間変性させ、続いて９５℃で２０秒および５０℃で１分を１５または２５サイクルさせた。
【０１８１】
続いて、各反応物２０μＬを２％アガロースでゲル電気泳動に付し、実施例１で述べたように生成物を可視化した。結果は、異なるｄＮＴＰをそれぞれ含む４つの反応の各々において、ＤＮＡ中のＳＮＰに相補的なｄＮＴＰを含む増幅生成物が得られることを示した。例えば、ＳＮＰヌクレオチドとしてチミジンを含むプローブにｄＡＴＰが添加された反応では、ｄＣＴＰ、ｄＧＴＰまたはｄＴＴＰが添加された反応と比較してより多くの増幅生成物が検出された。
したがって、本実施例は、プローブと核酸とのハイブリダイゼーション、重合化および連結反応を介して固有のｄＮＴＰを付加することによるギャップの充填、プライマーの伸長、連結、ＰＣＲ増幅；並びに増幅生成物の検出を含む、核酸内のヌクレオチドを特定する方法を示す。
【０１８２】
実施例３：ビオチン−ストレプトアビジンを用いるランオフ生成物の捕捉によるバックグラウンドの抑制
本実施例は、ＰＣＲ増幅時に非連結オリゴプローブによって開始される伸長反応により生じるバックグラウンドを抑制するために用いられるビオチン捕捉クリーンアップ方法を示す。ビオチン化プライマーを用いて連結プローブの第一のコピーを生成する。このコピーをストレプトアビジン被覆磁性ビーズで捕捉し、一方、他の全ての分子を洗い流す。続いて前記捕捉コピーをＰＣＲ反応で増幅する。
鋳型ＤＮＡおよびプローブは実施例１で用いられるものと同一であった。すなわち、用いられる２つの鋳型ＤＮＡは、それぞれ配列識別番号：１０および１１を含むＳ７およびＹ７と称する６００ｂｐのアンプリコン（互いに１ヌクレオチドが異なっている）であり、さらに２つのプローブＳおよびＹはそれぞれ配列識別番号：１２および１３を有していた。
【０１８３】
鋳型およびプローブの種々の組み合わせは表３に示す。
表３：反応混合物の成分
2004528016.tif 000007
2004528016.tif 000008
２つのバーコードオリゴミックスは（各バーコードオリゴの１つについて）、２０μＬの５×Ｔｔｈリガーゼ緩衝液；１５μＬのバーコードオリゴヌクレオチドＳまたはＹ（１０ｐｍｏｌ／μＬ）；および６２．５μＬの水を混合することによって調製し、このミックスの１９．５μＬを８本の細管に加えた。各細管に０．５μＬの対応するＰＣＲ鋳型Ｓ７およびＹ７（０．００４μｇ／μＬ）を加えた。最終バーコードおよび鋳型量は、反応当たりそれぞれ３０ピコモルおよび４０フェムトモルであった。
【０１８４】
３６μＬの５×Ｔｔｈリガーゼ緩衝液および１３５μＬの水を混合して調製した２１．５μＬのリガーゼミックスを細管３および６（リガーゼ無しの反応）に加えた。３．５μＬのＴｔｈリガーゼ（５０ユニット／μＬ、Ｍａｒｓｃｈ Ｂｉｏ．）を残りのリガーゼミックスに加え、このミックスの２１μＬを残りの管に加えた。前記の管を６５℃で１分加温し、各管の２０μＬをＤＮＡを含む細管の各々に加えた。各反応の容積は４０μＬであった。
ビオチン化Ｐ１Ｂａｒプライマーは、前記が５´ビオチンを用いて合成されたことを除いてＰ１ｂａｒプライマー（配列識別番号：１）と同一である。
【０１８５】
ローリング増幅の場合、伸長ミックス（ＲＣＡミックス）は以下を混合することによって調製した（２０反応用）：４０μＬの１０×ｖｅｎｔ緩衝液；２０μＬのＤＭＳＯ；６４μＬのＶｅｎｔＤＮＡポリメラーゼｅｘｏ−（２ユニット／μＬ）（ＮＥＢ）；３．６μＬのＰ１ｂａｒビオチンプライマー（配列識別番号：１）（１００ｐｍｏｌ／μＬ）；９．３μＬのＴ４遺伝子３２タンパク質１．７ｍ／ｍＬ；４μＬのＭｇＳＯ４（１００ｍＭ）；４種のｄＮＴＰの各々（４ｍＭ）の４０μＬ；および１７９．２μＬの水で最終容積３６０μＬを得る。１８μＬのＲＣＡミックス（６５℃で１分予備加温）を２μＬの上記反応物に加え、６５℃で２．５分インキュベートした。これによって、８本の管の各々がＴａｑおよびＶｅｎｔ伸長ビオチンＰ１ｂａｒプライマーを得た。
【０１８６】
ビオチン化ランオフ生成物はストックダイナビーズ（Ｄｙｎａｂｅａｄ）（１０μｇ／μＬ）を用いて単離した。前記ビーズは、１０μＬのストックを用いて２０ピコモルのビオチン化オリゴを捕捉できる。各反応管から４０μＬのうち２０μＬをとり、以下のようにダイナビーズで捕捉させた：ストックビーズを先ず２ＭのＮａＣｌ緩衝液（サンプルと同じ容積の緩衝液を用いる）で３回洗浄した；サンプルと洗浄ビーズの等容積を混合して最終１ＭのＮａＣｌミックスを得た；このミックスを４℃で１５分１４００ｒｐｍで遠心分離した；ビーズを２回１００μＬのＮａＣｌ緩衝液で洗浄し、続いて２回蒸留水１００μＬで洗浄した（ピペッティングではなく軽くタップして洗浄）；ビーズを５０ｍＭのＮａＯＨ５０μＬ中に再懸濁し、室温で５分インキュベートした；上清（０．５ＭのＨＣｌで調和することができる）を除去した；ビーズを最初のサンプル容積（例えば２０μＬ）に１×ＴＥを用いて再懸濁させた。
【０１８７】
ＰＣＲミックスは以下を混合して調製した：４８μＬの１０×Ｔａｑゴールド緩衝液；１８μＬのｄＮＴＰ（４．０ｍＭ）；３．８４μＬのＰ１Ｂａｒプライマー（配列識別番号：１）（１００ｐｍｏｌ／μＬ）；３．８４μＬのＭ１３プライマー（配列識別番号：３）（１００ｐｍｏｌ／μＬ）；４８μＬのＭｇＣｌ２（２５ｍＭ）；および３３０．７μＬの水で総容積４５６μＬを得る。ビーズスラリー反応物の１．０μＬを１９μＬのＰＣＲミックスに添加し、９５℃で５分間変性させ；さらに以下のように３０または４０サイクルのＰＣＲに付した：９５℃で２０秒および６０℃で１分。
続いて各反応物の２０μＬを２％アガロースで電気泳動に付し、先の実施例で述べたように可視化した。結果は、より多くの増幅生成物は、プローブが鋳型ＤＮＡと完全にマッチし、さらにリガーゼを加えられた反応（すなわち反応２および５）で得られることを示した。さらに、ランオフ生成物のビーズ上での単離はより完全な増幅を可能にする。
【０１８８】
実施例４：増幅前のウラシル−Ｎ−グリコシラーゼでのプローブの消化によるバックグラウンドの抑制
ＰＣＲ時に非連結オリゴヌクレオチドプローブから伸長の結果として生じるバックグラウンドを抑制するまた別の方法は、ＰＣＲ増幅前に非連結プローブをウラシル−Ｎ−グリコシラーゼで消化することである。非連結オリゴヌクレオチドプローブのウラシル−Ｎ−グリコシラーゼ（また“ＵＮＧ”とも称される）による消化によって、プローブは３つのフラグメントに分断され、前記フラグメントはＰＣＲバックグラウンドとなるアンプリコンの生成をもはや開始させることができない。
本実施例は、ランオフ生成物のビオチン単離クリーンアップ方法の比較としてウラシル−Ｎ−グリコシラーゼを用いる方法を述べる。
【０１８９】
鋳型ＤＮＡおよびプローブは実施例３で用いたものと同じで（これらのオリゴヌクレオチドは表示の位置にＵ塩基を用いて合成されたことに留意されたい）、さらに種々の組み合わせもまた同じであった（表３）。本実施例では、Ｔｔｈリガーゼの代わりにｐｆｕリガーゼを用いた。
２つのバーコードオリゴミックス（各バーコードオリゴについて１つ）は以下を混合して調製した：１０μＬの５×Ｔｔｈリガーゼ緩衝液；１５μＬのバーコードオリゴヌクレオチドＳ（配列識別番号：１２）またはＹ（配列識別番号：１３）（１０ｐｍｏｌ／μＬ）；および７２．５μＬの水。このミックス１９．５μＬを８本の細管に加えた。各細管に、それぞれのＰＣＲ鋳型Ｓ７またはＹ７（０．４０μｇ／μＬ）の０．５μＬを添加した。最終バーコードおよび鋳型量は、反応当たりそれぞれ３０ピコモルおよび４０フェムトモルであった。
【０１９０】
反応混合物（ＤＮＡを含む）を９５℃で５分間変性させ、さらに６５℃で１５分間アニールさせた。２４μＬの１０×ｐｆｕリガーゼ緩衝液と２０４μＬの水を混合して調製したリガーゼミックス２３．７５μＬを細管３および６に加えた。１０μＬのｐｆｕリガーゼ（４Ｕ／μＬ）（Ｓｔｒａｔａｇｅｎｅ）を残りのミックス２０４．２５μＬに加えた。各管（３および６を除く）に、２０μＬのリガーゼミックス（予め６５℃１分加温）を加え、反応物を６５℃で１０分間インキュベートした（連結反応）。最終反応容積は４０μＬであった。
２μＬの連結反応物を１８μＬの伸長ミックスに添加した。前記伸長ミックスは以下を混合して調製した：４０μＬの１０×Ｔａｑゴールド緩衝液；１５μＬのｄＮＴＰ（各々４ｍＭ）；３μＬのＡｍｐｌｉＴａｑゴールドＤＮＡポリメラーゼ（５Ｕ／μＬ）（Ｐ．Ｅ．）；３．２μＬのビオチンＲＣＡＰ１Ｂａｒプライマー（５´ＧＴＣＧＴＴＴＴＡＣＡＧＡＣＴＡＧＡＧＡＣＣＴＣＧＴＧＧＡＣ３´（配列識別番号：２８））（１００ｐｍｏｌ／μＬ）（実施例３と同じ）；４０μＬのＭｇＣｌ２（２５ｍＭ）；および２５８．８μＬの水を加えて最終容積３６０μＬのＰＣＲ反応ミックスを得た。続いて前記反応物を９５℃で１０分間インキュベートし、Ｔａｑゴールドを活性化するとともに連結された生成物を変性させた。続いて反応物１セットを６５℃で２分間インキュベートし、もう一方のセットも同様にインキュベートした。前記の１セットの反応物を続いて６５℃で１５分インキュベートし生成物をランオフさせ、もう一方のセットは６５℃でインキュベートしなかった（非ランオフコントロール）。これによって、Ｔａｑによって伸長されたビオチンＲＣＡプライマーを含む２×８本の管ができた。ＲＣＡビオチンプライマーはＰ１プライマーの５´末端に付加された配列を含み、ビーズがＰＣＲ反応を立体的に妨害する場合に、前記プライマーとビーズとの間の距離を増すために用いられた。
【０１９１】
２つのＰＣＲミックスを実施例３で述べたように調製し、さらに反応当たり１μＬのウラシル−Ｎ−グリコシダーゼ（ＰＥ Ｂｉｏｓｙｓｔｅｍｓ， Ｆｏｓｔｅｒ Ｃｉｔｙ， ＣＡ）を添加したものおよびしないものを作製した。１．０μＬの伸長反応物を１９μＬのＰＣＲミックスに添加し；９５℃で５分間変性させ；さらに９５℃で２０秒および６４℃で１分のＰＣＲサイクルの２５サイクルを実施した。さらにまたコントロールとして、連結反応物の１：１０希釈物（伸長無し）を１９μＬのＰＣＲミックスに添加し、９５℃で５分間変性させ、さらに９５℃で２０秒および６４℃で１分のＰＣＲサイクルを２５サイクル実施した。
続いて各反応物の２０μＬを２％アガロースの電気泳動に付し、先行実施例で述べたようにバンドを可視化した。結果は、伸長無しのコントロールでは、プローブのＵＮＧ消化によって全てのバックグラウンドは排除されることを示している（レーン１、３、４、６、７、８）。さらに、前記コントロールは、特異的なシグナルもまた伸長工程無しに排除されることを示し（レーン２および５）、したがって最初のプローブはＵＮＧによって分解され、伸長はシグナルに必要であることが確認された。本伸長実験は、ＵＮＧはバックグラウンドを排除するが（レーン１、３、４、６、７、８）特異的シグナルは排除しない（レーン２および５）ということを示している。
【０１９２】
実施例５：アピラーゼによるバックグラウンドの抑制
バックグラウンドシグナルのまた別の供給源は、種々の試薬（例えばリガーゼおよび鋳型調製物）中の夾雑ヌクレオチドに由来する。これらの夾雑ヌクレオチドは、たとえ付加されたヌクレオチドが被検ＳＮＰと相補的でなくともポリメラーゼ−リガーゼ工程でシグナルを生じる。このバックグラウンド供給源を排除するために、アピラーゼ（ヌクレオチドを分解する酵素）を全ての試薬に反応組み立て時に添加した。ＤＮＡ変性工程の前に、夾雑ヌクレオチドを２０℃でインキュベートして分解した。アピラーゼは変性およびアニーリング工程の間に熱により不活化され、その結果、後で添加される特異的なヌクレオチドは分解されない。
実施される種々の反応は表４に要約する。
【０１９３】
表４：種々の反応の成分
2004528016.tif 000009
2004528016.tif 000010
2004528016.tif 000011
2004528016.tif 000012
３つの鋳型／バーコードミックスを、各々６μＬの１０×ｐｆｕアンプリガーゼ緩衝液中で以下を混合して調製した：１．８μＬのバーコードオリゴ（配列識別番号：１９に示す配列を有する）；３μＬのＰＣＲ鋳型（配列識別番号：１０のＳ７、配列識別番号：１１のＹ７または水）（前記鋳型は実施例１で用いたものと同じである）；４９．２μＬの水を加えて最終容積６０μＬを得る。各々１２μＬを管に分注した。
【０１９４】
１２μＬのリガーゼミックスを１６本の細管に分注した。前記ミックスは表５に示すように種々の反応用に調製し、さらにリガーゼ希釈物は、５μＬの１０×アンプリガーゼ緩衝液を４４．３３μＬの水および０．６７μＬのアンプリガーゼ（５Ｕ／μＬ）を混合して調製し、０．０６７Ｕ／μＬのアンプリガーゼを含む溶液を得た。
表５：リガーゼミックスの調製
2004528016.tif 000013
Ａ：１０×アンプリガーゼ緩衝液
Ｂ：アンプリガーゼ希釈物
Ｃ：ＴａｑＤＮＡポリメラーゼストッフェルフラグメント１０Ｕ／μＬ
Ｄ：アピラーゼ５０ｍＵ／μＬ
【０１９５】
前記バーコード／鋳型ミックスは９５℃で５分間変性させ、６５℃で１５分間アニールさせた。８μＬのリガーゼミックスを前記アニールさせたＤＮＡミックスに添加した。続いてこれらを２０℃で２分インキュベートした。さらに前記バーコード／鋳型ミックスを９５℃で５分変性させ、６５℃で１５分アニールさせた。温度を６５℃に上昇させ、２μＬのｄＸＴＰ（１ｍＭ）を適切な管に添加し、その後、それらを６５℃で１０分インキュベートした。最終反応容積は２０μＬであった。酵素リガーゼの最終濃度は、リガーゼ反応物中で０．０００４２Ｕ／μＬ（全量０．００８４Ｕ）であった。最終バーコード濃度は０．０１５ピコモル／μＬで最終鋳型濃度は約２フェムトモル／μＬであった。（この工程の順序を確認されたい。）
【０１９６】
２μＬの各連結反応物を１８μＬのＰＣＲ伸長ミックスに添加した。前記伸長ミックスは下記を混合して調製した：８５μＬの４×Ｅ／Ｕ緩衝液（４×Ｔａｑゴールド緩衝液；３．２ｐｍｏｌ／μＬのＰ１ｂａｒプライマー（配列識別番号：１）；１０ｍＭのＭｇＣｌ２；０．６ｍＭのｄＮＴＰ）；２．５５μＬのＡｍｐｌｉＴａｑゴールドＤＮＡポリメラーゼ（Ｐ．Ｅ． Ｂｉｏｓｙｓｔｅｍｓ， Ｆｏｓｔｅｒ Ｃｉｔｙ， ＣＡ）（５Ｕ／μＬ）；および２１８．５μＬの水を添加して最終容積３０６μＬを得た。前記反応物を９５℃で１０分間インキュベートして連結生成物を変性させるとともに、Ｔａｑゴールドを活性化させた。続いて反応物を６５℃で２分インキュベートしてランオフさせた。
【０１９７】
ＵＮＧクリーンアップおよび増幅は以下のように実施した。各反応物（２０μＬ）に２０μＬのＵＮＧ／ＰＣＲミックスを添加した。前記ミックスは以下を混合して調製した：８５μＬの４×Ｅ／Ｕ緩衝液；２．５５μＬのＡｍｐｌｉＴａｑゴールドＤＮＡポリメラーゼ（ＰＥ）（５Ｕ／μＬ）；１７μＬのＵＮＧ（１Ｕ／μＬ、ＰＥ Ｂｉｏｓｙｓｔｅｍｓ， Ｆｏｓｔｅｒ Ｃｉｔｙ， ＣＡ）；５．４４μＬのＭ１３プライマー（配列識別番号：３）（１００ｐｍｏｌ／μＬ）；および２３０μＬの水を加えて最終容積３４０μＬを得た。前記反応物を３７℃で２０分インキュベートし、続いて９５℃で５分間熱変性させた。ＰＣＲは以下の３３サイクル実施した：９５℃２０秒および６０℃１分。
【０１９８】
増幅生成物は先行実施例と同じように分析した。結果は、反応物にアピラーゼが存在することによってバックグラウンド増幅が大きく低下することを示した。これは例えば最初の４つのレーン、３および４を比較することによって認められる：ｄＣＴＰ（鋳型ＤＮＡ中のＳＮＰと相補的でないヌクレオチド）を含む管にアピラーゼが存在しないことによってバンドが生じ、一方、同じ反応でアピラーゼが存在することによってバンドは生じない。比較すれば、最初の２つのレーン［ｄＡＴＰ（鋳型ＤＮＡ中のＳＮＰと相補的なヌクレオチド）を用いて実施された反応を示す］では、アピラーゼの有無は観察されるシグナルに影響を与えない。したがって、シグナルは特異的であり、バックグラウンド増幅から生じたものではないことを示している。したがって、アピラーゼの使用はバックグラウンド増幅を減少させることができる。
【０１９９】
実施例６：一反応での２つのＳＮＰの検出
本実施例は、２つのＳＮＰを同時に検出する反応例を述べる。アピラーゼを用いるバックグラウンド減少方法、およびウラシル−Ｎ−グリコシラーゼ消化、または伸長生成物のビオチン捕捉が包含される。
鋳型およびプローブの組み合わせは表６に示されている。ＤＮＡ鋳型はビール酵母菌から増幅された６００ｂｐのＤＮＡフラグメントであった。鋳型Ｓ７（配列識別番号：１０）は実施例１に記載されている。鋳型Ｓ３７は６００ｂｐの長さの二本鎖ＤＮＡでビール酵母菌Ｓ２８８Ｃ株から増幅され、ヌクレオチド配列、５´ＣＣＡＧＴＣＣＣＴＴＧＡＧＴＴＣＧＣＧＡＡＴＡＧＴＡＡＴＴＴＴＧＧＴＧＡＴＡＣＣＴＧ（配列識別番号：１７９）を含んでいる。バーコードオリゴヌクレオチドはＳＮＰ２（配列識別番号：１９）およびＳＮＰ５（配列識別番号：２１）である。
【０２００】
表６：反応の成分
2004528016.tif 000014
ＤＮＡ鋳型／プローブ反応混合物は表７に示すように調製した。表に挙げた酵素ミックスは以下を混合して調製した：１５４．３μＬの水；２２μＬの１０×アンプリガーゼ緩衝液；２．２μＬのアピラーゼ（５０ｍＵ／μＬ）；１．３８μＬのアンプリガーゼ希釈物（５μＬの１０×アンプリガーゼ緩衝液、４４．３３μＬの水および０．６７μＬのアンプリガーゼ（５Ｕ／μＬ）；および０．５５μＬのＴａｑＤＮＡポリメラーゼストッフェルフラグメント（１０Ｕ／μＬ）。
【０２０１】
表７：ＤＮＡ／酵素ミックスの成分
2004528016.tif 000015
１８μＬの前記ミックスを細管に分注した。前記反応物を２０℃で４分間インキュベートし、潜在的夾雑ヌクレオチドｄＸＴＰを分解させた。続いて反応物を９５℃で５分間加熱し、さらに６５℃で１５分間インキュベートしてアニールさせた。表６に示したように対応する０．１ｍＭのｄＸＴＰ、２μＬを前記反応物に添加し、さらに反応物を６５℃で１０分間インキュベートした（連結反応）。前記連結反応（２０μＬ）で、最終バーコード濃度は０．０１５ピコモル／μＬであり、鋳型は約２フェムトモル／μＬであった。連結反応中の最終リガーゼ濃度は０．０００４２Ｕ／μＬであった（全量０．００８４Ｕ）。
【０２０２】
６μＬの連結反応物を５４μＬの伸長ミックス（９５℃で１分間予備加温）に添加した。伸長ミックスは以下を混合して調製した：５４μＬの１０×Ｔａｑゴールド緩衝液；４．０５μＬのＡｍｐｌｉＴａｑゴールドＤＮＡポリメラーゼ（５Ｕ／μＬ）；６４．８μＬのｄＮＴＰ（各々１．２５ｍＭ）；５４μＬのＭｇＣｌ２（２５ｍＭ）；４．３２μＬのＰ１ＢＡＲ（配列識別番号：１）ビオチンプライマー（１００ｐｍｏｌ／μＬ）；および１０１．６１μＬの水。
前記反応物を９５℃で１０分間インキュベートして連結された生成物を変性させるとともに、Ｔａｑゴールドを活性化させ、続いて５５℃から７９℃の勾配で２分インキュベートしてランオフさせた。続いて反応物を４℃に冷却した。
【０２０３】
以下の三通りのクリーンアップを実施した：ＵＮＧクリーンアップ、低ストリンジェンシービオチンクリーンアップ（３回洗浄）、および高ストリンジェンシービオチンクリーンアップ（６回洗浄）。各反応物の２０μＬをダイナビーズ捕捉に付した。ストックビーズは、サンプルと同じ容積の緩衝液を用いて２ＭのＮａＣｌ緩衝液で３回洗浄した。ビーズ２５μＬに７５μＬのＮＡＣｌ（１Ｍ）を添加した。２０μＬのサンプルをＮａＣｌ中のビーズ８０μＬと混合して最終１ＭのＮａＣｌミックスを得て、これを４３℃で１５分インキュベートし、５分毎にピペットで吸引吹出しを実施した。続いてビーズを３から６回２００μＬのＮａＣｌ（０．５Ｍ）／ＮａＯＨ（０．５Ｍ）緩衝液で洗浄し、続いてＴＥ中のＮａＣｌ（０．５Ｍ）、２００μＬで洗浄した。１００ｍＭのＮａＣｌ、ＴＥ、０．２５％のＤＭＳＯ、０．０１％のトリトンを含む２００μＬ中に前記ビーズを再懸濁させ、７０℃で１５−２０分加熱した。これによってビーズに非特異的に結合した生成物が遊離される。続いてビーズを２００μＬのＴＥで再度洗浄した。１×ＴＥを用いてビーズを最初のサンプル容積（例えば２０μＬ）に再懸濁させた。
【０２０４】
クリーンアップされる伸長生成物の増幅は、２０μＬの伸長生成物を２０μＬのＵＮＧ／ＰＣＲミックスと混合することによって実施した。ＵＮＧ／ＰＣＲミックスは以下を混合して調製した：１８μＬの１０×ＴａｑＡＱゴールド緩衝液；１．３５μＬのＡｍｐｌｉＴａｑゴールドＤＮＡポリメラーゼ（５Ｕ／μＬ）；２１．６μＬのｄＮＴＰ（各々１．２５ｍＭ）；１８μＬのＭｇＣｌ２（２５ｍＭ）；１．４４μＬのＰ１Ｂａｒプライマー（配列識別番号：１）（１００ｐｍｏｌ／μＬ）；１．４４μＬのＭ１３プライマー（配列識別番号：３）（１００ｐｍｏｌ／μＬ）；９μＬのＵＮＧ（１Ｕ／μＬ）；および１０９．１７μＬの水。前記反応物を３７℃で２０分インキュベートし、９５℃で５分間変性させ、さらに９０℃２０秒の変性、６３℃１分のアニーリングおよび７２℃１０秒の伸長を含む１４ＰＣＲサイクル、続いて９５℃２０秒、５６℃４５秒および７２℃１０秒の２０サイクルに付した。反応物をさらに７２℃で１０秒インキュベートし続いて４℃でインキュベートした。
【０２０５】
反応生成物は、先行実施例と同じ方法で分析した。結果は、予想どおり、レーン２、３、６および７（鋳型ＤＮＡ中のＳＮＰに相補的でｄＮＴＰを含む反応に該当する）で他のレーンと比較して強いシグナルが得られることを示した。レーン６および７は２つの鋳型ＤＮＡおよび同じ２つのプローブを含み、さらに前記反応は、一方の反応にはｄＣＴＰが添加され、他方の反応にはｄＧＴＰが添加されたこと以外は同一であったので、これらの結果は、２種のｄＮＴＰが同じ反応中に含まれる場合、２つの異なるＳＮＰは同じ反応を用いて特定できることを示している。
【０２０６】
反応６および７由来の増幅生成物をまたＤｒａＩ制限消化に付した（ＤｒａＩはタグ配列と相同領域ＴＨＲ２の間を切断する）。２つの異なるプローブは異なる長さの相同領域を有するので、各反応でどちらのプローブが増幅されたかを高解析ゲルで特定することができることは明白である。プローブ５は１０９塩基から成り、一方、プローブ２は１０４塩基から成る。
したがって、１μＬのＤｒａＩ酵素を反応６および７のＰＣＲ生成物２０μＬに添加し、３７℃で１時間インキュベートした。結果は、予想どおり反応６で観察された増幅生成物はプローブＳＮＰ２に一致し、一方、反応７で観察された増幅生成物はプローブＳＮＰ７と一致した。これらの結果は多重処理をさらに支持する。
【０２０７】
実施例７：１パートプローブに代わる２パートプローブの使用
上記で述べた全てのプローブオリゴヌクレオチドは一分子として合成された。本実施例は、２つの部分が連結されたオリゴヌクレオチドプローブの機能的な使用を示す。これらのプローブは、４０塩基オリゴヌクレオチドを６０塩基オリゴヌクレオチドに架橋オリゴヌクレオチド（全プローブについて共通）を用いて連結することによって構築した。
鋳型／プローブの組み合わせは表８に示されている。鋳型Ｓ３７およびプローブＳＮＰ５（配列識別番号：２１）は先行実施例で述べた。ＳＮＰ５は実施例２で述べた（配列識別番号：２１）。ＳＮＰ５の２パートプローブは、パートＡ（鋳型相同性領域１およびプライマー１相同性領域を含む）をパートＢ（プライマー２相同性領域、バーコード配列、ＤｒａＩおよび鋳型相同性領域２を含む）に連結して構築した。前記２つの部分は酵素によって下記配列を有する架橋オリゴヌクレオチドに連結させた：５´ＡＣＴＧＧＣＣＧＴＣＧＴＴＴＴＡＣＡ／ＧＡＣＴＡＧＡＧＡＣＣＴＣＧＴＧＧＡＣ３´（配列識別番号：２２６）。前記配列中“／”はそれぞれパートＡおよびパートＢに相補的な部分を示す。連結は以下のように実施した：ＳＮＰ５パートＡ、ＳＮＰ５パートＢおよび架橋オリゴヌクレオチドの各々１０ピコモルを、１×アンプリガーゼ緩衝液中で５単位のアンプリガーゼと６０℃で１時間インキュベートした。プローブは、プライマー２相同領域とバーコード配列との間にウラシル塩基を含んでいる。
【０２０８】
表８：反応の成分
2004528016.tif 000016
2004528016.tif 000017
酵素ミックスは以下を混合して調製した：１４８．３μＬの水；２０μＬのｐｆｕアンプリガーゼ緩衝液；５μＬの鋳型Ｓ３７（０．０４μｇ／μＬ）；２μＬのアピラーゼ（５０ｍＵ／μＬ）；１．２５μＬのアンプリガーゼ希釈物（５μＬの１０×アンプリガーゼ緩衝液、４４．３３μＬの水および０．６７μＬのアンプリガーゼ（５Ｕ／μＬ））；および０．５μＬのＴａｑＤＮＡポリメラーゼストッフェルフラグメント（１０Ｕ／μＬ）。ＤＮＡ酵素ミックスは、７９．７μＬの酵素ミックスを１．３５μＬのいずれかのプローブ（１ｐｍｏｌ／μＬ）と混合して調製した。連結反応（２０μＬ）では、最終バーコード濃度は０．０１５ピコモル／μＬで、鋳型は約２フェムトモル／μＬであった。連結反応での最終リガーゼ濃度は０．０００４２Ｕ／μＬ（全量０．０８４単位）であった。
【０２０９】
１８μＬを細管に分注した。潜在的夾雑ｄＸＴＰヌクレオチドは２０℃で４分インキュベートして分解した。続いてＤＮＡを９５℃で５分インキュベートして変性させ、６５℃で１５分インキュベートしてアニールさせる。２μＬの対応するｄＸＴＰ（０．１ｍＭ）を適切な反応に加え、６５℃で１０分インキュベートした（連結反応）。
２μＬの連結反応物を１８μＬの伸長ミックス（９５℃に予備加温）に添加した。伸長ミックスは以下を混合して調製した：４５μＬの４×Ｅ／Ｕ緩衝液（実施例５に記載）；１．３５μＬのＡｍｐｌｉＴａｑゴールドＤＮＡポリメラーゼ（５Ｕ／μＬ）；および１１５．６５μＬの水。前記反応物を９５℃で１０分インキュベートし、連結生成物を変性させるとともにＴａｑゴールドを活性化させた。前記反応物を２分インキュベートしてランオフさせ、続いて４℃にした（伸長反応）。
【０２１０】
ＵＮＧクリーンアップおよび増幅は、２０μＬの伸長反応物を２０μＬのＵＮＧ／ＰＣＲミックスと混合して実施した。ＵＮＧ／ＰＣＲミックスは以下を混合して調製した：８５μＬの４×Ｅ／Ｕ緩衝液；２．５５μＬのＡｍｐｌｉＴａｑゴールドＤＮＡポリメラーゼ（５Ｕ／μＬ）；１７μＬのＵＮＧ（１Ｕ／μＬ）；５．４４μＬのＭ１３プライマー（配列識別番号：３）（１００ｐｍｏｌ／μＬ）；および２３０μＬの水。前記反応物を３７℃で２０分インキュベートし；９５℃で１０分変性させ；９５℃２０秒、６９．６℃１分（各サイクル毎に０．４℃ずつ低下させる）および７２℃１０秒のＰＣＲサイクルに１４回付し；続いて９５℃２０秒、６４℃４５秒および７２℃１０秒のＰＣＲサイクルを２０回実施した。続いて反応物を７２℃１０秒インキュベートし、されに４℃に浸漬した。
反応生成物は先行実施例と同じ方法で分析した。結果は、増幅はレーン２および６（両者ともｄＧＴＰを含み、このヌクレオチドは鋳型ＤＮＡのＳＮＰと相補的なヌクレオチドである）でのみ観察されることを明瞭に示している。さらに、２つの反応のバンドは類似しており、２パートプローブは１パートプローブと同様に機能することを示している。
【０２１１】
実施例８：ビール酵母菌ゲノムＤＮＡ中のＳＮＰの検出
本実施例はビール酵母菌ゲノムＤＮＡ中のＳＮＰの検出を述べる。本実施例では、２パートプローブによるポリメラーゼ／リガーゼ法、並びにバックグラウンド増幅を減少させるためのアピラーゼおよびＵＮＧが用いられる。
本実施例で用いられるＰＣＲ鋳型ＤＮＡは、ビール酵母菌ゲノムＤＮＡ（ゲノム鋳型と称する）単独であるか、または鋳型ＤＮＡＳ３７（配列識別番号：１７９、先行実施例に記載）が種々の濃度でビール酵母菌ゲノムＤＮＡに含まれている。Ｓ３７ゲノムＤＮＡの種々の希釈を得るために、本実施例で用いたプローブはＳＮＰ５（配列識別番号：２１）であった。プローブＤＮＡを先ず０．３ｐｍｏｌ／μＬに希釈し、前記希釈から１９μＬの４つの部分標本を調製した。Ｓ３７ＤＮＡの１μＬを第一の管に添加し、この希釈の１μＬを次の管に添加し、このようにしてＰＣＲ鋳型Ｓ３７をプローブゲノムＤＮＡによって連続的に希釈する。反応７および８では、ＰＣＲ鋳型は添加されず、ゲノムＤＮＡ鋳型のみが存在する。
【０２１２】
種々のプローブおよび鋳型ＤＮＡの組み合わせは表９に示す。
表９：反応の成分
2004528016.tif 000018
2004528016.tif 000019
【０２１３】
反応は実施例７に記載したように実施した。簡単に記せば、鋳型およびプローブＤＮＡを混合し、１００ｎｇのゲノム酵母ＤＮＡ、アピラーゼ、アンプリガーゼおよびＴａｑＤＮＡポリメラーゼストッフェルフラグメントとともに２０℃で４分インキュベートして潜在的夾雑ｄＸＴＰヌクレオチドを分解した。続いて反応物を９５℃でインキュベートして変性させ、３０分かけて温度を６５℃に下げることによってアニールさせ、さらに６５℃で１０分インキュベートした。
各反応の２μＬを、反応当たり以下を混合して調製した１８μＬのランオフミックスに添加した：２μＬの１０×Ｔａｑゴールド緩衝液；０．７５μＬのｄＮＴＰ（各々４ｍＭ）；０．１５μＬのＡｍｐｌｉＴａｑゴールドＤＮＡポリメラーゼ（５Ｕ／μＬ）；０．１６μＬのＰ１ｂａｒビオチンプライマー（配列識別番号：１）（１００ｐｍｏｌ／μＬ）；２μＬのＭｇＣｌ２（２５ｍＭ）；および１２．９４μＬの水。前記反応物を９５℃で１０分熱変性させ、さらに６０℃で２分インキュベートしてランオフ生成物を得た。反応物がなお６０℃であるときに、２０μＬの反応物を、以下を混合して調製したＵＮＧ／ＰＣＲミックスに移した：２μＬの１０×Ｔａｑゴールド緩衝液；０．７５μＬのｄＮＴＰ（各々１．２５ｍＭ）；０．３μＬのＡｍｐｌｉＴａｑゴールドＤＮＡポリメラーゼ（１００ｐｍｏｌ／μＬ）；１μＬのＵＮＧ；０．３２μＬのＭ１３プライマー（配列識別番号：３）（１００ｐｍｏｌ／μＬ）；２μＬのＭｇＣｌ２（２５ｍＭ）；および１３．３１μＬの水。前記反応物を３７℃で２０分インキュベートし、９５℃で５分熱変性させ、各々９５℃２０秒および６０℃１分の増幅サイクルを１４から３０回実施した。
【０２１４】
増幅生成物を上記のように分析した。結果は、ｄＣＴＰ（鋳型ＤＮＡ中のＳＮＰと相補的なヌクレオチド）との反応物を含むレーンには増幅生成物が存在するが、ｄＧＴＰとの反応物を含むレーンには増幅生成物が存在しないことを示している。したがって、鋳型ＤＮＡが酵母ＤＮＡで高度に希釈されてあってもＳＮＰの特定は明瞭であった。さらに、強いバンドがレーン７に認められたが（レーン７はゲノム鋳型のみを含みＳ３７鋳型は含んでいなかった）、レーン８ではバンドは認められなかった（レーン８はｄＧＴＰを含んでいた）。したがって、本実施例は、ＳＮＰはゲノムＤＮＡ中の固有配列で特定することができることを明瞭に示している。
レーン７および８ではＰＣＲ鋳型は添加されず、存在する鋳型はゲノム鋳型のみであり、これはＳＮＰはゲノムＤＮＡから検出できることを示している。
【０２１５】
実施例９：同じ反応中での５つのＳＮＰの検出
本実施例は、一反応で鋳型ＤＮＡ中の５つのＳＮＰの特定を示す。本実施例では、リガーゼ／ポリメラーゼ法、２パートプローブを用い、さらにアピラーゼ、伸長生成物のビオチン単離およびＵＮＧバックグラウンド減少法が用いられる。
鋳型ＤＮＡは、ビール酵母菌から増幅された６００塩基対ＰＣＲ鋳型；Ｓ−７（配列識別番号：１０）、Ｓ−２６（配列識別番号：２３８）、Ｓ−３０（配列識別番号：１６７）およびＳ−３７の混合物である。
Ｓ−２６（配列識別番号：２３８）は以下の配列を含む：５´ＡＣＡＴＴＴＡＧＡＴＣＴＧＣＡＧＴＴＴＣＴＡＡＴＡＴＧＡＡＴＴＣＡＧＴＧＧＡＡＡＡＴ３´。
Ｓ−３０（配列識別番号：１６７）は以下の配列を含む５´ＧＡＴＣＡＡＡＴＧＣＧＡＣＣＡＴＡＴＴＣＡＴＣＡＡＡＣＴＴＡＴＡＧＧＣＧ３´。
Ｓ−３７は、５´ＴＡＣＴＧＴＡＣＣＣＡＴＴＴＴＴＴＴＧＴＣＧＣＴＴＡＡＧＧＴＴＴＣＧＣＧＴ３´（配列識別番号：５）および配列識別番号：１７の両方を含む。用いたプローブはＳＮＰ１、２、３および５で、これらは以前に（例えば実施例２に）記載された。ＳＮＰ４（Ｙ４：ＰＬ：Ｃ：１１９：１５９）は以下のヌクレオチド配列を有する：５´ＡＣＡＡＡＡＡＡＡＴＧＧＧＴＡＣＡＧＴＡＴＡＡ／ＵＧＴＣＣＡＣＧＡＧＧＴＣＴＣＴＡＧＴＣ／ＴＧＴＡＡＡＡＣＧＡＣＧＧＣＣＡＧＴ／ＵＧＧＴＡＧＴＡＣＧＧＴＧＣＴＣＴＴＡＣＡ／ＴＴＴＡＡＡ／ＡＣＧＣＧＡＡＡＣＣＴＴＡＡＧ３´（配列識別番号：２３；配列は相同性１／プライマー１／プライマー２／バーコード／ＤｒａＩ／相同性２を表している；Ｕはウラシルである）。
【０２１６】
鋳型ＤＮＡとプローブの種々の組み合わせは表１０に示されている。
表１０：各反応の成分
2004528016.tif 000020
2004528016.tif 000021
【０２１７】
前記反応は実施例８に記載したように実施した。簡単に記せば、鋳型およびプローブＤＮＡを混合し、さらにアピラーゼ、アンプリガーゼおよびＴａｑＤＮＡポリメラーゼストッフェルフラグメントと２０℃で４分インキュベートしてｄＸＴＰを分解した。前記酵素ミックスは以下を混合して調製した：１０９．１μＬの水；１８μＬの１０×ｐｆｕアンプリガーゼ緩衝液；２．７μＬの各バーコードオリゴ；４．５μＬの各鋳型ＤＮＡ；１．８μＬのアピラーゼ（５０ｍＵ／μＬ）；１．１２５μＬのアンプリガーゼ希釈物（５μＬのアンプリガーゼ緩衝液；４４．３３μＬの水および０．６７μＬのアンプリガーゼ５Ｕ／μＬ）；および０．４５μＬのＴａｑＤＮＡポリメラーゼストッフェルフラグメント（１０Ｕ／μＬ）。１８μＬの前記ミックスを細管に移し、前記細管を２０℃で４分インキュベートして潜在的な夾雑ヌクレオチドを分解した。続いて、反応物を９５℃で５分インキュベートして変性させ、さらに６５℃で１５分間アニールさせた。２μＬの対応するｄＸＴＰを添加し、さらに反応物を６５℃で１０分インキュベートした。連結反応（２０μＬ）では、最終バーコードプローブ濃度は０．０１５ピコモル／μＬで、鋳型濃度は約２フェムトモル／μＬであった。連結反応の最終リガーゼ濃度は０．０００４２Ｕ／μＬ（全量０．００８４単位）であった。
【０２１８】
各反応の２μＬを以下を混合して調製した１８μＬのランオフミックス（９５℃で予備加温）に添加した：３４μＬの１０×Ｔａｑゴールド緩衝液；４０．８μＬのｄＮＴＰ（各々１．２５ｍＭ）；２．２５μＬのＡｍｐｌｉＴａｑゴールドＤＮＡポリメラーゼ（５Ｕ／μＬ）；２．７２μＬのＰ１ｂａｒビオチンプライマー（配列識別番号：１）（１００ｐｍｏｌ／μＬ）；３４μＬのＭｇＣｌ２（２５ｍＭ）；および３０６μＬの水。前記反応物を９５℃で１０分熱変性させ、さらにランオフ生成物は６０℃で２分インキュベートして得られた。続いて反応物を４℃に戻した。
ビオチンクリーンアップを実施例６に記載したように実施した。簡単に記せば、記載したようにビーズを洗浄し、２容積の２ＭのＮａＣｌに再懸濁させた。各反応物の２０μＬを２０μＬのビーズに添加し１ＭのＮａＣｌミックスを得た。前記ミックスを４３℃で１５分インキュベートし、５分毎にピペットで吸引吹き出しを実施した。続いて前記ビーズを２００μＬのＮａＣｌ（０．５Ｍ）／ＮａＯＨ（０．５Ｍ）緩衝液で６回洗浄し、続いてＴＥ中のＮａＣｌ（０．５Ｍ）２００μＬで洗浄した。ビーズを以下の液２００μＬに再懸濁し（１００ｍＭのＮａＣｌ、ＴＥ、０．２５％ＤＭＳＯ、０．０１％トリトン）、さらに７０℃で１５−２０分加熱した。前記処置は、ビーズに非特異的に結合した生成物を遊離させる。続いて、ビーズを２００μＬのＴＥで再度洗浄した。１×ＴＥを用いてビーズを最初のサンプル容積（例えば２０μＬ）に再懸濁させた
【０２１９】
反応物の２０μＬをＵＮＧ／ＰＣＲミックスに移した。前記ミックスは以下を混合して調製した：１８μＬの１０×Ｔａｑゴールド緩衝液；２１．６μＬのｄＮＴＰ（各々１．２５ｍＭ）；１．３５μＬのＡｍｐｌｉＴａｑゴールドＤＮＡポリメラーゼ（１００ｐｍｏｌ／μＬ）；１．４４μＬのＰ１Ｂａｒプライマー（配列識別番号：１）（１００ｐｍｏｌ／μＬ）；９μＬのＵＮＧ；２．８８μＬのＭ１３ビオチンプライマー（配列識別番号：３）（１００ｐｍｏｌ／μＬ）；１８μＬのＭｇＣｌ２（２５ｍＭ）；および１０７．９μＬの水。前記反応物を３７℃で２０分インキュベートし、９５℃で５分間熱変性させ、さらに、９５℃２０秒；６９．６℃１分（各サイクル毎に０．４℃ずつ低下させる）；および７２℃１０秒の増幅サイクルを１４サイクル実施し、さらに６４℃４５秒および７２℃１０秒の増幅サイクルを２０サイクル実施した。続いて、反応物を７２℃で１０秒インキュベートし、さらに４℃でインキュベートした。
【０２２０】
増幅生成物はゲル電気泳動で分析した。結果は、増幅生成物は予想どおり各ヌクレオチドについて認められることを示している（それぞれレーン１、２、３、４でＡ、Ｃ、Ｇ、Ｔ）。調べた５つのＳＮＰは以下のヌクレオチドマッチを有していた：ＳＮＰ１，ｄＡＴＰ；ＳＮＰ２，ｄＧＴＰ；ＳＮＰ３，ｄＴＴＰ；さらにＳＮＰ４およびＳＮＰ５の両者はｄＣＴＰ。したがって、異なるＳＮＰが各レーンで増幅されるが、ただしこれはゲル電気泳動では識別することができない。
【０２２１】
増幅生成物はさらに各多重反応物をＤＮＡチップにハイブリダイズさせて分析した。各ｄＸＴＰ反応物（５プローブに対して多重処理）を別々のチップとハイブリダイズさせた。各事例で、ハイブリダイゼーション混合物は以下から成っていた：２μＬの上記ＰＣＲ反応物、０．５μＬのコントロール（ボーダー）オリゴ（０．７ｆｍ／μＬ）、２．９μＬのＭ１３相補的オリゴ（１０ｐｍ／μＬ）（ＰＣＲ反応物のＭ１３プライマーに対して１０倍過剰）、６×ＳＳＰＥ−Ｔ緩衝液（０．００５％トリトンを含む６×ＳＳＰＥ）で１６０μＬにする。前記混合物を９５℃で２分変性させ、続いて氷上で５分インキュベートした。前記溶液をＤＮＡチップにロードし、４２℃で４時間ハイブリダイズさせた。前記時間経過後に、チップを６×ＳＳＰＥ−Ｔで５回洗浄し、蛍光標識のために以下をロードした：０．５μＬのストレプトアビジンＲ−フィコエリスリン共役物（１ｍｇ／ｍＬ）、１０μＬのＢＳＡ（２０ｍｇ／ｍＬ）、ＳＳＰＥ−Ｔ緩衝液で１６０μＬにする。チップを４２℃で１０分インキュベートした。この後、チップを再度ＳＳＰＥ−Ｔ緩衝液で５分洗浄し、レーザー蛍光スキャナーで多重反応生成物を分析した。問題の５つのプローブの各特徴部のシグナルを各特徴部当たり８×８ピクセルについて平均化し、バックグラウンドを差し引き、続いてコントロール（ボーダー）の特徴部の平均シグナル強度を用いて標準化した。これによって、４つの異なるチップ上でのハイブリダイゼーション効率における相違が効率的に標準化された。表１１は、４つのハイブリダイゼーションから得られた標準化シグナル強度（各ヌクレオチドについて１つ）を示す。シグナル：ノイズ比は、予想されるヌクレオチドの標準化シグナル：他の３つのヌクレオチドの最高標準化シグナルに一致する。
【０２２２】
表１１：ＤＮＡチップハイブリダイゼーションの標準化シグナル強度
2004528016.tif 000022
ＤＮＡチップハイブリダイゼーションの結果は示されていないが、３つの別々のハイブリダイゼーションを実施した。ｄＡＴＰが添加された反応は緑色に着色された。ｄＣＴＰが添加された反応は青色であった。ｄＧＴＰが添加された反応は赤色であった。対立遺伝子の判定は、与えられたＳＮＰタグの位置：ＳＮＰ１：Ａ；ＳＮＰ２：ＧおよびＳＮＰ５：Ｃのスポットの色によって示される。
したがって、本実施例は、本発明を用いて多重処理を実施することができること、および種々のＳＮＰは容易にＤＮＡチップとのハイブリダイゼーションによって特定できることを示している。
【０２２３】
実施例１０：ビール酵母菌ゲノムＤＮＡを用いた多重処理
本実施例は、ギャップモジュール合成並びにバックグラウンド減少にアピラーゼおよびＵＮＧを用いる酵母ゲノムＤＮＡの多重処理を示す。
ビール酵母菌由来の鋳型ＤＮＡ（１９７ｎｇ／μＬのＳ９６ゲノムＤＮＡ［Ｓ９６ＤＮＡとは何か。われわれは酵母Ｓ９６およびＹＪＭの２つの株をテストし、全実施例でＳ９６を用いた］）を、表１２に示すように１つまたは２つ以上のＳＮＰプローブとインキュベートした。２パートプローブの配列は先行実施例で示されている。
【０２２４】
表１２：反応の成分
2004528016.tif 000023
2004528016.tif 000024
2004528016.tif 000025
＊全：５つのプローブ全て
【０２２５】
反応は実施例９で述べたように実施した。簡単に記せば、鋳型およびプローブＤＮＡを混合し、アピラーゼ、アンプリガーゼおよびＴａｑＤＮＡポリメラーゼストッフェルフラグメントとともに２０℃で４分インキュベートしてｄＸＴＰを分解した。酵素ミックスは以下を混合して調製した：４０９．９５μＬの水、６０μＬの１０×ｐｆｕアンプリガーゼ緩衝液；１５．３μＬの鋳型ＤＮＡ（１９７ｎｇ／μＬ）；６μＬのアピラーゼ（５０ｍＵ／μＬ）；０．７５μＬのアンプリガーゼ；および３μＬのＴａｑＤＮＡポリメラーゼストッフェルフラグメント（１０Ｕ／μＬ）。１８μＬを細管に移した。最終ミックスは、５反応用に７４．５μＬの酵素ミックス；１．３５μＬの各バーコードオリゴプローブおよび必要な場合には容積８１μＬを得るためにＴＥを混合して調製した。
【０２２６】
続いて前記反応を９５℃でインキュベートして変性させ、６５℃で１５分間アニールさせた。対応するｄＸＴＰ（０．１ｍＭ）の２μＬを添加し、反応物を６５℃で１０分インキュベートした。連結反応（２０μＬ）では、最終バーコードプローブ濃度は０．０１５ピコモル／μＬであった。
各反応の３μＬを２７μＬのランオフミックスに加えた。前記ランオフミックスは以下を混合して調製した：７８μＬの１０×Ｔａｑゴールド緩衝液；９３．６μＬのｄＮＴＰ（各々１．２５ｍＭ）；５．８５μＬのＡｍｐｌｉＴａｑゴールドＤＮＡポリメラーゼ（５Ｕ／μＬ）；６．２４μＬのＰ１ｂａｒビオチンプライマー（配列識別番号：１）（１００ｐｍｏｌ／μＬ）；７８μＬのＭｇＣｌ２（２５ｍＭ）；および４４０．３１μＬの水。前記反応物を９５℃で１０分間熱変性させ（さらにＴａｑを活性化し）、さらに６０℃で２分インキュベートしてランオフ生成物を得た。続いて反応を４℃でインキュベートして冷却した。
【０２２７】
前記反応の２０μＬをＵＮＧ／ＰＣＲミックスに移した。前記ミックスは以下を混合して調製した：７８μＬの１０×Ｔａｑゴールド緩衝液；９３．６μＬのｄＮＴＰ（各々１．２５ｍＭ）；７８μＬのＡｍｐｌｉＴａｑゴールドＤＮＡポリメラーゼ；３９μＬのＵＮＧ；１２．４８μＬのＭ１３プライマー（配列識別番号：３）（１００ｐｍｏｌ／μＬ）；６．２４μＬのＰ１Ｂａｒプライマー（配列識別番号：１）（１００ｐｍｏｌ／μＬ）；７８μＬのＭｇＣｌ２（２５ｍＭ）；および４６６．８３μＬの水。前記反応を３７℃で２０分インキュベートし、９５℃で１０分熱変性させ、さらに９５℃２０秒；６９．６℃（各サイクル毎に０．４℃降下させる）で１分の増幅サイクルを１４サイクル、続いて９５℃２０秒；６４℃４５秒；および７２℃１０秒の増幅サイクルを３０サイクル実施した。前記反応物を続いて７２℃で１０秒インキュベートし、続いて４℃に浸漬した。
【０２２８】
増幅生成物は実施例８に記載したように分析した。結果は、添加されたｄＮＴＰが鋳型ＤＮＡ中のＳＮＰと相補的である反応で増幅生成物が存在することをはっきりと示した。例えば、レーン７はＳＮＰ２とｄＧＴＰを含む反応を示しているが、ｄＧＴＰは鋳型ＤＮＡのＳＮＰと相補的なヌクレオチドである。同様に、レーン１８は、鋳型ＤＮＡ中のＳＮＰ５に相補的であるｄＣＴＰの添加により生じた増幅生成物を示している。反応２２、２３および２４では、バンドはまた明瞭に示され、増幅が多重反応で生じることを示唆している。
【０２２９】
ｄＣＴＰおよびｄＧＴＰヌクレオチド反応はまたＤＮＡチップとのハイブリダイゼーションによって分析した。ハイブリダイゼーション条件は、２０μＬのＰＣＲ反応をハイブリダイゼーションミックスで用い、さらにチップを１２時間ハイブリダイズさせたことを除いて実施例９のそれと同様であった。表１３は、２つのハイブリダイゼーションから得た標準化シグナル強度を示している。シグナル：ノイズ比は、予想されるヌクレオチドの標準化シグナル：他のヌクレオチドの標準化シグナルに一致する。
表１３：ＤＮＡチップハイブリダイゼーションの標準化シグナル強度
2004528016.tif 000026
【０２３０】
実施例１１：極めて高い複雑度を有するＤＮＡ中のＳＮＰの検出
ヒトＤＮＡの遺伝子型決定に要求されるＤＮＡの複雑度および量に類似させ、しかもこれまでの酵母特異的プローブを用いるために、等モル量またはさらに希釈したウシ胸腺ＤＮＡとビール酵母菌ＤＮＡを混合してＳＮＰ遺伝子型決定反応を実施した。ウシ胸腺ＤＮＡは哺乳類ＤＮＡであり、ヒトＤＮＡとほぼ同じ塩基配列の複雑度を含んでいる。
反応は表１４３に示されている。酵母ゲノムＤＮＡ（２００ｎｇ／μＬ）を以下のようにウシ胸腺（１００ｎｇ／μＬ）中に段階希釈した。酵母Ｓ９６の１μＬをウシ胸腺１９μＬと混合した（希釈１）。２μＬの希釈１を１８μＬのウシ胸腺と混合した（希釈２）。希釈２の２μＬを１８μＬのウシ胸腺と混合した（希釈３）。
【０２３１】
表１４３：反応の成分
2004528016.tif 000027
2004528016.tif 000028
鋳型およびプローブＤＮＡを含む酵素ミックスを（反応当たり）以下を混合して調製した：４．８７５、１１．８７５、１３．８７５または１４．５７５μＬの水；２μＬの１０×ｐｆｕアンプリガーゼ緩衝液；０．３μＬのバーコードオリゴ；１０、３、１または０．３μＬの酵母ゲノム希釈物；０．２μＬのアピラーゼ（５０ｍＵ／μＬ）；０．１２５μＬのアンプリガーゼ；および０．５μＬのＴａｑＤＮＡポリメラーゼストッフェルフラグメント（１０Ｕ／μＬ）。１８μＬを細管に移した。潜在的夾雑ｄＸＴＰヌクレオチドを４℃で２０分インキュベートして分解した。続いて反応物を９５℃で５分インキュベートし、さらに６５℃まで温度を下げた。１００μＭに希釈したｄＸＴＰ２μＬを添加し、反応物を６５℃で１０分インキュベートした。
【０２３２】
Ｔａｑランオフのために、２μＬの連結ミックスを１８μＬのランオフミックスに添加し、９５℃で１０分間熱変性させた。ランオフミックスは（反応当たり）以下を混合して調製した：２μＬの１０×Ｔａｑゴールド緩衝液；０．７５μＬのｄＮＴＰ（各々４ｍＭ）；０．１５μＬのＡｍｐｌｉＴａｑゴールドＤＮＡポリメラーゼ（５Ｕ／μＬ）；０．１６μＬのＰ１ｂａｒビオチンプライマー（配列識別番号：１）（１０ｐｍｏｌ／μＬ）；２μＬのＭｇＣｌ２（２５ｍＭ）；１μＬのＵＮＧ；および１３．８７μＬの水。反応物を９５℃で１０分熱変性させ（さらにＴａｑを活性化させ）、さらに６０℃で２分インキュベートしてランオフ生成物を得た。
【０２３３】
ランオフの後、混合物が未だ６０℃のときに、２０μＬの伸長反応物をＵＮＧ／ＰＣＲミックスに移した。前記ミックスは（反応当たり）以下を混合して調製した：２μＬの１０×Ｔａｑゴールド緩衝液；０．７５μＬのｄＮＴＰ（各々１．２５ｍＭ）；０．１５μＬのＡｍｐｌｉＴａｑゴールドＤＮＡポリメラーゼ（５Ｕ／μＬ）；１μＬのＵＮＧ；０．１６μＬのＭ１３プライマー（配列識別番号：３）（１００ｐｍｏｌ／μＬ）；０．１６μＬのＰ１Ｂａｒプライマー（配列識別番号：１）（１００ｐｍｏｌ／μＬ）；２μＬのＭｇＣｌ２（２５ｍＭ）；および１３．８７μＬの水。反応物を３７℃で２０分インキュベートし、９５℃で５分熱変性させ、さらに９５℃２０秒；６４℃４５秒；および７２℃１０秒のＰＣＲサイクルを３５サイクル実施した。続いて前記反応物を７２℃で１０秒インキュベートし、さらに４℃に浸漬した。
増幅生成物は先行実施例で述べたようにゲル電気泳動で分析した。結果は、ｄＣＴＰ（鋳型核酸中のＳＮＰと相補的なヌクレオチド）の存在下で実施された反応物を含む全てのレーンに増幅生成物が存在することを示した。このことは、十数億のＤＮＡ塩基対が存在していてもＳＮＰをこの方法によって検出できることを示している。
【０２３４】
実施例１２：ヒトＤＮＡ中のＳＮＰの増幅
本実施例は、ヒトゲノムＤＮＡ中のＳＮＰを特定するシステムの使用を示す。本実施例では、２パート合成プローブを用いるポリメラーゼ／リガーゼ法並びにアピラーゼとＵＮＧによるバックグラウンド減少法が用いられた。
２つのＤＮＡサンプルは北欧人ドナーおよびインド人ドナーから得た。サンプルはヒトＡＴＭ遺伝子（ＧｅｎＢａｎｋアクセス番号ＨＳＵ８２８２８）の２つのマーカーについてスクリーニングした。前記遺伝子は２つのＳＮＰを含む多くの多形性を含んでいる。前記ＳＮＰの１つは塩基４６６１１（イントロン１７；ＧからＡ：３４１０７）にあり、さらに第二のＳＮＰは塩基６０１３６（イントロン２２；ＴからＣ：３５１０７）にある。塩基４６６１１にあるＳＮＰの検出のためにデザインされたプローブは、上記で述べたように架橋オリゴヌクレオチドを用いて２つのオリゴヌクレオチドを連結し、以下のヌクレオチド配列をもつプローブを生成して調製された：５´ＡＧＡＡＴＡＡＴＴＧＴＴＴＴＴＡＴＴＴＣＴＴＴＧＡＡＣ／ＵＧＴＣＣＡＣＧＡＧＧＴＣＴＣＴＡＧＴＣ／ＴＧＴＡＡＡＡＣＧＡＣＧＧＣＣＡＧＴ／ＵＡＴＧＣＧＴＡＣＣＣＴＣＧＡＣＴＧＡＧ／ＴＴＴＡＡＡ／ＴＡＧＡＧＡＡＡＡＣＡＣＴＧＴＣＴＧＣＣ３´（配列識別番号：２６４）。前記配列は、相同性１／プライマー１／プライマー２／バーコード／ＤｒａＩ／相同性２（“Ｕ”はウラシル塩基を示す）として表されている。第二のＳＮＰを検出するためのプローブもまた、架橋オリゴヌクレオチドを用いて２つのオリゴヌクレオチドを連結し、以下の部クレオチド配列を有するプローブを生成することによって構築した：５´ＡＡＴＡＡＣＣＴＴＴＣＡＧＴＧＡＧＴＴＴＴＧＡＣ／ＵＧＴＣＣＡＣＧＡＧＧＴＣＴＣＴＡＧＴＣ／ＴＧＴＡＡＡＡＣＧＡＣＧＧＣＣＡＧＴ／ＵＡＣＴＧＴＣＡＣＣＧＧＡＧＴＣＴＧＡＧ／ＴＴＴＡＡＡ／ＧＡＣＡＴＡＴＴＧＧＡＡＧＴＡＡＣＴＴＡ３´（配列識別番号：２７５）。
【０２３５】
反応の組成は表１４５に示されている。
表１４５：反応の成分
2004528016.tif 000029
2004528016.tif 000030
2004528016.tif 000031
2004528016.tif 000032
ＮＥは北欧人を指し、ＥＩはインド人を指す。
【０２３６】
鋳型およびプローブＤＮＡを含む酵素ミックスは以下を混合して調製した：２３２．７μＬの水；４０μＬの１０×ｐｆｕアンプリガーゼ緩衝液；４μＬのアピラーゼ（５０ｍＵ／μＬ）；２．５μＬのアンプリガーゼ；および０．５μＬのＴａｑＤＮＡポリメラーゼストッフェルフラグメント（１０Ｕ／μＬ）。４つの酵素／ＤＮＡミックスは以下を混合して調製した：６５．０７μＬの酵素ミックス；１３．５μＬの鋳型ＤＮＡ；および０．５４μＬのプローブＤＮＡ。１８μＬを細管に移した。潜在的夾雑ｄＸＴＰヌクレオチドを４℃で２０分インキュベートして分解した。続いて、反応物を９５℃で５分インキュベートして変性させ、温度を６５℃に約１５分間下げた。２μＬのｄＸＴＰ（１００μＭ希釈）を添加し、反応物を５８℃で１０分インキュベートした。
【０２３７】
Ｔａｑランオフのために、２μＬの連結ミックスを１８μＬのランオフミックスに添加し、９５℃に加温した。ランオフミックスは以下を混合して調製した：３４μＬの１０×Ｔａｑゴールド緩衝液；１２．７５μＬのｄＮＴＰ（各々１．２５ｍＭ）；２．５５μＬのＡｍｐｌｉＴａｑゴールドＤＮＡポリメラーゼ（５Ｕ／μＬ）；２．７２μＬのＰ１ｂａｒビオチンプライマー（配列識別番号：１）（１０ｐｍｏｌ／μＬ）；３４μＬのＭｇＣｌ２（２５ｍＭ）；および２２０μＬの水。反応物を９５℃で１０分熱変性させ（さらにＴａｑを活性化させ）、さらに６０℃で２分インキュベートしてランオフ生成物を得て、続いて４℃に冷却した。
【０２３８】
２０μＬの伸長反応物をＵＮＧ／ＰＣＲミックスに移した。前記ミックスは以下を混合して調製した：３４μＬの１０×Ｔａｑゴールド緩衝液；１２．７５μＬのｄＮＴＰ（各々１．２５ｍＭ）；２．５５μＬのＡｍｐｌｉＴａｑゴールドＤＮＡポリメラーゼ（５Ｕ／μＬ）；１７μＬのＵＮＧ（１Ｕ／μＬ）；２．７２μＬのＭ１３プライマー（配列識別番号：３）（１００ｐｍｏｌ／μＬ）；２．７２μＬのＰ１Ｂａｒプライマー（配列識別番号：１）（１００ｐｍｏｌ／μＬ）；３４μＬのＭｇＣｌ２（２５ｍＭ）；および２３４．２６μＬの水。反応物を３７℃で２０分インキュベートし、９５℃で１０分熱変性させ、さらに９５℃２０秒；６４℃４５秒；および７２℃１０秒の増幅サイクルを３５サイクル実施した。続いて前記反応物を７２℃で１０秒インキュベートし、さらに４℃に浸漬した。
【０２３９】
増幅生成物は先行実施例で述べたようにゲル電気泳動で分析した。結果は、ＡＴＭ４６６１１ＳＮＰのレーン３および１１で増幅生成物が存在することを示し、このことは、両方のゲノムＤＮＡがこのＳＮＰについてＧのホモ接合であることを示唆している。北欧人ドナーの場合、レーン６に増幅生成物が存在し、レーン８には存在しないことは、ＡＴＭ６０１３６ＳＮＰについてこのゲノムＤＮＡはＣのホモ接合であることを示し、一方、東インド人のゲノムＤＮＡは、レーン１４および１６にそれぞれ生成物が存在するのでＣおよびＴのヘテロ接合であることを示している。
【０２４０】
実施例１３：ウラシル−Ｎ−グリコシラーゼ消化を用いゲノムＤＮＡから連結環状プローブを遊離させることによるシグナルの増加
ポリメラーゼが、プライミングが実施される環状化プローブを、それが長いＤＮＡ鋳型の周囲で環状化されてあるときにコピーすることは困難であるので、前記連結プローブがゲノムＤＮＡ鋳型から遊離され、プライマーおよびポリメラーゼが前記連結されたプローブに自由にアクセスできるならば、シグナルは改善されるであろう。本実施例では、これは以下のようにして達成することができる：ウラシル−Ｎ−グリコシラーゼ（またＵＮＧとも称される）により連結環状化プローブを脱ピリミジン化し、続いて加熱により非塩基性部位を熱分割し、連結プローブを直鎖状化し、前記を続いてゲノムＤＮＡから熱変性させて分離させる。
【０２４１】
本実施例は、ＵＮＧ標的塩基、ウラシル（ｄＵＴＰまたは単にＵ）を含むプローブ（プローブＡ９ＵおよびＡ１０Ｕ）と前記を含まないプローブ（Ａ９およびＡ１０）とを消化酵素ウラシル−Ｎ−グリコシラーゼを含む反応または含まない反応で比較する方法を述べる。
用いた鋳型ＤＮＡは精製ヒトゲノムＤＮＡで、用いたプローブはそれぞれ以下のヌクレオチド配列５´Ａ９、Ａ１０、Ａ９Ｕ、Ａ１０Ｕを含んでいた：
Ａ９：５´ＴＡＴＧＡＣＣＡＧＡＧＧＴＴＴＣＴＧＡＣＴＧＴＣＣＡＣＧＡＧＧＴＣＴＣＴＡＧＴＣＴＧＴＡＡＡＡＣＧＡＣＧＧＣＣＡＧＴＧＧＧＴＡＣＡＴＣＣＡＡＧＣＡＡＣＣＧＡＧＴＴＴＣＣＴＧＧＣＡＴＴＡＴＡＴＣＡＴＣＴ（配列識別番号：Ｘ）
Ａ１０：５´ＡＣＣＴＧＧＡＡＧＣＣＡＡＣＴＴＣＧＴＣＣＡＣＧＡＧＧＴＣＴＣＴＡＧＴＣＴＧＴＡＡＡＡＣＧＡＣＧＧＣＣＡＧＴＡＧＣＧＴＡＣＴＣＴＧＡＡＴＧＣＣＧＴＣＧＣＣＡＧＡＡＡＴＴＡＧＴＣＡＡＧＧＡＡＡ（配列識別番号：Ｘ）
Ａ９Ｕ：５´ＵＴＡＴＧＡＣＣＡＧＡＧＧＴＴＴＣＴＧＡＣＴＧＴＣＣＡＣＧＡＧＧＴＣＴＣＴＡＧＴＣＵＴＧＴＡＡＡＡＣＧＡＣＧＧＣＣＡＧＴＧＧＧＴＡＣＡＴＣＣＡＡＧＣＡＡＣＣＧＡＧＴＴＴＣＣＴＧＧＣＡＴＴＡＴＡＴＣＡＴＣＴ（配列識別番号：Ｘ）
Ａ１０Ｕ：５´ＵＣＡＣＣＴＧＧＡＡＧＣＣＡＡＣＴＴＣＧＴＣＣＡＣＧＡＧＧＴＣＴＣＴＡＧＴＣＵＴＧＴＡＡＡＡＣＧＡＣＧＧＣＣＡＧＴＡＧＣＧＴＡＣＴＣＴＧＡＡＴＧＣＣＧＴＣＧＣＣＡＧＡＡＡＴＴＡＧＴＣＡＡＧＧＡＡＡ（配列識別番号：Ｘ）。
【０２４２】
一ヌクレオチドギャップ充填反応ミックスは以下を混合して調製した：４８μＬの１０×アンプリガーゼ反応緩衝液（Ｅｐｉｃｅｎｔｒｅ）、０．６μＬのアピラーゼ（５００ｍＵ／μＬ（Ｓｉｇｍａ）、２．４μＬのＴａｑポリメラーゼストッフェルフラグメント（１０Ｕ／μＬ）（ＡＢＩ）、０．６μＬのアンプリガーゼ酵素（５Ｕ／μＬ）（Ｅｐｉｃｅｎｔｒｅ）、２４μＬのヒトゲノムＤＮＡ（１００ｎｇ／μＬ）、および３４５μＬの水。前記反応ミックスの４４．７５μＬを各プローブ（１．２５フェムトモル／μＬ）の０．２５μＬに添加し、前記の９μＬを反応プレートの４箇所の各々にピペットで分注した（各ヌクレオチドについて１箇所）。
【０２４３】
前記反応混合物（ＤＮＡを含む）を２０℃で４分インキュベートし、９５℃で５分間変性させ、５５℃で１５分間アニールさせた。各管に１μＬの１．２５μＭのデオキシヌクレオチド（Ｐｈａｒｍａｃｉａ）を（表ＸＸに示したように）添加し、反応物を５５℃で１０分インキュベートした。この時点で、もし正しいヌクレオチドが添加されていたならば、プローブはゲノムＤＮＡの周りで環状化されてある。続いて反応混合物を９５℃で２分インキュベートし、さらに３７℃にする。各ウェルに２５μＬのウラシル−Ｎ−グリコシラーゼミックスを添加した。前記酵素ミックスは、２．５μＬの１０×Ｔａｑゴールド緩衝液（ＡＢＩ）、１．６μＬの２５ｍＭのＭｇＣｌ２、水および１０μＬのＵＮＧ（表ＸＸに表示されている場合）から成る。前記反応物を３７℃で２０分インキュベートして脱ピリミジン化し、続いて９５℃で１０分インキュベートして非塩基性部位を破壊する。
【０２４４】
表ＸＸ：種々の反応の成分
2004528016.tif 000033
2004528016.tif 000034
2004528016.tif 000035
2004528016.tif 000036
【０２４５】
連結されたプローブ生成物を２５μＬの増幅ミックスに添加し、前記混合物で９５℃２０秒、６４℃４５秒および７２℃１０秒のサーモサイクリングを３１サイクル実施して増幅させた。前記増幅ミックスは以下から成る：２．５μＬの１０×Ｔａｑゴールド緩衝液（ＡＢＩ）、１．６μＬのＭｇＣｌ２（２５ｍＭ）、２．２４μＬのｄＮＴＰ（各々１．２５ｍＭ）、０．０８μＬのＭ１３プライマー（配列識別番号：ＸＸ）（１９７ｐｍｏｌ／μＬ）、０．０９μＬのＰ１Ｂａｒプライマー（配列識別番号：ＸＸ）（１８６ｐｍｏｌ／μＬ）、０．４μＬのＡｍｐｌｉＴａｑゴールドＤＮＡポリメラーゼ（５Ｕ／μＬ）（ＡＢＩ）および水。
続いて各反応の２０μＬを４％アガロースで電気泳動し、先行実施例で述べたようにバンドを可視化した。結果は、シグナル（左側で泳動されているＤＮＡラダーと比較したとき１００塩基対の位置に移動しているのが観察されるバンド）は、ウラシルを含むプローブを用い、ウラシル−Ｎ−グリコシラーゼとインキュベートされた反応で大きく増強されることを示し、酵素とプローブ上の標的ウラシルの両方が、ゲノムＤＮＡから環状化プローブを遊離させ効率的な増幅を可能にするために必要であることが示唆された。
【図面の簡単な説明】
【図１】
図１は、本発明のプレサークルプローブの好ましい実施態様の模式図である。前記プレサークルプローブは、第一および第二の向標的ドメイン、第一の普遍的プライマー、切断部位、第二のオプションプライマー、オプションバーコードおよびオプション制限酵素を含む。
【図２】
図２Ａ−２Ｈは、接端（“ギャップのない”）プレサークルプローブを用いる本発明の好ましいアッセイを示す。図２Ａはハイブリダイゼーション複合体の生成を示し、この場合、プレサークルプローブの向標的ドメインは標的配列の標的ドメインとハイブリダイズし、前記結合したプローブの５´および３´末端を隣り合わせる。遺伝子型決定反応の場合には、プレサークルプローブの５´または３´末端のどちらかが審問場所を含むことができ、複数のプレサークル（その各々が異なる塩基を審問場所に含み、さらに異なるバーコード配列を含む）を用いてもよい。図２Ｂは、リガーゼを用いてプレサークルプローブを環状化し閉環の生成を示す。場合によって（図には示されていない）、残りの直鎖状プローブおよび／または標的配列は除去、分解するか、また別には増幅できないようにすることができる。図２Ｃは、切断部位での切断を示し、標的配列はまだ存在している。図２Ｄ−２Ｇは好ましいＰＣＲ増幅反応を示し、第一の普遍的プライマーのアニーリング（２Ｄ）、第一のプライマーの伸長（２Ｅ）、第二および第一のプライマーのアニーリング（２Ｆ）並びにプライマーの伸長（２Ｇ）が含まれている。場合によって、制限酵素を使用して、バーコードおよび第二の普遍的プライミング配列（本明細書に概略するように標識することができる）を遊離させることができる。
【図３】
図３Ａ−３Ｄは、本発明のギャッププレサークルプローブの種々の実施態様を示す。図３Ａは、一ヌクレオチドギャッププレサークルプローブを示し、この場合、前記ギャップの位置は標的配列内のＳＮＰ検出場所に一致する。正しいＮＴＰおよび伸長酵素の添加、続いてリガーゼによる連結に際して、前記方法は図２のように進行する。図３Ｂは、マルチヌクレオチドギャッププレサークルプローブを示し、前記は伸長酵素を用いてＮＴＰにより充填することができる。図３Ｃは、ギャップオリゴヌクレオチドを用いて前記プレサークルプローブのギャップが充填されるのを示す。前記では連結はギャップオリゴの両端で生じる。図３Ｄは、“フラップ−ギャップ”のプレサークルプローブを示す。これらのいずれも図２に示す一般的方法で用いることができる。
【図４】
図４は、本発明の組成物および方法の変形を示す。この実施態様（接端またはギャッププレサークルのいずれも用いられる）では、普遍的プライマーはバーコード配列と側面を接している。本実施態様は多様な形態をとることができる。すなわち、ある実施態様では、プレサークルプローブは標的配列とハイブリダイズし、ギャップは要求に応じて充填され、前記プレサークルプローブは連結されて閉環状プローブを生成する。本実施態様では、一切の非環状化プローブが除去されることが重要である。普遍的プライマーが添加され、バーコード配列が増幅される。これは、閉環状プローブを用いて実施するか、またはプローブは場合によって１つまたは２つ以上の位置で切断することができる。
【図５】
図５Ａ−５Ｋは本発明の“二段階”実施態様を示す。前記は接端プレサークルプローブで開始されるが、当業者には理解されるように、ギャッププローブのいずれも同様に用いることができる。図５Ａはプレサークルプローブを示す。図５Ｂはハイブリダイゼーション複合体の生成を示す。この場合、プレサークルプローブの向標的ドメインは標的配列の標的ドメインとハイブリダイズして５´および３´末端を隣接させる。遺伝子型決定反応の場合には、プレサークルプローブの５´または３´末端のどちらかが審問場所を含むことができ、複数のプレサークル（その各々が異なる塩基を審問場所に含み、さらに異なるバーコード配列を含む）を用いてもよい。図５Ｃは、リガーゼを用いてプレサークルプローブを環状化させ閉環の生成を示している。場合によって（図には示されていない）、残りの直鎖状プローブおよび／または標的配列は除去、分解するか、また別には増幅できないようにすることができる。図５Ｄは第一のプライマーのアニーリングを示し、続いてＮＴＰおよび伸長酵素を用いて伸長が実施される（図５Ｅ）。図５Ｆは切断部位での切断を示し、これによって全てのプローブは増幅不能となる。図５Ｇ−５Ｊは、５Ｅで生成された伸長生成物の好ましいＰＣＲ増幅反応を示し、これは第二の普遍的プライマーのアニーリング（５Ｇ）、プライマーの伸長（５Ｈ）、第二および第一のプライマーのアニーリング（５Ｉ）、およびプライマーの伸長（５Ｊ）を含む。場合によって、制限酵素を使用して、バーコードおよび第二の普遍的プライミング配列（本明細書に概略するように標識することができる）を遊離させることができる（図５Ｋ）。
【図６】
図６Ａ−６Ｄは、ある遺伝子の２つの対立遺伝子座についての本発明の“リガーゼ”型の方法の模式図を示す。この場合、１方の対立遺伝子座はＳＮＰ検出位置にＡを有し、他方の対立遺伝子座は前記の位置にＴを有する。
【図７】
図７は、ある遺伝子の対立遺伝子座についての本発明の“リガーゼ／ポリメラーゼ”型の方法の模式図を示す。この場合、１方の対立遺伝子座はＳＮＰの位置にＡを有し、他方の対立遺伝子座は前記の位置にＴを有する。
【図８】
図８は、挿入変異において対象者がホモ接合性であるかヘテロ接合性であるかを決定する代表的な方法の模式図を示す。
【図１】
2004528016.tif 000037
【図２Ａ】
2004528016.tif 000038
【図２Ｂ】
2004528016.tif 000039
【図２Ｃ】
2004528016.tif 000040
【図２Ｄ】
2004528016.tif 000041
【図２Ｅ】
2004528016.tif 000042
【図２Ｆ】
2004528016.tif 000043
【図２Ｇ】
2004528016.tif 000044
【図２Ｈ】
2004528016.tif 000045
【図３Ａ】
2004528016.tif 000046
【図３Ｂ】
2004528016.tif 000047
【図３Ｃ】
2004528016.tif 000048
【図３Ｄ】
2004528016.tif 000049
【図４】
2004528016.tif 000050
【図５Ａ】
2004528016.tif 000051
【図５Ｂ】
2004528016.tif 000052
【図５Ｃ】
2004528016.tif 000053
【図５Ｄ】
2004528016.tif 000054
【図５Ｅ】
2004528016.tif 000055
【図５Ｆ】
2004528016.tif 000056
【図５Ｇ】
2004528016.tif 000057
【図５Ｈ】
2004528016.tif 000058
【図５Ｉ】
2004528016.tif 000059
【図５Ｊ】
2004528016.tif 000060
【図５Ｋ】
2004528016.tif 000061
【図６Ａ】
2004528016.tif 000062
【図６Ｂ】
2004528016.tif 000063
【図６Ｃ】
2004528016.tif 000064
【図６Ｄ】
2004528016.tif 000065
【図７】
2004528016.tif 000066
【図８】
2004528016.tif 000067
【国際公開パンフレット】
2004528016.tif 000068
2004528016.tif 000069
2004528016.tif 000070
2004528016.tif 000071
2004528016.tif 000072
2004528016.tif 000073
2004528016.tif 000074
2004528016.tif 000075
2004528016.tif 000076
2004528016.tif 000077
2004528016.tif 000078
2004528016.tif 000079
2004528016.tif 000080
2004528016.tif 000081
2004528016.tif 000082
2004528016.tif 000083
2004528016.tif 000084
2004528016.tif 000085
2004528016.tif 000086
2004528016.tif 000087
2004528016.tif 000088
2004528016.tif 000089
2004528016.tif 000090
2004528016.tif 000091
2004528016.tif 000092
2004528016.tif 000093
2004528016.tif 000094
2004528016.tif 000095
2004528016.tif 000096
2004528016.tif 000097
2004528016.tif 000098
2004528016.tif 000099
2004528016.tif 000100
2004528016.tif 000101
2004528016.tif 000102
2004528016.tif 000103
2004528016.tif 000104
2004528016.tif 000105
2004528016.tif 000106
2004528016.tif 000107
2004528016.tif 000108
2004528016.tif 000109
2004528016.tif 000110
2004528016.tif 000111
2004528016.tif 000112
2004528016.tif 000113
2004528016.tif 000114
2004528016.tif 000115
2004528016.tif 000116
2004528016.tif 000117
2004528016.tif 000118
2004528016.tif 000119
2004528016.tif 000120
2004528016.tif 000121
2004528016.tif 000122
2004528016.tif 000123
2004528016.tif 000124
2004528016.tif 000125
2004528016.tif 000126
2004528016.tif 000127
2004528016.tif 000128
2004528016.tif 000129
2004528016.tif 000130
2004528016.tif 000131
2004528016.tif 000132
2004528016.tif 000133
2004528016.tif 000134
2004528016.tif 000135
2004528016.tif 000136
2004528016.tif 000137
2004528016.tif 000138
2004528016.tif 000139
2004528016.tif 000140
2004528016.tif 000141
2004528016.tif 000142
2004528016.tif 000143
2004528016.tif 000144
2004528016.tif 000145
2004528016.tif 000146
2004528016.tif 000147
2004528016.tif 000148
2004528016.tif 000149
2004528016.tif 000150
2004528016.tif 000151
2004528016.tif 000152
2004528016.tif 000153
2004528016.tif 000154
2004528016.tif 000155
2004528016.tif 000156
2004528016.tif 000157
2004528016.tif 000158
2004528016.tif 000159
2004528016.tif 000160
2004528016.tif 000161
2004528016.tif 000162
2004528016.tif 000163
2004528016.tif 000164
2004528016.tif 000165
2004528016.tif 000166
2004528016.tif 000167
2004528016.tif 000168
2004528016.tif 000169
2004528016.tif 000170
2004528016.tif 000171
2004528016.tif 000172
2004528016.tif 000173
2004528016.tif 000174
2004528016.tif 000175
【国際公開パンフレット（コレクトバージョン）】
2004528016.tif 000176
【国際公開パンフレット（コレクトバージョン）】
2004528016.tif 000177
【国際調査報告】
2004528016.tif 000178
2004528016.tif 000179
2004528016.tif 000180